(57)【要約】【課題】操作性と機動性に優れると共に、収差が良好に補正されたズーム光学系、撮像光学系及びそれを備えた撮像装置を提供する。【解決手段】ズーム光学系は、前側レンズ群と、中間レンズ群と、後側レンズ群と、を有し、前側レンズ群は、正屈折力の第１前群と、負屈折力の第２前群と、からなり、第１前群と第２前群との間隔は、広角端よりも望遠端で広く、中間レンズ群は、正屈折力の第１中間群と、負屈折力の第２中間群と、からなり、第１中間群と第２前群との間隔は、広角端よりも望遠端で狭く、第２中間群と第２中間群の像側に隣接するレンズ群との間隔は、ズーム時又はフォーカス時に変化し、第２中間群は、フォーカス時に移動し、後側レンズ群は、正レンズと、負レンズと、を有し、以下の条件式（１）、（２）を満足する。  ０．９≦ＬＴＬT／ＬＴＬw≦１．１７      （１）  ４．２≦ＫＭＢT≦２０．０      （２）【選択図】図１
2019124818.tif 000002
【特許請求の範囲】
【請求項１】
最も物体側に配置された前側レンズ群と、
中間レンズ群と、
最も像側に配置された後側レンズ群と、を有し、
前記前側レンズ群は、物体側から順に、正屈折力の第１前群と、負屈折力の第２前群と、からなり、
前記第１前群と前記第２前群は、それぞれ、正レンズと、負レンズと、を有し、
前記第１前群と前記第２前群との間隔は、広角端よりも望遠端で広く、
前記中間レンズ群は、物体側から順に、正屈折力の第１中間群と、負屈折力の第２中間群と、からなり、
前記第１中間群は、正レンズと、負レンズと、を有し、
前記第１中間群と前記第２前群との間隔は、広角端よりも望遠端で狭く、
前記第２中間群と前記第２中間群の像側に隣接するレンズ群との間隔は、ズーム時又はフォーカス時に変化し、
前記第２中間群は、遠点から近点へのフォーカス時に像側に移動し、
前記後側レンズ群は、正レンズと、負レンズと、を有し、
以下の条件式（１）、（２）を満足することを特徴とするズーム光学系。
０．９≦ＬＴＬT／ＬＴＬW≦１．１７      （１）
４．２≦ＫＭＢT≦２０．０      （２）
ここで、
ＬＴＬWは、広角端における前記ズーム光学系の全長、
ＬＴＬTは、望遠端における前記ズーム光学系の全長、
前記全長は、最も物体側に位置するレンズ面から像面までの距離、
ＫＭＢT＝｜ＭＧMBTback２×（ＭＧMBT２−１）｜、
ＭＧMBTbackは、望遠端における第１の所定の光学系の横倍率、
ＭＧMBTは、望遠端における前記第２中間群の横倍率、
前記第１の所定の光学系は、前記第２中間群よりも像側に位置する全てのレンズで構成された光学系、
前記横倍率は、無限遠物点合焦時の横倍率、
である。
【請求項２】
最も物体側に配置された前側レンズ群と、
中間レンズ群と、
最も像側に配置された後側レンズ群と、を有し、
前記前側レンズ群は、物体側から順に、正屈折力の第１前群と、負屈折力の第２前群と、からなり、
前記第１前群と前記第２前群は、それぞれ、正レンズと、負レンズと、を有し、
前記第１前群と前記第２前群との間隔は、広角端よりも望遠端で広く、
前記中間レンズ群は、物体側から順に、正屈折力の第１中間群と、負屈折力の第２中間群と、からなり、
前記第１中間群は、正レンズと、負レンズと、を有し、
前記第１中間群と前記第２前群との間隔は、広角端よりも望遠端で狭く、
前記第２中間群と前記第２中間群の像側に隣接するレンズ群との間隔は、ズーム時又はフォーカス時に変化し、
前記第２中間群は、遠点から近点へのフォーカス時に像側に移動し、
前記後側レンズ群は、正レンズと、負レンズと、を有し、
前記第１中間群から像面までの間にブレ補正レンズ群を有し、
前記ブレ補正レンズ群が光軸に対して垂直な方向に移動することで、像ブレが補正され、
以下の条件式（１）を満足することを特徴とするズーム光学系。
０．９≦ＬＴＬT／ＬＴＬW≦１．１７      （１）
ここで、
ＬＴＬWは、広角端における前記ズーム光学系の全長、
ＬＴＬTは、望遠端における前記ズーム光学系の全長、
前記全長は、最も物体側に位置するレンズ面から像面までの距離、
である。
【請求項３】
最も物体側に配置された前側レンズ群と、
中間レンズ群と、
最も像側に配置された後側レンズ群と、を有し、
前記前側レンズ群は、物体側から順に、正屈折力の第１前群と、負屈折力の第２前群と、からなり、
前記第１前群と前記第２前群は、それぞれ、正レンズと、負レンズと、を有し、
前記第１前群と前記第２前群との間隔は、広角端よりも望遠端で広く、
前記中間レンズ群は、物体側から順に、正屈折力の第１中間群と、負屈折力の第２中間群と、からなり、
前記第１中間群は、正レンズと、負レンズと、を有し、
前記第１中間群と前記第２前群との間隔は、広角端よりも望遠端で狭く、
前記第２中間群と前記第２中間群の像側に隣接するレンズ群との間隔は、ズーム時又はフォーカス時に変化し、
前記第２中間群は、遠点から近点へのフォーカス時に像側に移動し、
前記後側レンズ群は、正レンズと、負レンズと、を有し、
前記第１中間群から像面までの間にブレ補正レンズ群を有し、
前記ブレ補正レンズ群が光軸に対して垂直な方向に移動することで、像ブレが補正され、
以下の条件式（１）、（２’）を満足することを特徴とするズーム光学系。
０．９≦ＬＴＬT／ＬＴＬW≦１．１７      （１）
２．５≦ＫＭＢT≦２０．０      （２’）
ここで、
ＬＴＬWは、広角端における前記ズーム光学系の全長、
ＬＴＬTは、望遠端における前記ズーム光学系の全長、
前記全長は、最も物体側に位置するレンズ面から像面までの距離、
ＫＭＢT＝｜ＭＧMBTback２×（ＭＧMBT２−１）｜、
ＭＧMBTbackは、望遠端における第１の所定の光学系の横倍率、
ＭＧMBTは、望遠端における前記第２中間群の横倍率、
前記第１の所定の光学系は、前記第２中間群よりも像側に位置する全てのレンズで構成された光学系、
前記横倍率は、無限遠物点合焦時の横倍率、
である。
【請求項４】
以下の条件式（２）を満足することを特徴とする請求項２又は３に記載のズーム光学系。
４．２≦ＫＭＢT≦２０．０      （２）
ここで、
ＫＭＢT＝｜ＭＧMBTback２×（ＭＧMBT２−１）｜、
ＭＧMBTbackは、望遠端における第１の所定の光学系の横倍率、
ＭＧMBTは、望遠端における前記第２中間群の横倍率、
前記第１の所定の光学系は、前記第２中間群よりも像側に位置する全てのレンズで構成された光学系、
前記横倍率は、無限遠物点合焦時の横倍率、
である。
【請求項５】
以下の条件式（３）を満足することを特徴とする請求項１から３の何れか一項に記載のズーム光学系。
０．４５≦ｆFB／ｆMB≦３．０      （３）
ここで
ｆFBは、前記第２前群の焦点距離、
ｆMBは、前記第２中間群の焦点距離、
である。
【請求項６】
以下の条件式（４）を満足することを特徴とする請求項１から５の何れか一項に記載のズーム光学系。
０．７≦ＬＴＬT／ｆFF≦３．０      （４）
ここで
ＬＴＬTは、望遠端における前記ズーム光学系の全長、
ｆFFは、前記第１前群の焦点距離、
前記全長は、最も物体側に位置するレンズ面から像面までの距離、
である。
【請求項７】
前記第１中間群から像面までの間にブレ補正レンズ群を有し、
前記ブレ補正レンズ群が光軸に対して垂直な方向に移動することで、像ブレが補正されることを特徴とする請求項１に記載のズーム光学系。
【請求項８】
以下の条件式（５）を満足することを特徴とする請求項２、３、７の何れか一項に記載のズーム光学系。
０．７≦ＫIST≦３．５      （５）
ここで
ＫIST＝｜ＭＧISTback×（ＭＧIST−１）｜、
ＭＧISTbackは、望遠端における第２の所定の光学系の横倍率、
ＭＧISTは、望遠端における前記ブレ補正レンズ群の横倍率、
前記第２の所定の光学系は、前記ブレ補正レンズ群よりも像側に位置する全てのレンズで構成された光学系、
前記横倍率は、無限遠物点合焦時の横倍率、
である。
【請求項９】
以下の条件式（６）を満足することを特徴とする請求項１から８の何れか一項に記載のズーム光学系。
０．０６≦ΔＭＶFB／ＬＴＬT≦０．４５      （６）
ここで、
ΔＭＶFBは、ズーム時における前記第２前群の最大移動量、
ＬＴＬTは、望遠端における前記ズーム光学系の全長、
前記全長は、最も物体側に位置するレンズ面から像面までの距離、
である。
【請求項１０】
以下の条件式（７）を満足することを特徴とする請求項１から９の何れか一項に記載のズーム光学系。
１．６≦｜ｆFF／ｆFB｜≦５．０      （７）
ここで
ｆFFは、前記第１前群の焦点距離、
ｆFBは、前記第２前群の焦点距離、
である。
【請求項１１】
以下の条件式（８）を満足することを特徴とする請求項１から１０の何れか一項に記載のズーム光学系。
０．４≦｜ｆMF／ｆMB｜≦３．５      （８）
ここで
ｆMFは、前記第１中間群の焦点距離、
ｆMBは、前記第２中間群の焦点距離、
である。
【請求項１２】
ズーム時とフォーカス時、前記ズーム光学系の全長は変わらないことを特徴とする請求項１から１１の何れか一項に記載のズーム光学系。
【請求項１３】
ズーム時、前記後側レンズ群の位置は固定であることを特徴とする請求項１から１２の何れか一項に記載のズーム光学系。
【請求項１４】
ズーム時とフォーカス時、前記第１中間群の位置は固定であることを特徴とする請求項１から１３の何れか一項に記載のズーム光学系。
【請求項１５】
ズーム時、前記第１中間群は移動することを特徴とする請求項１から１３の何れか一項に記載のズーム光学系。
【請求項１６】
ズーム時、２つのレンズ群のみが移動することを特徴とする請求項１から１５の何れか一項に記載のズーム光学系。
【請求項１７】
ズーム時、３つのレンズ群のみが移動することを特徴とする請求項１から１５の何れか一項に記載のズーム光学系。
【請求項１８】
ズーム時、４つのレンズ群のみが移動することを特徴とする請求項１から１５の何れか一項に記載のズーム光学系。
【請求項１９】
ズーム時に移動するレンズ群は、負屈折力を有するレンズ群のみであることを特徴とする請求項１から１５の何れか一項に記載のズーム光学系。
【請求項２０】
前記中間レンズ群と前記後側レンズ群との間に、移動レンズ群を有し、
前記移動レンズ群は、ズーム時又はフォーカス時に移動することを特徴とする請求項１から１９の何れか一項に記載のズーム光学系。
【請求項２１】
前記移動レンズ群は、負屈折力を有することを特徴とする請求項２０に記載のズーム光学系。
【請求項２２】
前記移動レンズ群は正屈折力を有し、ズーム時に移動することを特徴とする請求項２０に記載のズーム光学系。
【請求項２３】
フォーカス時、前記第２中間群以外のレンズ群が１つ移動することを特徴とする請求項１から２０の何れか一項に記載のズーム光学系。
【請求項２４】
前記ブレ補正レンズ群は、前記第１中間群に配置されていることを特徴とする請求項２、３、７の何れか一項に記載のズーム光学系。
【請求項２５】
前記ブレ補正レンズ群は、前記後側レンズ群に配置されていることを特徴とする請求項２、３、７の何れか一項に記載のズーム光学系。
【請求項２６】
物体側から順に、前記第１前群と、前記第２前群と、前記第１中間群と、前記第２中間群と、前記後側レンズ群と、からなることを特徴とする請求項１から２４の何れか一項に記載のズーム光学系。
【請求項２７】
物体側から順に、前記第１前群と、前記第２前群と、前記第１中間群と、前記第２中間群と、負屈折力の移動レンズ群と、前記後側レンズ群と、からなることを特徴とする請求項１から２５の何れか一項に記載のズーム光学系。
【請求項２８】
物体側から順に、前記第１前群と、前記第２前群と、前記第１中間群と、前記第２中間群と、正屈折力の移動レンズ群と、前記後側レンズ群と、からなることを特徴とする請求項１から１４、１７の何れか一項に記載のズーム光学系。
【請求項２９】
広角端から望遠端へのズーム時、前記第２前群は像側に移動し、
ズーム時とフォーカス時、前記第１中間群の位置は固定であることを特徴とする請求項２７又は２８に記載のズーム光学系。
【請求項３０】
ズーム時、前記第２中間群と前記移動レンズ群とが移動することを特徴とする請求項２７又は２８に記載のズーム光学系。
【請求項３１】
広角端から望遠端へのズーム時、前記第２前群は像側に移動し、
ズーム時、前記第１中間群は、広角端よりも望遠端で物体側に位置するように移動することを特徴とする請求項２６又は２７に記載のズーム光学系。
【請求項３２】
ズーム時、前記第１前群の位置と前記第１中間群の位置は、固定であることを特徴とする請求項２６又は２７に記載のズーム光学系。
【請求項３３】
開口絞りが、前記第２前群よりも像側で、且つ、前記後側レンズ群よりも物体側に配置されていることを特徴とする請求項１から３２の何れか一項に記載のズーム光学系。
【請求項３４】
ズーム時、前記開口絞りの位置は、前記第１中間群に対して固定であることを特徴とする請求項３３に記載のズーム光学系。
【請求項３５】
前記第１前群は、２つのレンズ成分からなり、
前記レンズ成分では、入射側と射出側のみが空気接触面であり、
物体側に位置する前記レンズ成分は、正屈折力を有し、
像側に位置する前記レンズ成分は、負レンズと、正レンズと、からなることを特徴とする請求項１から３４の何れか一項に記載のズーム光学系。
【請求項３６】
前記第１前群は、２つのレンズ成分からなり、
前記レンズ成分では、入射側と射出側のみが空気接触面であり、
物体側に位置する前記レンズ成分は、負レンズと、正レンズと、からなり、
像側に位置する前記レンズ成分は、正レンズからなることを特徴とする請求項１から２１、２３から２７、３１、３２の何れか一項に記載のズーム光学系。
【請求項３７】
前記第１前群に含まれる正レンズの少なくとも１つは、以下の条件式（９）を満足することを特徴とする請求項１から３６の何れか一項に記載のズーム光学系。
８０≦νｄFFp      （９）
ここで
νｄFFpは、前記第１前群に含まれる正レンズのアッベ数、
である。
【請求項３８】
前記第１中間群は、最も像側に、正屈折力の像側レンズ成分を有し、
前記像側レンズ成分では、入射側と射出側のみが空気接触面であることを特徴とする請求項１から３７の何れか一項に記載のズーム光学系。
【請求項３９】
以下の条件式（１０）を満足することを特徴とする請求項３８に記載のズーム光学系。
０．３≦ｆMFLCi／ｆMF≦３．５      （１０）
ここで
ｆMFLCiは、前記像側レンズ成分の焦点距離、
ｆMFは、前記第１中間群の焦点距離、
である。
【請求項４０】
前記第１中間群は、開口絞りと、正屈折力の第１副群と、正屈折力の第２副群と、を有し、
前記第１副群は、前記開口絞りよりも物体側に位置し、
前記第２副群は、前記開口絞りよりも像側に位置することを特徴とする請求項１から３９の何れか一項に記載のズーム光学系。
【請求項４１】
以下の条件式（１１）を満足することを特徴とする請求項４０に記載のズーム光学系。
０．２≦ｆMF1／ｆMF2≦４．８      （１１）
ここで、
ｆMF1は、前記第１副群の焦点距離、
ｆMF2は、前記第２副群の焦点距離、
である。
【請求項４２】
前記第２前群は、２枚の負レンズと、１枚の正レンズと、からなることを特徴とする３５に記載のズーム光学系。
【請求項４３】
前記第２中間群は、正レンズと、負レンズと、を有していることを特徴とする請求項１から４２の何れか一項に記載のズーム光学系。
【請求項４４】
以下の条件式（１２）を満足することを特徴とする請求項１から４３の何れか一項に記載のズーム光学系。
１０≦νｄMBnmax−νｄMBpmin≦５０      （１２）
ここで、
νｄMBnmaxは、前記第２中間群中の負レンズのアッベ数のうち、最大となるアッベ数、
νｄMBpminは、前記第２中間群中の正レンズのアッベ数のうち、最小となるアッベ数、
である。
【請求項４５】
前記後側レンズ群の最も像側に、２枚のレンズが配置され、
一方の前記レンズは正レンズで、他方の前記レンズは負レンズであることを特徴とする請求項１から４４の何れか一項に記載のズーム光学系。
【請求項４６】
以下の条件式（１３）を満足することを特徴とする請求項４５に記載のズーム光学系。
１６≦νｄRni≦２６      （１３）
ここで、
νｄRniは、前記他方のレンズのアッベ数、
である。
【請求項４７】
前記第１中間群は、アッベ数の値が８０以上の正レンズを、少なくとも２枚有することを特徴とする請求項１から４６の何れか一項に記載のズーム光学系。
【請求項４８】
ズーム時、前記第１副群と前記第２副群との間隔が変化し、
前記第１副群は、広角端より望遠端で物体側に位置するように移動することを特徴とする請求項４０に記載のズーム光学系。
【請求項４９】
前記第１副群と前記第２副群との間に、開口絞りを有し、
ズーム時、前記第２副群の位置と前記開口絞りの位置は固定されていることを特徴とする請求項４８に記載のズーム光学系。
【請求項５０】
前記後側レンズ群は、第３副群と、第４副群と、を有することを特徴とする請求項１から４９の何れか一項に記載のズーム光学系。
【請求項５１】
前記第３副群は正レンズを有することを特徴とする請求項５０に記載のズーム光学系。
【請求項５２】
前記第４副群は、正レンズと、負レンズと、を有することを特徴とする請求項５０又は５１に記載のズーム光学系。
【請求項５３】
前記第４副群は、１枚の正レンズと、１枚の負レンズと、からなり、
以下の条件式（１４）を満足することを特徴とする請求項５０から５２の何れか一項に記載のズーム光学系。
１６≦νｄR2n≦２６      （１４）
ここで、
νｄR2nは、前記第４副群の負レンズのアッベ数、
である。
【請求項５４】
前記第３副群と前記第４副群との間に、コンバーターレンズを出し入れする所定の空間が設けられ、
前記ズーム光学系の焦点距離は、前記コンバーターレンズの挿入前と挿入後とで異なることを特徴とする請求項５０から５３の何れか一項に記載のズーム光学系。
【請求項５５】
前記第４副群は所定のレンズを有し、
前記所定のレンズの屈折力の符号は、前記コンバーターレンズの屈折力の符号と逆であることを特徴とする請求項５４に記載のズーム光学系。
【請求項５６】
前記ズーム光学系の全長は、前記コンバーターレンズの挿入前と挿入後とで同じであることを特徴とする請求項５４又は５５に記載のズーム光学系。
【請求項５７】
マスター光学系と、
複数のレンズ成分を有するコンバーターレンズと、を有し、
前記レンズ成分では、入射側と射出側のみが空気接触面であり、
前記マスター光学系は、請求項１から５６の何れか一項に記載のズーム光学系であり、
前記マスター光学系は、前記後側レンズ群に、前記コンバーターレンズを出し入れする所定の空間を有し、
以下の条件式（１５）を満足することを特徴とする撮像光学系。
｜ΔＦｂT｜／ＦｎｏT≦０．０５（ｍｍ）      （１５）
ここで、
ΔＦｂT＝ＦｂT−ＦｂconT、
ＦｂTは、第１状態における無限遠物点合焦時の前記撮像光学系のバックフォーカス、
ＦｂconTは、第２状態における無限遠物点合焦時の前記撮像光学系のバックフォーカス、
ＦｎｏTは、無限遠物点合焦時の前記ズーム光学系のＦナンバー、
前記第１状態は、前記所定の空間に前記コンバーターレンズが挿入されていない状態、
前記第２状態は、前記所定の空間に前記コンバーターレンズが挿入されている状態、
前記バックフォーカスと前記Ｆナンバーは、それぞれ、望遠端におけるバックフォーカスとＦナンバー、
である。
【請求項５８】
マスター光学系と、
複数のレンズ成分を有するコンバーターレンズと、を有し、
前記レンズ成分では、入射側と射出側のみが空気接触面であり、
前記マスター光学系は、請求項１から５６の何れか一項に記載のズーム光学系であり、
前記マスター光学系は、前記後側レンズ群に、前記コンバーターレンズを出し入れする所定の空間を有し、
前記マスター光学系の焦点距離は、第１状態と第２状態とで異なり、
前記コンバーターレンズは、テレコンバーターレンズであり、
前記テレコンバーターレンズは、正屈折力の物体側副群と、中間副群と、負屈折力の像側副群と、を有し、
前記物体側副群は、最も物体側に位置し、
前記中間副群は、前記物体側副群よりも像側に位置し、
前記像側副群は、前記中間副群よりも像側に位置し、
前記物体側副群の物体側のレンズ面は、物体側に凸の面であり、
前記像側副群は、正レンズと、負レンズと、を有し、
以下の条件式（１６）を満足することを特徴とする撮像光学系。
０．７≦｜ｆconLCOB／ｆconLCB｜≦３．５      （１６）
ここで、
ｆconLCOBは、前記物体側副群の焦点距離、
ｆconLCBは、前記像側副群の焦点距離、
前記第１状態は、前記所定の空間に前記コンバーターレンズが挿入されていない状態、
前記第２状態は、前記所定の空間に前記コンバーターレンズが挿入されている状態、
である。
【請求項５９】
マスター光学系と、
複数のレンズ成分を有するコンバーターレンズと、を有し、
前記レンズ成分では、入射側と射出側のみが空気接触面であり、
前記マスター光学系は、請求項１から５６の何れか一項に記載のズーム光学系であり、
前記マスター光学系は、前記後側レンズ群に、前記コンバーターレンズを出し入れする所定の空間を有し、
前記マスター光学系の焦点距離は、第１状態と第２状態とで異なり、
前記コンバーターレンズは、テレコンバーターレンズであり、
前記テレコンバーターレンズは、正屈折力の物体側副群と、中間副群と、負屈折力の像側副群と、を有し、
前記物体側副群は、最も物体側に位置し、
前記中間副群は、前記物体側副群よりも像側に位置し、
前記像側副群は、前記中間副群よりも像側に位置し、
前記物体側副群の物体側のレンズ面は、物体側に凸の面であり、
前記像側副群は、正レンズと、負レンズと、を有し、
以下の条件式（１７）を満足することを特徴とする撮像光学系。
２．０≦（ｆT／ＦｎｏT）／ＬTC≦６．０      （１７）
ここで、
ｆTは、前記第１状態における前記撮像光学系の焦点距離、
ＦｎｏTは、無限遠物点合焦時の前記ズーム光学系のＦナンバー、
ＬTCは、前記コンバーターレンズの最も物体側に位置するレンズ面から最も像側に位置するレンズ面までの距離、
前記焦点距離と前記Ｆナンバーは、それぞれ、望遠端における焦点距離とＦナンバー、
前記第１状態は、前記所定の空間に前記コンバーターレンズが挿入されていない状態、
前記第２状態は、前記所定の空間に前記コンバーターレンズが挿入されている状態、
である。
【請求項６０】
以下の条件式（１８）を満足することを特徴とする請求項５７に記載の撮像光学系。
０．０５≦ＬR12／ＬT≦０．２５      （１８）
ここで、
ＬR12は、前記所定の空間における光軸に沿う方向の長さ、
ＬTは、前記第１状態における無限遠物点合焦時の前記撮像光学系の全長、
前記全長は、望遠端における前記撮像光学系の最も物体側に位置するレンズ面から像面までの距離、
である。
【請求項６１】
前記コンバーターレンズは正屈折力を有し、
前記第２状態において、以下の条件式（１９）を満足することを特徴とする請求項５７又は６０に記載の撮像光学系。
０．６≦ｆwconT／ｆT≦０．８５      （１９）
ここで、
ｆwconTは、前記第２状態における前記撮像光学系の焦点距離、
ｆTは、前記第１状態における前記撮像光学系の焦点距離、
前記焦点距離は、望遠端における焦点距離、
である。
【請求項６２】
前記マスター光学系の焦点距離は、前記第１状態と前記第２状態とで異なり、
前記コンバーターレンズは、テレコンバーターレンズであり、
前記テレコンバーターレンズは、正屈折力の物体側副群と、中間副群と、負屈折力の像側副群と、を有し、
前記物体側副群は、最も物体側に位置し、
前記中間副群は、前記物体側副群よりも像側に位置し、
前記像側副群は、前記中間副群よりも像側に位置し、
前記物体側副群の物体側のレンズ面は、物体側に凸の面であり、
前記像側副群は、正レンズと、負レンズと、を有し、
以下の条件式（１６）を満足することを特徴とする請求項５７に記載の撮像光学系。
０．７≦｜ｆconLCOB／ｆconLCB｜≦３．５      （１６）
ここで、
ｆconLCOBは、前記物体側副群の焦点距離、
ｆconLCBは、前記像側副群の焦点距離、
である。
【請求項６３】
前記マスター光学系の焦点距離は、前記第１状態と前記第２状態とで異なり、
前記コンバーターレンズは、テレコンバーターレンズであり、
前記テレコンバーターレンズは、正屈折力の物体側副群と、中間副群と、負屈折力の像側副群と、を有し、
前記物体側副群は、最も物体側に位置し、
前記中間副群は、前記物体側副群よりも像側に位置し、
前記像側副群は、前記中間副群よりも像側に位置し、
前記物体側副群の物体側のレンズ面は、物体側に凸の面であり、
前記像側副群は、正レンズと、負レンズと、を有し、
以下の条件式（１７）を満足することを特徴とする請求項５７に記載の撮像光学系。
２．０≦（ｆT／ＦｎｏT）／ＬTC≦６．０      （１７）
ここで、
ｆTは、前記第１状態における前記撮像光学系の焦点距離、
ＦｎｏTは、無限遠物点合焦時の前記ズーム光学系のＦナンバー、
ＬTCは、前記コンバーターレンズの最も物体側に位置するレンズ面から最も像側に位置するレンズ面までの距離、
前記焦点距離と前記Ｆナンバーは、それぞれ、望遠端における焦点距離とＦナンバー、
である。
【請求項６４】
以下の条件式（１８）を満足することを特徴とする請求項５８、５９、６２、６３の何れか一項に記載の撮像光学系。
０．０５≦ＬR12／ＬT≦０．２５      （１８）
ここで、
ＬR12は、前記所定の空間における光軸に沿う方向の長さ、
ＬTは、前記第１状態における無限遠物点合焦時の前記撮像光学系の全長、
前記全長は、望遠端における前記撮像光学系の最も物体側に位置するレンズ面から像面までの距離、
である。
【請求項６５】
前記コンバーターレンズは負屈折力を有し、
以下の条件式（２０）を満足することを特徴とする請求項５７から６０、６２から６４の何れか一項に記載の撮像光学系。
１．１５≦ｆtconT／ｆT≦２．０５      （２０）
ここで、
ｆtconTは、前記第２状態における前記撮像光学系の焦点距離、
ｆTは、前記第１状態における前記撮像光学系の焦点距離、
前記焦点距離は、望遠端における焦点距離、
である。
【請求項６６】
以下の条件式（２１）を満足することを特徴とする請求項５７から６５の何れか一項に記載の撮像光学系。
０．１≦ＬconT／ＬT≦０．４      （２１）
ここで、
ＬconTは、前記第２状態における無限遠物点合焦時の所定の距離、
ＬTは、前記第１状態における無限遠物点合焦時の前記撮像光学系の全長、
前記所定の距離は、望遠端における前記コンバーターレンズの最も物体側に位置するレンズ面から像面までの距離、
前記全長は、望遠端における前記撮像光学系の最も物体側に位置するレンズ面から像面までの距離、
である。
【請求項６７】
以下の条件式（２２）を満足することを特徴とする請求項５７から６６の何れか一項に記載の撮像光学系。
１．２≦ＬconT／ＦｂT≦４．０      （２２）
ここで、
ＬconTは、前記第２状態における無限遠物点合焦時の所定の距離、
ＦｂTは、前記第１状態における無限遠物点合焦時の前記撮像光学系のバックフォーカス、
前記所定の距離は、望遠端における前記コンバーターレンズの最も物体側に位置するレンズ面から像面までの距離、
前記バックフォーカスは、望遠端におけるバックフォーカス、
である。
【請求項６８】
以下の条件式（２３）を満足することを特徴とする請求項５７から６０、６２から６５の何れか一項に記載の撮像光学系。
−６．０≦ＦｂT／ＲtconR≦２．５      （２３）
ここで、
ＦｂTは、前記第１状態における無限遠物点合焦時の前記撮像光学系のバックフォーカス、
ＲtconRは、前記コンバーターレンズの最も像側に位置するレンズ面の曲率半径、
前記バックフォーカスは、望遠端におけるバックフォーカス、
である。
【請求項６９】
以下の条件式（２４）を満足することを特徴とする請求項５７から６０、６２から６５の何れか一項に記載の撮像光学系。
０．１≦ＦｂT／ＲtconF≦４．０      （２４）
ここで、
ＦｂTは、前記第１状態における無限遠物点合焦時の前記撮像光学系のバックフォーカス、
ＲtconFは、前記コンバーターレンズの最も物体側に位置するレンズ面の曲率半径、
前記バックフォーカスは、望遠端におけるバックフォーカス、
である。
【請求項７０】
前記複数のレンズ成分は、物体側レンズ成分を有し、
前記物体側レンズ成分は単レンズであって、最も物体側に位置し、
以下の条件式（２５）を満足することを特徴とする請求項５７から６９の何れか一項に記載の撮像光学系。
５０≦νｄconLc1      （２５）
ここで、
νｄconLc1は、前記単レンズのアッベ数、
である。
【請求項７１】
前記コンバーターレンズは、テレコンバーターレンズであり、
正屈折力の物体側レンズ成分と、
正レンズを有する像側レンズ成分と、
負屈折力の中間レンズ成分と、を有し、
前記物体側レンズ成分は、最も物体側に位置し、
前記像側レンズ成分は、最も像側に位置し、
前記中間レンズ成分は、前記物体側レンズ成分と前記像側レンズ成分との間に位置し、
前記中間レンズ成分の負屈折力は、負屈折力のレンズ成分のなかで最も大きいことを特徴とする請求項５７に記載の撮像光学系。
【請求項７２】
前記物体側副群は、最も物体側に位置する物体側レンズ成分を有し、
前記像側副群は、最も像側に位置する像側レンズ成分を有し、
中間レンズ成分は、前記物体側レンズ成分と前記像側レンズ成分との間に位置し、
前記中間レンズ成分の負屈折力は、負屈折力のレンズ成分のなかで最も大きいことを特徴とする請求項５８又は５９に記載の撮像光学系。
【請求項７３】
以下の条件式（２６）を満足することを特徴とする請求項７１又は７２に記載の撮像光学系。
０．５≦｜ｆconLCObj／ｆconLCM2｜≦ ４．０      （２６）
ここで、
ｆconLCObjは、前記物体側レンズ成分の焦点距離、
ｆconLCM2は、前記中間レンズ成分の焦点距離、
である。
【請求項７４】
前記中間レンズ成分の物体側に、負レンズを有するレンズ成分が配置されていることを特徴とする請求項７１又は７２に記載の撮像光学系。
【請求項７５】
前記像側レンズ成分は、正屈折力を有することを特徴とする請求項７１又は７２に記載の撮像光学系。
【請求項７６】
前記コンバーターレンズは、物体側から順に、
前記物体側レンズ成分と、
負レンズを有するレンズ成分と、
前記中間レンズ成分と、
前記像側レンズ成分と、からなることを特徴とする請求項７１又は７２に記載の撮像光学系。
【請求項７７】
前記コンバーターレンズは、ワイドコンバーターレンズであり、
最も物体側に位置する物体側レンズ成分と、
最も像側に位置する像側レンズ成分と、を有し、
前記物体側レンズ成分の最も物体側のレンズ面は、物体側に凹の面であり、
前記像側レンズ成分の最も像側のレンズ面は、像側に凹の面であり、
前記最も物体側のレンズ面と前記最も像側のレンズ面との間に、強い正屈折力のレンズ面を有することを特徴とする請求項５７、６０、６１の何れか一項に記載の撮像光学系。
【請求項７８】
以下の条件式（２７）を満足することを特徴とする請求項７７に記載の撮像光学系。
０．２≦｜ＦｂT／ＲwconR｜≦１．２      （２７）
ここで、
ＦｂTは、前記第１状態における無限遠物点合焦時の前記ズーム光学系のバックフォーカス、
ＲwconRは、前記像側レンズ成分の最も像側のレンズ面の曲率半径、
である。
【請求項７９】
以下の条件式（２８）を満足することを特徴とする請求項７７に記載の撮像光学系。
０．５≦｜ＲwconF／ＲwconR｜≦２．５      （２８）
ここで、
ＲwconFは、前記コンバーターレンズの最も物体側に位置するレンズ面の曲率半径、
ＲwconRは、前記コンバーターレンズの最も像側に位置するレンズ面の曲率半径、
である。
【請求項８０】
前記物体側レンズ成分よりも像側に配置された第１レンズ成分と、
前記第１レンズ成分と前記像側レンズ成分との間に配置された第２レンズ成分と、を有し、
前記第１レンズ成分の像側のレンズ面は、像側に凸の面であり、
前記第２レンズ成分の物体側のレンズ面は、物体側に凸の面であることを特徴とする請求項７７に記載の撮像光学系。
【請求項８１】
光学系と、
撮像面を持ち、且つ前記光学系により前記撮像面上に形成された像を電気信号に変換する撮像素子と、を有し、
前記光学系が、請求項１から５６の何れか一項に記載のズーム光学系、又は請求項５７から８０の何れか一項に記載の撮像光学系であることを特徴とする撮像装置。
【発明の詳細な説明】
【技術分野】
【０００１】
本発明は、ズーム光学系、撮像光学系及びそれを備えた撮像装置に関する。
【背景技術】
【０００２】
望遠レンズや超望遠レンズ（以下、「望遠レンズ」という）を用いた撮影では、遠くの被写体や小さな被写体を撮影者の眼前に引き寄せる効果を得られる。そのため、望遠レンズは、スポーツシーンの撮影、野鳥などの野生動物の撮影、天体の撮影など、様々なシーンで幅広く用いられている。
【０００３】
上述のシーンの撮影では、撮像装置の機動性の優劣が重要になる。ここで、機動性とは、例えば、持ち運びの容易性、手持ち撮影時の安定性、フォーカススピードの高速性などである。装置の機動性を優れたものにするためには、光学系は小型で軽量なものが望ましい。また、光学系がより早く被写体にフォーカスできるものであることも、機動性の優劣を左右する重要な要素である。
【０００４】
ズーム機能を備えた望遠レンズ（以下、「望遠ズーム」という）は、ズーム機能を備えていない場合に比べて、光学系が大きく重くなる。特に、画角が非常に小さい望遠ズーム、例えば、超望遠ズームは大きくて重たいので、手持ちでの撮影は難しい。そのため、超望遠ズームによる撮影では、一般的に、超望遠ズームを三脚に固定した状態で撮影が行われる。
【０００５】
撮影では、例えば、超望遠ズームと三脚を持っての撮影場所までの移動、超望遠ズームの三脚への固定、及びフレーミングが行われる。この場合、フレーミングを終えるまでに時間がかかるので、撮影チャンスを逃す可能性が高くなる。また、重たい超望遠ズームと三脚を持って移動すると、迅速な移動が困難となるので機動性が損なわれる。
【０００６】
機動性を確保するためには、光学系の小型化と軽量化を行えば良い。しかしながら、小型化と軽量化を行うと、ズーム比が小さくなる。ズーム比が小さいと、様々な撮影シーンに対応することができなくなる。
【０００７】
また、被写体の動きが早い場合、フォーカススピードが遅いと、被写体の動きに追従したフォーカスが困難になる。そのため、動きが早い被写体の撮影が困難になる。
【０００８】
また、手持ちでの撮影を考えた場合、光学系には、Ｆナンバーが小さく、手ブレによる像ブレを補正できることが必要になる。
【０００９】
特許文献１〜５には、望遠ズームが開示されている。特許文献１では、ズームレンズ（第１実施例）は、物体側から順に、正屈折力の第１レンズ群と、負屈折力の第２レンズ群と、正屈折力の第３レンズ群と、正屈折力の第４レンズ群と、からなる。ズーム時、第２レンズ群と第３レンズ群とが移動する。
【００１０】
特許文献２では、ズームレンズ（第１実施例）は、物体側から順に、正屈折力の第１レンズ群と、負屈折力の第２レンズ群と、正屈折力の第３レンズ群と、正屈折力の第４レンズ群と、からなる。ズーム時、第２レンズ群と第３レンズ群とが移動する。
【００１１】
特許文献３では、ズームレンズ（第１実施例）は、物体側から順に、正屈折力の第１レンズ群と、負屈折力の第２レンズ群と、正屈折力の第３レンズ群と、負屈折力の第４レンズ群と、正屈折力の第５レンズ群と、負屈折力の第６レンズ群と、からなる。ズーム時、第１レンズ群、第３レンズ群、第５レンズ群、及び第６レンズ群が移動する。
【００１２】
特許文献４では、ズームレンズ（第１実施例）は、物体側から順に、正屈折力の第１レンズ群と、負屈折力の第２レンズ群と、正屈折力の第３レンズ群と、負屈折力の第４レンズ群と、負屈折力の第５レンズ群と、からなる。ズーム時、第１レンズ群、第３レンズ群、第４レンズ群、及び第５レンズ群が移動する。
【００１３】
特許文献５では、ズームレンズ（第１実施例）は、物体側から順に、正屈折力の第１レンズ群と、負屈折力の第２レンズ群と、正屈折力の第３レンズ群と、正屈折力の第４レンズ群と、負屈折力の第５レンズ群と、正屈折力の第６レンズ群と、からなる。ズーム時、第２レンズ群、第３レンズ群、第４レンズ群、及び第５レンズ群が移動する。
【先行技術文献】
【特許文献】
【００１４】
【特許文献１】特開２０１３−１６７７４９号公報（第１実施例）
【特許文献２】特開２００４−１４５３０４号公報（第１実施例）
【特許文献３】特開２０１５−１２５３８５号公報（第１実施例）
【特許文献４】特開２０１７−１２０３８２号公報（第１実施例）
【特許文献５】特開２０１６−１２６２７８号公報（第１実施例）
【発明の概要】
【発明が解決しようとする課題】
【００１５】
特許文献１のズームレンズでは、焦点距離に対する光学系の全長が長い（望遠比１）。また、重量が重たい物体側レンズ群が、カメラ本体から被写体側に大きく離れている。この場合、重心位置がカメラ本体から大きく離れるため、フレーミングが難しい。また、手持ち撮影は困難である。
【００１６】
特許文献２のズームレンズでは、焦点距離に対する光学系の全長が長い（望遠比１）。また、フレーミングが難しく、手持ち撮影は困難である。また、ズーム比が２倍と小さいため、様々な撮影シーンに対応することが難しい。
【００１７】
特許文献３のズームレンズでは、ズーム時の光学系の全長変化が大きい。そのため、特に、手持ち撮影時に安定した撮影を行うことが難しい。また、像ブレを補正する機能を有していないため、特に、手持ち撮影時に安定した撮影を行うことが難しい。
【００１８】
特許文献４のズームレンズでは、ズーム時の光学系の全長変化が大きい。そのため、特に、手持ち撮影時に安定した撮影を行うことが難しい。また、望遠端でのＦナンバーが大きい。この場合、手ブレが生じた場合、像ブレの影響が大きくなる。そのため、撮像で得られた画像が不鮮明になる。
【００１９】
特許文献５のズームレンズでは、焦点距離に対する光学系の全長が長い（望遠比１．１）。しかも、望遠端の画角が約６度であるため、十分な望遠効果が得られない。
【００２０】
本発明は、このような課題に鑑みてなされたものであって、操作性と機動性に優れると共に、収差が良好に補正されたズーム光学系、撮像光学系及びそれを備えた撮像装置を提供することを目的とするものである。
【課題を解決するための手段】
【００２１】
上述した課題を解決し、目的を達成するために、本発明の少なくとも幾つかの実施形態に係るズーム光学系は、
最も物体側に配置された前側レンズ群と、
中間レンズ群と、
最も像側に配置された後側レンズ群と、を有し、
前側レンズ群は、物体側から順に、正屈折力の第１前群と、負屈折力の第２前群と、からなり、
第１前群と第２前群は、それぞれ、正レンズと、負レンズと、を有し、
第１前群と第２前群との間隔は、広角端よりも望遠端で広く、
中間レンズ群は、物体側から順に、正屈折力の第１中間群と、負屈折力の第２中間群と、からなり、
第１中間群は、正レンズと、負レンズと、を有し、
第１中間群と第２前群との間隔は、広角端よりも望遠端で狭く、
第２中間群と第２中間群の像側に隣接するレンズ群との間隔は、ズーム時又はフォーカス時に変化し、
第２中間群は、遠点から近点へのフォーカス時に像側に移動し、
後側レンズ群は、正レンズと、負レンズと、を有し、
以下の条件式（１）、（２）を満足することを特徴とする。
０．９≦ＬＴＬT／ＬＴＬw≦１．１７      （１）
４．２≦ＫＭＢT≦２０．０      （２）
ここで、
ＬＴＬWは、広角端におけるズーム光学系の全長、
ＬＴＬTは、望遠端におけるズーム光学系の全長、
全長は、最も物体側に位置するレンズ面から像面までの距離、
ＫＭＢT＝｜ＭＧMBTback２×（ＭＧMBT２−１）｜、
ＭＧMBTbackは、望遠端における第１の所定の光学系の横倍率、
ＭＧMBTは、望遠端における第２中間群の横倍率、
第１の所定の光学系は、第２中間群よりも像側に位置する全てのレンズで構成された光学系、
横倍率は、無限遠物点合焦時の横倍率、
である。
【００２２】
また、本発明の少なくとも幾つかの別の実施形態に係る別のズーム光学系は、
最も物体側に配置された前側レンズ群と、
中間レンズ群と、
最も像側に配置された後側レンズ群と、を有し、
前側レンズ群は、物体側から順に、正屈折力の第１前群と、負屈折力の第２前群と、からなり、
第１前群と第２前群は、それぞれ、正レンズと、負レンズと、を有し、
第１前群と第２前群との間隔は、広角端よりも望遠端で広く、
中間レンズ群は、物体側から順に、正屈折力の第１中間群と、負屈折力の第２中間群と、からなり、
第１中間群は、正レンズと、負レンズと、を有し、
第１中間群と第２前群との間隔は、広角端よりも望遠端で狭く、
第２中間群と第２中間群の像側に隣接するレンズ群との間隔は、ズーム時又はフォーカス時に変化し、
第２中間群は、遠点から近点へのフォーカス時に像側に移動し、
後側レンズ群は、正レンズと、負レンズと、を有し、
第１中間群から像面までの間にブレ補正レンズ群を有し、
ブレ補正レンズ群が光軸に対して垂直な方向に移動することで、像ブレが補正され、
以下の条件式（１）を満足することを特徴とする。
０．９≦ＬＴＬT／ＬＴＬw≦１．１７      （１）
ここで、
ＬＴＬWは、広角端におけるズーム光学系の全長、
ＬＴＬTは、望遠端におけるズーム光学系の全長、
全長は、最も物体側に位置するレンズ面から像面までの距離、
である。
【００２３】
また、本発明の少なくとも幾つかの別の実施形態に係る別のズーム光学系は、
最も物体側に配置された前側レンズ群と、
中間レンズ群と、
最も像側に配置された後側レンズ群と、を有し、
前側レンズ群は、物体側から順に、正屈折力の第１前群と、負屈折力の第２前群と、からなり、
第１前群と第２前群は、それぞれ、正レンズと、負レンズと、を有し、
第１前群と第２前群との間隔は、広角端よりも望遠端で広く、
中間レンズ群は、物体側から順に、正屈折力の第１中間群と、負屈折力の第２中間群と、からなり、
第１中間群は、正レンズと、負レンズと、を有し、
第１中間群と第２前群との間隔は、広角端よりも望遠端で狭く、
第２中間群と第２中間群の像側に隣接するレンズ群との間隔は、ズーム時又はフォーカス時に変化し、
第２中間群は、遠点から近点へのフォーカス時に像側に移動し、
後側レンズ群は、正レンズと、負レンズと、を有し、
第１中間群から像面までの間にブレ補正レンズ群を有し、
ブレ補正レンズ群が光軸に対して垂直な方向に移動することで、像ブレが補正され、
以下の条件式（１）、（２’）を満足することを特徴とする。
０．９≦ＬＴＬT／ＬＴＬw≦１．１７      （１）
２．５≦ＫＭＢT≦２０．０      （２’）
ここで、
ＬＴＬWは、広角端におけるズーム光学系の全長、
ＬＴＬTは、望遠端におけるズーム光学系の全長、
全長は、最も物体側に位置するレンズ面から像面までの距離、
ＫＭＢT＝｜ＭＧMBTback２×（ＭＧMBT２−１）｜、
ＭＧMBTbackは、望遠端における第１の所定の光学系の横倍率、
ＭＧMBTは、望遠端における第２中間群の横倍率、
第１の所定の光学系は、第２中間群よりも像側に位置する全てのレンズで構成された光学系、
横倍率は、無限遠物点合焦時の横倍率、
である。
【００２４】
また、本発明の少なくとも幾つかの実施形態に係る撮像光学系は、
マスター光学系と、
複数のレンズ成分を有するコンバーターレンズと、を有し、
レンズ成分では、入射側と射出側のみが空気接触面であり、
マスター光学系は、上述の何れか一つのズーム光学系であり、
マスター光学系は、後側レンズ群に、コンバーターレンズを出し入れする所定の空間を有し、
以下の条件式（１５）を満足することを特徴とする。
｜ΔＦｂT｜／ＦｎｏT≦０．０５（ｍｍ）      （１５）
ここで、
ΔＦｂT＝ＦｂT−ＦｂconT、
ＦｂTは、第１状態における無限遠物点合焦時の撮像光学系のバックフォーカス、
ＦｂconTは、第２状態における無限遠物点合焦時の撮像光学系のバックフォーカス、
ＦｎｏTは、無限遠物点合焦時のズーム光学系のＦナンバー、
第１状態は、所定の空間にコンバーターレンズが挿入されていない状態、
第２状態は、所定の空間にコンバーターレンズが挿入されている状態、
バックフォーカスとＦナンバーは、それぞれ、望遠端におけるバックフォーカスとＦナンバー、
である。
【００２５】
また、本発明の少なくとも幾つかの別の実施形態に係る撮像光学系は、
マスター光学系と、
複数のレンズ成分を有するコンバーターレンズと、を有し、
レンズ成分では、入射側と射出側のみが空気接触面であり、
マスター光学系は、上述の何れか一つのズーム光学系であり、
マスター光学系は、後側レンズ群に、コンバーターレンズを出し入れする所定の空間を有し、
マスター光学系の焦点距離は、第１状態と第２状態とで異なり、
コンバーターレンズは、テレコンバーターレンズであり、
テレコンバーターレンズは、正屈折力の物体側副群と、中間副群と、負屈折力の像側副群と、を有し、
物体側副群は、最も物体側に位置し、
中間副群は、物体側副群よりも像側に位置し、
像側副群は、中間副群よりも像側に位置し、
物体側副群の物体側のレンズ面は、物体側に凸の面であり、
像側副群は、正レンズと、負レンズと、を有し、
以下の条件式（１６）を満足することを特徴とする。
０．７≦｜ｆconLCOB／ｆconLCB｜≦３．５      （１６）
ここで、
ｆconLCOBは、物体側副群の焦点距離、
ｆconLCBは、像側副群の焦点距離、
第１状態は、所定の空間にコンバーターレンズが挿入されていない状態、
第２状態は、所定の空間にコンバーターレンズが挿入されている状態、
である。
【００２６】
また、本発明の少なくとも幾つかの別の実施形態に係る撮像光学系は、
マスター光学系と、
複数のレンズ成分を有するコンバーターレンズと、を有し、
レンズ成分では、入射側と射出側のみが空気接触面であり、
マスター光学系は、上述の何れか一つのズーム光学系であり、
マスター光学系は、後側レンズ群に、コンバーターレンズを出し入れする所定の空間を有し、
マスター光学系の焦点距離は、第１状態と第２状態とで異なり、
コンバーターレンズは、テレコンバーターレンズであり、
テレコンバーターレンズは、正屈折力の物体側副群と、中間副群と、負屈折力の像側副群と、を有し、
物体側副群は、最も物体側に位置し、
中間副群は、物体側副群よりも像側に位置し、
像側副群は、中間副群よりも像側に位置し、
物体側副群の物体側のレンズ面は、物体側に凸の面であり、
像側副群は、正レンズと、負レンズと、を有し、
以下の条件式（１７）を満足することを特徴とする。
２．０≦（ｆT／ＦｎｏT）／ＬTC≦６．０      （１７）
ここで、
ｆTは、第１状態における撮像光学系の焦点距離、
ＦｎｏTは、無限遠物点合焦時のズーム光学系のＦナンバー、
ＬTCは、コンバーターレンズの最も物体側に位置するレンズ面から最も像側に位置するレンズ面までの距離、
焦点距離とＦナンバーは、それぞれ、望遠端における焦点距離とＦナンバー、
第１状態は、所定の空間にコンバーターレンズが挿入されていない状態、
第２状態は、所定の空間にコンバーターレンズが挿入されている状態、
である。
【００２７】
また、本発明の撮像装置は、
光学系と、
撮像面を持ち、且つ光学系により撮像面上に形成された像を電気信号に変換する撮像素子と、を有し、
光学系が上述の何れか一つのズーム光学系、又は上述の撮像光学系であることを特徴とする。
【発明の効果】
【００２８】
本発明によれば、操作性と機動性に優れると共に、収差が良好に補正されたズーム光学系、撮像光学系及びそれを備えた撮像装置を提供することができる。
【図面の簡単な説明】
【００２９】
【図１】実施例１（ズーム光学系）のレンズ断面図である。
【図２】実施例２（ズーム光学系）のレンズ断面図である。
【図３】実施例３（ズーム光学系）のレンズ断面図である。
【図４】実施例４（ズーム光学系）のレンズ断面図である。
【図５】実施例５（ズーム光学系）のレンズ断面図である。
【図６】実施例６（ズーム光学系）のレンズ断面図である。
【図７】実施例７（ズーム光学系）のレンズ断面図である。
【図８】実施例８（ズーム光学系）のレンズ断面図である。
【図９】実施例９（撮像光学系）のレンズ断面図である。
【図１０】実施例１０（ズーム光学系）のレンズ断面図である。
【図１１】実施例１１（撮像光学系）のレンズ断面図である。
【図１２】実施例１２（ズーム光学系）のレンズ断面図である。
【図１３】実施例１３（撮像光学系）のレンズ断面図である。
【図１４】実施例１４（ズーム光学系）のレンズ断面図である。
【図１５】実施例１５（撮像光学系）のレンズ断面図である。
【図１６】実施例１６（ズーム光学系）のレンズ断面図である。
【図１７】実施例１７（撮像光学系）のレンズ断面図である。
【図１８】実施例１８（撮像光学系）のレンズ断面図である。
【図１９】実施例１９（ズーム光学系）のレンズ断面図である。
【図２０】実施例２０（ズーム光学系）のレンズ断面図である。
【図２１】実施例２１（撮像光学系）のレンズ断面図である。
【図２２】実施例２２（ズーム光学系）のレンズ断面図である。
【図２３】実施例２３（ズーム光学系）のレンズ断面図である。
【図２４】実施例２４（ズーム光学系）のレンズ断面図である。
【図２５】実施例２５（ズーム光学系）のレンズ断面図である。
【図２６】実施例２６（ズーム光学系）のレンズ断面図である。
【図２７】実施例２７（ズーム光学系）のレンズ断面図である。
【図２８】実施例２８（撮像光学系）のレンズ断面図である。
【図２９】実施例１（ズーム光学系）の収差図である。
【図３０】実施例２（ズーム光学系）の収差図である。
【図３１】実施例３（ズーム光学系）の収差図である。
【図３２】実施例４（ズーム光学系）の収差図である。
【図３３】実施例５（ズーム光学系）の収差図である。
【図３４】実施例６（ズーム光学系）の収差図である。
【図３５】実施例７（ズーム光学系）の収差図である。
【図３６】実施例８（ズーム光学系）の収差図である。
【図３７】実施例９（撮像光学系）の収差図である。
【図３８】実施例１０（ズーム光学系）の収差図である。
【図３９】実施例１１（撮像光学系）の収差図である。
【図４０】実施例１２（ズーム光学系）の収差図である。
【図４１】実施例１３（撮像光学系）の収差図である。
【図４２】実施例１４（ズーム光学系）の収差図である。
【図４３】実施例１５（撮像光学系）の収差図である。
【図４４】実施例１６（ズーム光学系）の収差図である。
【図４５】実施例１７（撮像光学系）の収差図である。
【図４６】実施例１８（撮像光学系）の収差図である。
【図４７】実施例１９（ズーム光学系）の収差図である。
【図４８】実施例２０（ズーム光学系）の収差図である。
【図４９】実施例２１（撮像光学系）の収差図である。
【図５０】実施例２２（ズーム光学系）の収差図である。
【図５１】実施例２３（ズーム光学系）の収差図である。
【図５２】実施例２４（ズーム光学系）の収差図である。
【図５３】実施例２５（ズーム光学系）の収差図である。
【図５４】実施例２６（ズーム光学系）の収差図である。
【図５５】実施例２７（ズーム光学系）の収差図である。
【図５６】実施例２８（撮像光学系）の収差図である。
【図５７】撮像装置の断面図である。
【図５８】撮像装置の前方斜視図である。
【図５９】撮像装置の後方斜視図である。
【図６０】撮像装置の主要部の内部回路の構成ブロック図である。
【発明を実施するための形態】
【００３０】
実施例の説明に先立ち、本発明のある態様にかかる実施形態の作用効果を説明する。なお、本実施形態の作用効果を具体的に説明するに際しては、具体的な例を示して説明することになる。しかし、後述する実施例の場合と同様に、それらの例示される態様はあくまでも本発明に含まれる態様のうちの一部に過ぎず、その態様には数多くのバリエーションが存在する。したがって、本発明は例示される態様に限定されるものではない。
【００３１】
第１実施形態のズーム光学系から第３実施形態のズーム光学系（以下、「本実施形態のズーム光学系」という）の基本構成について説明する。
【００３２】
本実施形態のズーム光学系の基本構成は、最も物体側に配置された前側レンズ群と、中間レンズ群と、最も像側に配置された後側レンズ群と、を有し、前側レンズ群は、物体側から順に、正屈折力の第１前群と、負屈折力の第２前群と、からなり、第１前群と第２前群は、それぞれ、正レンズと、負レンズと、を有し、第１前群と第２前群との間隔は、広角端よりも望遠端で広く、中間レンズ群は、物体側から順に、正屈折力の第１中間群と、負屈折力の第２中間群と、からなり、第１中間群は、正レンズと、負レンズと、を有し、第１中間群と第２前群との間隔は、広角端よりも望遠端で狭く、第２中間群と第２中間群の像側に隣接するレンズ群との間隔は、ズーム時又はフォーカス時に変化し、第２中間群は、遠点から近点へのフォーカス時に像側に移動し、後側レンズ群は、正レンズと、負レンズと、を有し、以下の条件式（１）を満足する。
０．９≦ＬＴＬT／ＬＴＬW≦１．１７      （１）
ここで、
ＬＴＬWは、広角端におけるズーム光学系の全長、
ＬＴＬTは、望遠端におけるズーム光学系の全長、
全長は、最も物体側に位置するレンズ面から像面までの距離、
である。
【００３３】
半画角が５度以下、又は４度以下のズーム光学系は、望遠ズーム又は超望遠ズームと呼ばれる。このようなズーム光学系において優れた機動性を確保するためには、光学系の全長短縮と軽量化が重要となる。また、フォーカススピードをより速めることも、優れた機動性の確保のために重要となる。
【００３４】
また、ズーム光学系では、優れた機動性に加えて、ズーム域の全域とフォーカス域の全域の両方で、良好な結像性能を備えていることが重要である。良好な結像性能を確保するには、球面収差の補正と色収差の補正が極めて重要となる。
【００３５】
基本構成では、前側レンズ群は、物体側から順に、正屈折力の第１前群と、負屈折力の第２前群と、からなり、第１前群と第２前群は、それぞれ、正レンズと、負レンズと、を有する。このようにすることで、それぞれのレンズ群内での色収差の発生を軽減することができる。その結果、ズーム時の軸上色収差の発生や軸外色収差の発生を抑制することができる。
【００３６】
第１前群と第２前群との間隔は、広角端よりも望遠端で広い。このようにすることで、主に、変倍作用を高めると共に、望遠端付近でのテレフォト作用を強めることができる。このような構成は、高い変倍比の確保と、光学系の全長短縮に寄与する。
【００３７】
中間レンズ群は、物体側から順に、正屈折力の第１中間群と、負屈折力の第２中間群と、からなり、第１中間群は、正レンズと、負レンズと、を有し、第１中間群と第２前群との間隔は、広角端よりも望遠端で狭く、第２中間群と第２中間群の像側に隣接するレンズ群との間隔は、ズーム時又はフォーカス時に変化し、第２中間群は、遠点から近点へのフォーカス時に像側に移動する。
【００３８】
第１中間群は、光学系の全長短縮と、ズーム域の全域での球面収差の発生に大きく寄与する。第１中間群の屈折力を大きくすることで、光学系の全長短縮を行うことができる。ただし、第１中間群の屈折力を大きくすると、球面収差の発生が大きくなる。
【００３９】
第１中間群が正レンズと負レンズを少なくとも有することで、第１中間群の屈折力を大きくして光学系の全長短縮を行う場合であっても、球面収差の発生と軸上色収差の発生を抑制することができる。
【００４０】
また、第２中間群が負屈折力を持つことで、球面収差の補正効果が得られる。そして、負屈折力を大きくすることで、球面収差の補正効果を更に高めることができる。これにより、第１中間群の屈折力を更に大きくして光学系の全長短縮を行っても、第１中間群で発生した球面収差を補正することができる。
【００４１】
また、フォーカス時に像面位置が変動する場合、第２中間群と第２中間群の像側に隣接するレンズ群との間隔を変化させることで、第２中間群の小径化と、像面位置の補正効果の向上を行うことができる。ズーム時にも、像面位置の変動が生じる場合がある。２つのレンズ群の間隔の変化を、第２中間群の小径化と、ズーム時の像面位置の補正効果の向上に利用しても良い。
【００４２】
また、第２中間群の負屈折力を大きくすると、上述のように、球面収差の補正効果が更に高まるだけでなく、第２中間群の像面位置の補正効果が高まる。第２中間群における像面位置の補正効果の向上は、像面位置の補正感度の向上、すなわち、像面位置の補正における第２中間群の移動量の減少につながる。
【００４３】
全長が短縮された光学系では、レンズ群の移動量が限られる。第２中間群の移動量を減らすことで、ズーム時の光学系の全長の変動を軽減できる。これにより、重心位置の変動を減らすことができる。その結果、安定した撮影を行うことができる。
【００４４】
第２中間群は、遠点から近点へのフォーカス時に像側に移動する。このように、第２中間群はフォーカス群として機能する。上述のように、第２中間群は小径化することができる。よって、フォーカス群の軽量化と移動量の軽減が可能になる。
【００４５】
第１前群は正屈折力を有し、第２前群は負屈折力を有し、第１中間群は正屈折力を有する。よって、ズーム光学系は、屈折力の並びが正、負、正となる部分を有する。このような屈折力の並びにおいて、第１前群と第２前群との間隔は広角端よりも望遠端で広く、第１中間群と第２前群との間隔は広角端よりも望遠端で狭くなっている。
【００４６】
このようにすることで、ズーム域の全域で、第１中間群内の光線をアフォーカルに近い状態とすることが容易になる。これにより、第１中間群から像面までの間で、ズーム時の光線角の変動と光線高の変動とを減らすことができる。
【００４７】
この場合、球面収差の変動や像面湾曲の変動をズーム域の全域で減らすことができるため、第２中間群のレンズ枚数の削減が容易になる。更に、フォーカス時やズーム時に、第２中間群の移動による収差変動も減らすことができるため、第２中間群のレンズ枚数の削減がより容易になる。
【００４８】
上述のように、第２中間群はフォーカス群として機能する。第２中間群のレンズ枚数の削減により、フォーカス群の軽量化がより容易になるので、フォーカススピードをより速めることが容易になる。よって、迅速なフォーカシングが可能になる。
【００４９】
後側レンズ群は、正レンズと、負レンズと、を有する。このようにすることで、以下の所定の効果が得られる。
【００５０】
光学系の全長を短縮すると、第１前群で、主に正の歪曲収差が発生する。この正の歪曲収差を、後側レンズ群の正レンズにより良好に補正することができる。また、後側レンズ群の負レンズにより、倍率色収差の補正効果を高めることができる。前側レンズ群では、倍率色収差が残存する。そこで、後側レンズ群の負レンズにより、倍率色収差を良好に補正することができる。
【００５１】
前側レンズ群、特に第１前群は、光学系の全長短縮と色収差の補正を負担している。後側レンズ群が正レンズと負レンズを備えることで、第１前群における負担を後側レンズ群に分散させることができる。その結果、光学系の小型化と高い結像性能の確保が達成できる。
【００５２】
また、第１前群ではレンズの径が大きいため、第１前群は重たいレンズ群になっている。第１前群における負担が分散されることで、第１前群におけるレンズの枚数の削減ができる。また、選定可能なガラスの種類が増えるので、より低比重のガラスを第１前群に使用することができる。その結果、第１前群の軽量化が容易になる。
【００５３】
望遠ズームや超望遠ズームでは、最も物体側のレンズ群の径が大きくなる。そのため、最も物体側のレンズ群の重量が、他のレンズ群に比べて非常に大きくなる。ズーム時、重たいレンズ群が大きく動くと、レンズ群の移動前と移動後とでの重心位置の変動が大きくなる。重心位置の大きな変動は、撮影時の像ズレの原因となる。このように、最も物体側のレンズ群の移動は、安定した撮影の妨げになる。
【００５４】
また、レンズ群の移動では、レンズ群を保持する鏡筒を、円筒部材に対して移動させる。円筒部材は、鏡筒の外側に配置されている。鏡筒は円筒部材の内周面に沿って移動する。そのため、レンズ群の移動の際には、機械的な抵抗が少なからず生じる。重たいレンズ群が移動すると、機械的な抵抗が大きくなる。機械的な抵抗が大きくなると、撮像装置の操作性が悪くなる。よって、最も物体側のレンズ群の移動は、良好な操作性の実現の妨げになる。
【００５５】
基本構成では、最も物体側に第１前群が位置している。そこで、基本構成では、上述の影響を少なくするため、又はこの影響を無くすため、ズーム時の第１前群の移動量を規制している。
【００５６】
条件式（１）の下限値を下回るか、又は上限値を上回ると、ズーム時の重心位置の変動と駆動抵抗が大きくなる。そのため、安定して撮影を行うことや、良好な操作性を実現することが難しくなる。条件式（１）の値が１のとき、ズーム光学系の全長はズーム時に変化しない。すなわち、ズーム光学系では、光学系の全長が固定されている。
【００５７】
基本構成では、ズーム時に、第１中間群と第２中間群のどちらか一方を、移動させることができる。
【００５８】
重心位置の変動の抑制と駆動抵抗は、中間レンズ群によって得られる効果を高めることで、より容易に低減することができる。第１中間群と第２中間群のどちらか一方を移動させることで、中間レンズ群によって得られる効果をより高めることができる。すなわち、ズーム時の像面位置の変動を、より良く補正することができる。また、光学系の全長の変動を少なくすること、又は、光学系の全長を固定することが容易になる。
【００５９】
第１実施形態のズーム光学系は、上述の基本構成を備えると共に、以下の条件式（２）を満足することを特徴とする。
４．２≦ＫＭＢT≦２０．０      （２）
ここで、
ＫＭＢT＝｜ＭＧMBTback２×（ＭＧMBT２−１）｜、
ＭＧMBTbackは、望遠端における第１の所定の光学系の横倍率、
ＭＧMBTは、望遠端における第２中間群の横倍率、
第１の所定の光学系は、第２中間群よりも像側に位置する全てのレンズで構成された光学系、
横倍率は、無限遠物点合焦時の横倍率、
である。
【００６０】
条件式（２）の下限値を下回ると、第２中間群での像面位置の補正効果が弱まってしまう。この場合、ズーム時の光学系の全長の変動が大きくなる。この場合、重心位置の変動を減らすことが困難になるため、安定した撮影が難しくなる。
【００６１】
条件式（２）の上限値を上回ると、第２中間群の位置誤差による結像位置の誤差が大きくなる。そのため、鮮明な光学像が得られなくなる。
【００６２】
第２実施形態のズーム光学系は、上述の基本構成を備えると共に、第１中間群から像面までの間にブレ補正レンズ群を有し、ブレ補正レンズ群が光軸に対して垂直な方向に移動することで、像ブレが補正されることを特徴とする。
【００６３】
レンズ群を光軸と垂直な方向に移動させることで、手ブレにより発生する結像位置のシフト（以下、「像ブレ」という）を補正することができる。このとき、移動させるレンズ群（以下、「ブレ補正レンズ群」という）が小型で軽量だと、像ブレの補正を素早く行うことができる。また、レンズ群の移動による収差の変動が少ないと、結像性能の劣化を抑制することができる。
【００６４】
上述のように、基本構成では、第１中間群から像面までの間では、ズーム時、光線角の変動と光線高の変動が少なくなっている。そのため、第１中間群から像面までの間でレンズ群が移動しても、レンズ群の移動によって生じる収差変動は少ない。
【００６５】
そこで、第１中間群から像面までの間にブレ補正レンズ群を配置し、ブレ補正レンズ群を光軸に対して垂直な方向に移動させる。このようにすることで、像ブレが生じても、ズーム域の全域で、安定した結像性能を確保しつつ、像ブレを補正することができる。
【００６６】
また、第１中間群から像面までの間では、結像光学系が形成されている。結像光学系では、ズーム域の全域で光線高の変化が少ない。そのため、第１中間群から像面までの間にブレ補正レンズ群を配置すると、ブレ補正レンズ群の小径化が可能になる。ブレ補正レンズ群が小径化できると、ブレ補正レンズ群の応答性を高めるこができる。その結果、像ブレを、高速で補正することができる。
【００６７】
ブレ補正レンズ群の屈折力は負屈折力にすることができる。上述のように、第１中間群から像面までの間では、結像光学系が形成されている。結像光学系の屈折力は正屈折力であるので、ブレ補正レンズ群の屈折力は負屈折力にすると、正屈折力の光学系中に負屈折力のブレ補正レンズ群が配置されることになる。
【００６８】
このようにすることで、ブレ補正レンズ群のシフト量に対する結像位置のシフト量（以下、「ブレ補正感度」という）を、大きくすることができる。すなわち、ブレ補正レンズ群のシフト量を小さくすることができる。その結果、像ブレを、高速で補正することができる。
【００６９】
また、結像光学系では光束が収斂されている。よって、結像光学系中にブレ補正レンズ群を配置することにより、ブレ補正レンズ群の小径化が図れる。これにより、より軽量でブレ補正感度の高いブレ補正レンズ群を実現することができる。すなわち、ブレ補正レンズ群の応答性を高めることができる。その結果、像ブレを、高速で補正することができる。
【００７０】
第３実施形態のズーム光学系は、上述の基本構成を備えると共に、第１中間群から像面までの間にブレ補正レンズ群を有し、ブレ補正レンズ群が光軸に対して垂直な方向に移動することで、像ブレが補正され、以下の条件式（２’）を満足することを特徴とする。
２．５≦ＫＭＢT≦２０．０      （２’）
ここで、
ＫＭＢT＝｜ＭＧMBTback２×（ＭＧMBT２−１）｜、
ＭＧMBTbackは、望遠端における第１の所定の光学系の横倍率、
ＭＧMBTは、望遠端における第２中間群の横倍率、
第１の所定の光学系は、第２中間群よりも像側に位置する全てのレンズで構成された光学系、
横倍率は、無限遠物点合焦時の横倍率、
である。
【００７１】
ブレ補正レンズ群を配置することによる作用効果は、上述の通りである。条件式（２’）の技術的意義は、条件式（２）の技術的意義と同じである。
【００７２】
第２実施形態のズーム光学系と第３実施形態のズーム光学系は、以下の条件式（２）を満足することが好ましい。
４．２≦ＫＭＢT≦２０．０      （２）
ここで、
ＫＭＢT＝｜ＭＧMBTback２×（ＭＧMBT２−１）｜、
ＭＧMBTbackは、望遠端における第１の所定の光学系の横倍率、
ＭＧMBTは、望遠端における第２中間群の横倍率、
第１の所定の光学系は、第２中間群よりも像側に位置する全てのレンズで構成された光学系、
横倍率は、無限遠物点合焦時の横倍率、
である。
【００７３】
条件式（２）の技術的意義は上述の通りである。
【００７４】
本実施形態のズーム光学系は、以下の条件式（３）を満足することが好ましい。
０．４５≦ｆFB／ｆMB≦３．０      （３）
ここで
ｆFBは、第２前群の焦点距離、
ｆMBは、第２中間群の焦点距離、
である。
【００７５】
条件式（３）の下限値を下回ると、第２中間群での像面位置の補正効果が弱まってしまう。この場合、フォーカス時の第２中間群の移動量が大きくなる。そのため、光学系の小型化が困難となる。又は、第２前群での球面収差の発生が大きくなる。そのため、良好な結像性能が得られない。
【００７６】
条件式（３）の上限値を上回ると、第２中間群での球面収差の発生が大きくなる。そのため、良好な結像性能が得られない。
【００７７】
本実施形態のズーム光学系は、以下の条件式（４）を満足することが好ましい。
０．７≦ＬＴＬT／ｆFF≦３．０      （４）
ここで
ＬＴＬTは、望遠端におけるズーム光学系の全長、
ｆFFは、第１前群の焦点距離、
全長は、最も物体側に位置するレンズ面から像面までの距離、
である。
【００７８】
条件式（４）の下限値を下回ると、第１中間群から後側レンズ群までの間に位置する正屈折力のレンズ群の屈折力が大きくなりすぎる。そのため、球面収差の補正が困難となる。
【００７９】
条件式（４）の上限値を上回ると、第１前群での球面収差の発生が大きくなる。そのため、良好な結像性能が得られない。
【００８０】
第１実施形態のズーム光学系は、第１中間群から像面までの間にブレ補正レンズ群を有し、ブレ補正レンズ群が光軸に対して垂直な方向に移動することで、像ブレが補正されることが好ましい。
【００８１】
ブレ補正レンズ群を配置することによる作用効果は、上述の通りである。
【００８２】
本実施形態のズーム光学系は、以下の条件式（５）を満足することが好ましい。
０．７≦ＫIST≦３．５      （５）
ここで
ＫIST＝｜ＭＧISTback×（ＭＧIST−１）｜、
ＭＧISTbackは、望遠端における第２の所定の光学系の横倍率、
ＭＧISTは、望遠端におけるブレ補正レンズ群の横倍率、
第２の所定の光学系は、ブレ補正レンズ群よりも像側に位置する全てのレンズで構成された光学系、
横倍率は、無限遠物点合焦時の横倍率、
である。
【００８３】
条件式（５）の下限値を下回ると、像ブレ補正の効果を十分に得るために、ブレ補正レンズ群の移動量を大きくしなければならない。そのため、ズーム光学系の径が大きくなってしまう。
【００８４】
条件式（５）の上限値を上回ると、ブレ補正レンズ群での球面収差の発生や、非点収差の発生が大きくなってしまう。そのため、像ブレ補正時の結像性能の低下が大きくなる。
【００８５】
本実施形態のズーム光学系は、以下の条件式（６）を満足することが好ましい。
０．０６≦ΔＭＶFB／ＬＴＬT≦０．４５      （６）
ここで、
ΔＭＶFBは、ズーム時における第２前群の最大移動量、
ＬＴＬTは、望遠端におけるズーム光学系の全長、
全長は、最も物体側に位置するレンズ面から像面までの距離、
である。
【００８６】
条件式（６）の下限値を下回ると、十分な変倍比、例えば、２倍を超える変倍比が得られにくくなる。そのため、様々な撮影シーンに対応することができなくなる。又は、光学系の全長が長くなりすぎる。そのため、機動性が悪くなる。
【００８７】
条件式（６）の上限値を上回ると、光学系の全長に対して第２前群の移動量が大きくなりすぎてしまう。そのため、第２前群の全長が長くなる。
【００８８】
本実施形態のズーム光学系は、以下の条件式（７）を満足することが好ましい。
１．６≦｜ｆFF／ｆFB｜≦５．０      （７）
ここで
ｆFFは、第１前群の焦点距離、
ｆFBは、第２前群の焦点距離、
である。
【００８９】
条件式（７）の下限値を下回ると、第１前群の屈折力が大きくなる。この場合、第１前群の重量が増加するため、光学系の軽量化が困難になる。条件式（７）の上限値を上回ると、テレフォト構成による効果が弱まる。そのため、光学系の全長短縮が困難になる。
【００９０】
本実施形態のズーム光学系は、以下の条件式（８）を満足することが好ましい。
０．４≦｜ｆMF／ｆMB｜≦３．５      （８）
ここで
ｆMFは、第１中間群の焦点距離、
ｆMBは、第２中間群の焦点距離、
である。
【００９１】
条件式（８）の下限値を下回ると、第２中間群での球面収差の補正効果が弱まってしまう。そのため、球面収差がアンダーに発生する傾向が強まる。条件式（８）の上限値を上回ると、第２中間群での球面収差の補正効果が強まってしまう。そのため、球面収差がオーバーに発生する傾向が強まる。よって、条件式（８）の下限値を下回ることや、条件式（８）の上限値を上回ることは好ましくない。
【００９２】
本実施形態のズーム光学系では、ズーム時とフォーカス時、ズーム光学系の全長は変わらないことが好ましい。
【００９３】
望遠ズームや超望遠ズームでは、最も物体側のレンズ群の径が大きくなる。そのため、最も物体側のレンズ群の重量が、他のレンズ群に比べて非常に大きくなる。ズーム時、重たいレンズ群が大きく動くと、レンズ群の移動前と移動後とでの重心位置の変動が大きくなる。重心位置の大きな変動は、撮影時の像ズレの原因となる。このように、最も物体側のレンズ群の移動は、安定した撮影の妨げになる。
【００９４】
第１前群は、最も物体側に位置している。ズーム時とフォーカス時に、ズーム光学系の全長が変わらないようにすることで、第１前群の位置が常に固定された状態にすることができる。これにより、ズーム域の全域とフォーカス域の全域の両方で、重心位置の変動を少なくすることができる。その結果、より安定した撮影を行うことができる。
【００９５】
また、第１前群を安定して保持することができるので、ズーム域の全域とフォーカス域の全域の両方で、安定した結像性能を確保することができる。
【００９６】
本実施形態のズーム光学系では、ズーム時、後側レンズ群の位置は固定であることが好ましい。
【００９７】
例えば、ゴミ、埃、又は湿気の光学系への進入は、結像性能の劣化につながる。後側レンズ群の位置を固定とすることで、簡単な構造で、像側からのゴミ、埃、又は湿気の進入を防ぐことが容易になる。
【００９８】
本実施形態のズーム光学系では、ズーム時とフォーカス時、第１中間群の位置は固定であることが好ましい。
【００９９】
第１中間群は、光学系の全長短縮と、ズーム域の全域での球面収差の発生に大きく寄与する。このため、第１中間群でシフトによる誤差やチルトによる誤差が生じると、これらの誤差によって、結像性能が劣化する。シフトによる誤差やチルトによる誤差は、第１中間群の移動によって生じる。第１中間群の位置を固定とすることで、これらの誤差の発生を防止することができる。その結果、安定した結像性能が得られる。
【０１００】
本実施形態のズーム光学系では、ズーム時、第１中間群は移動することが好ましい。
【０１０１】
第１中間群は、光学系の全長短縮と、ズーム域の全域での球面収差の発生に大きく寄与する。このため、第１中間群でシフトによる誤差やチルトによる誤差が生じると、これらの誤差によって、結像性能が劣化する。
【０１０２】
しかしながら、第１中間群を移動させると、球面収差の補正効果と像面位置の補正効果を高めることができる。そこで、高い位置精度を確保した上で、第１中間群を移動させる。このようにすることで、球面収差の補正効果と像面位置の補正効果を高めることができる。
【０１０３】
本実施形態のズーム光学系では、ズーム時、２つのレンズ群のみが移動することが好ましい。
【０１０４】
移動させるレンズ群の数を多くすると、高い結像性能の維持が容易になる。しかしながら、このようにすると、シフトによる誤差、チルトによる誤差、或いは光軸位置ズレの誤差の影響が大きくなる。これらの誤差は、結像性能の低下に影響を及ぼす。
【０１０５】
また、ズーム時の重心位置の変動が大きいと、安定した撮影を行うことが困難になる。よって、ズーム時の重心位置の変動を減らすことが重要である。そのためには、光学系の全長の変動の低減が必要となる。移動させるレンズ群の数を多くすると、全長の変動の低減が容易になる。
【０１０６】
このように、ズーム時に移動させるレンズ群の数は、高い結像性能の維持、結像性能の低下の抑制、及び光学系の全長の変動の低減を考慮して決めることが望ましい。
【０１０７】
結像性能の低下の抑制を重視する場合、ズーム時に移動させるレンズ群の数は、２つのみにすることが好ましい。２つのレンズ群のみを移動させることで、ズーム時の重心位置の変動も、ある程度少なくすることができる。
【０１０８】
本実施形態のズーム光学系は、第１前群、第２前群、第１中間群、第２中間群、及び後側レンズ群を備えているので、２つのレンズ群のみを移動させることが可能な構成になっている。よって、本実施形態のズーム光学系では、上述の誤差による結像性能の低下を抑えつつ、光学系の全長の変動を、ある程度少なくすることができる。
【０１０９】
本実施形態のズーム光学系では、ズーム時、３つのレンズ群のみが移動することが好ましい。
【０１１０】
高い結像性能の維持と光学系の全長の変動の低減を重視する場合、ズーム時に移動させるレンズ群の数は、３つのみにすることが好ましい。３つのレンズ群のみを移動させることで、高い結像性能を維持しつつ、光学系の全長の変動も少なくすることができる。
【０１１１】
また、移動するレンズ群の数が増えることで、２つのレンズ群のみを移動させる場合に比べて、各レンズ群の移動量を少なくすることができる。そのため、上述の誤差による結像性能の低下を、ある程度抑制することができる。
【０１１２】
本実施形態のズーム光学系は、第１前群、第２前群、第１中間群、第２中間群、及び後側レンズ群を備えているので、３つのレンズ群のみを移動させることが可能な構成になっている。よって、本実施形態のズーム光学系では、高い結像性能の維持と光学系の全長の変動の低減とを、両立させることができ、しかも、結像性能の低下も抑えることができる。
【０１１３】
本実施形態のズーム光学系では、ズーム時、４つのレンズ群のみが移動することが好ましい。
【０１１４】
高い結像性能の維持と光学系の全長の変動の低減を更に重視する場合、ズーム時に移動させるレンズ群の数は、４つのみにすることが好ましい。４つのレンズ群のみを移動させることで、更に高い結像性能を維持しつつ、光学系の全長の変動も非常に少なくすることができる。
【０１１５】
また、移動するレンズ群の数が増えることで、２つのレンズ群のみを移動させる場合や３つのレンズ群のみを移動させる場合に比べて、各レンズ群の移動量を少なくすることができる。そのため、上述の誤差による結像性能の低下を、更に抑制することができる。
【０１１６】
第１中間群は、球面収差の補正効果が大きい。第１中間群を移動させることで、光学系の全長短縮が容易になる。
【０１１７】
本実施形態のズーム光学系は、第１前群、第２前群、第１中間群、第２中間群、及び後側レンズ群を備えているので、４つのレンズ群のみを移動させることが可能な構成になっている。よって、本実施形態のズーム光学系では、より高い結像性能の維持と光学系の全長の変動の更なる低減とを、両立させることができ、しかも、結像性能の低下もより抑えることができる。
【０１１８】
本実施形態のズーム光学系では、ズーム時に移動するレンズ群は、負屈折力を有するレンズ群のみであることが好ましい。
【０１１９】
本実施形態のズーム光学系では、正屈折力の第１前群と正屈折力の第１中間群は、光学系の全長の短縮に関与している。負屈折力のレンズ群は、これらの正屈折力のレンズ群の像側に配置されている。そのため、負屈折力のレンズ群は、ズーム光学系を構成するレンズ群の中で、小径化と軽量化とが図れるレンズ群となる。
【０１２０】
このように、ズーム時に移動するレンズ群を負屈折力を有するレンズ群のみにすることで、移動機構に対するズーム時の負荷を軽減できると共に、重心変動の少ない機動性の優れたズーム光学系を構成することができる。
【０１２１】
本実施形態のズーム光学系は、中間レンズ群と後側レンズ群との間に、移動レンズ群を有し、移動レンズ群は、ズーム時又はフォーカス時に移動することが好ましい。
【０１２２】
ズーム時又はフォーカス時、第２中間群では、非点収差の変動が発生し易い。第２中間群の像側の近傍に移動レンズ群を配置することで、非点収差の変動を良好に補正することができる。更に、移動レンズ群をズーム時に移動させることで、非点収差の変動の補正効果をより高めることができる。
【０１２３】
本実施形態のズーム光学系では、移動レンズ群は、負屈折力を有することが好ましい。
【０１２４】
移動レンズ群の屈折力を負屈折力とすることで、移動レンズ群の小径化と軽量化を図ることができる。移動レンズ群をズーム時に移動させることで、非点収差の変動の補正効果をより高めることができる。
【０１２５】
本実施形態のズーム光学系では、移動レンズ群は正屈折力を有し、ズーム時に移動することが好ましい。
【０１２６】
移動レンズ群の屈折力を正屈折力とすることで、移動レンズ群よりも像側に位置するレンズの小径化と軽量化が図れる。
【０１２７】
移動レンズ群は、中間レンズ群と後側レンズ群との間に配置されている。よって、移動レンズ群は、中間レンズ群の像側に位置する。ズーム時に、第２中間群では、非点収差の変動が生じる。移動レンズ群を第２中間群の近傍に配置することで、この非点収差の変動を抑制することができる。更に、ズーム時に移動レンズ群を移動させることで、非点収差の変動をより抑制することができる。
【０１２８】
また、第２中間群における非点収差の変動は、フォーカス時に生じる場合がある。このような場合も、移動レンズ群を第２中間群の近傍に配置することで、非点収差の変動を抑制することができる。
【０１２９】
本実施形態のズーム光学系では、フォーカス時、第２中間群以外のレンズ群が１つ移動することが好ましい。
【０１３０】
このようにすると、近距離物点へのフォーカス時に、高い結像性能を確保することが容易になる。
【０１３１】
特に、第１中間群から後側レンズ群までの間では、レンズの径が小さい。よって、第２中間群以外のレンズ群を移動させる場合、第１中間群から後側レンズ群までの間のレンズ群を移動させると良い。このようにすることで、ズーム域の全域で、安定した結像性能を確保することが容易になる。
【０１３２】
また、移動させるレンズ群は、第２中間群のすぐ像側に位置するレンズ群にすることができる。この場合、移動させるレンズ群は、第２中間群と後側レンズ群の間に位置する。移動させるレンズ群によって各種の収差を補正することができるので、第２中間群で残存する非点収差の補正が容易になる。
【０１３３】
また、移動させるレンズ群の屈折力は、負屈折力とすることができる。このようにすると、移動させるレンズ群の小径化と軽量化を図ることができる。
【０１３４】
本実施形態のズーム光学系では、ブレ補正レンズ群は、第１中間群に配置されていることが好ましい。
【０１３５】
第１中間群の正屈折力は、大きくすることができる。この場合、ブレ補正レンズ群は、大きな正屈折力のレンズ群内に配置されることになる。そのため、像ブレが生じても、ズーム域の全域で、更に安定した結像性能を確保しつつ、像ブレを補正することができる。また、像ブレを、より高速で補正することができる。
【０１３６】
ブレ補正レンズ群の屈折力は負屈折力にすることができる。このようにすることで、安定した結像性能を確保する効果と、像ブレを高速で補正する効果を、より高めることができる。
【０１３７】
第１中間群は、２つの副群と補正レンズ群とで構成することができる。この場合、一方の副群を、ブレ補正レンズ群より物体側に位置させ、他方の副群を、ブレ補正レンズ群より像側に位置させると良い。
【０１３８】
このような構成でブレ補正レンズ群の屈折力を負屈折力にする場合、２つの副群の屈折力を正屈折力にすると良い。このようにすることで、ブレ補正感度を高めることがより容易になる。また、ブレ補正レンズ群が小径化できるので、ブレ補正レンズ群の軽量化を図ることができる。その結果、像ブレを、高速で補正することができる。
【０１３９】
本実施形態のズーム光学系では、ブレ補正レンズ群は、後側レンズ群に配置されていることが好ましい。
【０１４０】
後側レンズ群は最も像側に位置するので、後側レンズ群の位置では軸上光束径が小さくなっている。よって、後側レンズ群の位置でレンズを移動させても、球面収差への影響は、他のレンズ群でレンズを移動させる場合に比べて比較的少ない。後側レンズ群内にブレ補正レンズ群を配置することで、ブレ補正レンズ群を移動させても、移動時の球面収差の悪化を抑制することができる。
【０１４１】
後側レンズ群は、１つの副群と補正レンズ群とで構成することができる。この場合、副群は、補正レンズ群より物体側に位置していても、像側に位置していても良い。
【０１４２】
又は、後側レンズ群は、２つの副群と補正レンズ群とで構成することができる。この場合、一方の副群を、ブレ補正レンズ群より物体側に位置させ、他方の副群は、ブレ補正レンズ群より像側に位置させると良い。
【０１４３】
このような構成でブレ補正レンズ群の屈折力を負屈折力にする場合、副群の屈折力は正屈折力にすると良い。このようにすることで、高いブレ補正感度の確保と、ブレ補正レンズ群の移動時の像面の倒れの補正が容易になる。
【０１４４】
本実施形態のズーム光学系は、物体側から順に、第１前群と、第２前群と、第１中間群と、第２中間群と、後側レンズ群と、からなることが好ましい。
【０１４５】
このような構成にすることで、少ない数のレンズ群でありながら、光学系の全長短縮と軽量化、フォーカススピードの高速化、及びズーム時とフォーカス時での良好な結像性能の確保を実現することができる。
【０１４６】
本実施形態のズーム光学系は、物体側から順に、第１前群と、第２前群と、第１中間群と、第２中間群と、負屈折力の移動レンズ群と、後側レンズ群と、からなることが好ましい。
【０１４７】
このような構成にすることで、少ない数のレンズ群でありながら、光学系の全長短縮と軽量化、フォーカススピードの高速化、及びズーム時とフォーカス時での良好な結像性能の確保を実現することができる。
【０１４８】
本実施形態のズーム光学系は、物体側から順に、第１前群と、第２前群と、第１中間群と、第２中間群と、正屈折力の移動レンズ群と、後側レンズ群と、からなることが好ましい。
【０１４９】
このような構成にすることで、少ない数のレンズ群でありながら、光学系の全長短縮と軽量化、フォーカススピードの高速化、及びズーム時とフォーカス時での良好な結像性能の確保を実現することができる。
【０１５０】
本実施形態のズーム光学系では、広角端から望遠端へのズーム時、第２前群は像側に移動し、ズーム時とフォーカス時、第１中間群の位置は固定であることが好ましい。
【０１５１】
第１前群はできるだけ移動させない方が好ましい。ただし、広角端から望遠端へのズーム時、第１前群は物体側に移動させることができる。このとき、第２前群を像側に移動させることで、第１前群の物体側への移動量を減らすことができる。その結果、光学系の小型化ができる。
【０１５２】
第１中間群は、球面収差の発生への寄与が大きい。ズーム時とフォーカス時、第１中間群の位置を固定することで、球面収差に起因する結像性能の低下を防ぎ易くなる。
【０１５３】
本実施形態のズーム光学系では、ズーム時、第２中間群と移動レンズ群とが移動することが好ましい。
【０１５４】
このようにすることで、ズーム時の非点収差の変動を良好に補正することができる。
【０１５５】
本実施形態のズーム光学系では、広角端から望遠端へのズーム時、第２前群は像側に移動し、ズーム時、第１中間群は、広角端よりも望遠端で物体側に位置するように移動することが好ましい。
【０１５６】
第１前群はできるだけ移動させない方が好ましい。ただし、広角端から望遠端へのズーム時、第１前群を物体側に移動させることができる。このとき、第２前群を像側に移動させることで、第１前群の物体側への移動量を減らすことができる。その結果、光学系の小型化ができる。
【０１５７】
第１中間群は、球面収差の発生への寄与が大きい。第１中間群を移動させると、球面収差の補正効果を高めることができる。そこで、高い位置精度を確保して、ズーム時に第１中間群を移動させる。このとき、第１中間群を広角端よりも望遠端で物体側に位置するように移動させることで、ズーム時の球面収差の補正がより容易になる。
【０１５８】
本実施形態のズーム光学系では、ズーム時、第１前群の位置と第１中間群の位置は、固定であることが好ましい。
【０１５９】
ズーム時に第１前群の位置を固定することで、ズーム光学系の全長が変わらないようにすることができる。これにより、ズーム域の全域で重心位置の変動を少なくすることができる。
【０１６０】
また、第１前群は、重量が大きいレンズ群である。ズーム時に第１前群の位置を固定しておくと、外部からズームレンズ系に衝撃が加わっても、ズームレンズ系の保持を安定して行うことができる。その結果、結像性能の劣化を防げる。
【０１６１】
第１中間群は、ズーム時の球面収差の発生への寄与が大きい。ズーム時に第１中間群の位置を固定することで、結像性能の更なる安定を図ることができる。
【０１６２】
本実施形態のズーム光学系では、開口絞りが、第２前群よりも像側で、且つ、後側レンズ群よりも物体側に配置されていることが好ましい。
【０１６３】
第１中間群から後側レンズ群までの間では、ズーム時の光線角の変動と光線高の変動を減らすことができる。そのため、第１中間群から像面までの間に、開口絞りを配置することが好ましい。第１中間群は、第２前群よりも像側に位置する。そこで、開口絞りを、第２前群よりも像側で、且つ、後側レンズ群よりも物体側に配置する。このようにすることで、ズーム時のＦナンバーの変化を減らすことができる。
【０１６４】
また、倍率色収差の軽減や歪曲収差の軽減のためには、光学系の対称性を確保することが好ましい。光学系の対称性の確保は、例えば、開口絞りより物体側に位置する光学系と、開口絞りより像側に位置する光学系とで、光学系の屈折力や形状が、開口絞りを挟んで略対称になるようにすれば良い。開口絞りを、第２前群よりも像側で、且つ、後側レンズ群よりも物体側に配置することで、光学系の対称性を確保することができる。
【０１６５】
本実施形態のズーム光学系では、ズーム時、開口絞りの位置は、第１中間群に対して固定であることが好ましい。
【０１６６】
このようにすることで、ズーム時のＦナンバーの誤差を減らすことができる。
【０１６７】
開口絞りは、第１中間群の内部に設置することができる。この場合、第１中間群内における開口絞りの位置は、物体に近い場所であると良い。開口絞りをこの場所に配置することで、近距離物点へのフォーカス時に、Ｆナンバーの変化を減らすことができ、また、第１中間群よりも像側での光線高の増加を抑えることができる。
【０１６８】
また、第１中間群内の空気間隔の部分に開口絞りを配置することで、近距離物点へのフォーカス時に、Ｆナンバーの変化と、第２中間群より像側に位置するレンズの径の増大とを、バランスよく抑えることが容易になる。
【０１６９】
ズーム時、開口絞りをレンズ群と一体で移動させると、Ｆナンバーの誤差を減らすことができる。
【０１７０】
本実施形態のズーム光学系では、第１前群は、２つのレンズ成分からなり、レンズ成分では、入射側と射出側のみが空気接触面であり、物体側に位置するレンズ成分は、正屈折力を有し、像側に位置するレンズ成分は、負レンズと、正レンズと、からなることが好ましい。
【０１７１】
物体側に位置するレンズ成分（以下、「レンズ成分FF1a」という）の屈折力を正屈折力にすることで、第１前群全体の正屈折力を大きくすることができる。その結果、光学系の全長短縮を容易にすることができる。
【０１７２】
レンズ成分FF1aでは、物体側のレンズ面を、物体側に凸の面にすることができる。このようにすることで、レンズ成分FF1aの正屈折力を、より大きくすることができる。その結果、光学系の全長短縮をより容易にすることができる。
【０１７３】
像側に位置するレンズ成分（以下、「レンズ成分FF2a」という）を、負レンズと正レンズとで構成することで、負レンズと正レンズにより、軸上色収差を補正すると共に、レンズ成分FF1aで発生した色コマ収差を良好に補正することができる。
【０１７４】
これにより、第１前群で残存する色収差を軽減できるので、第２前群での色収差の補正の必要性が低くなる。その結果、第２前群のレンズ枚数を減らす効果を得ることと、ズーム時に安定した結像性能を得ることが容易になる。
【０１７５】
レンズ成分FF1aは、負レンズと、正レンズと、で構成することができる。このようにすることで、色収差の補正が容易になる。第１前群の重量の増大を抑制することを優先する場合は、レンズ成分FF1aは正の単レンズで構成することが望ましい。
【０１７６】
レンズ成分FF2aでは、負レンズは、物体側に凸面を向けた負メニスカスレンズとすることができる。正レンズは、物体側に凸面を向けた正レンズ、又は、物体側に凸面を向けた正メニスカスレンズにすることができる。このようにすることで、色コマ収差の補正において高い補正効果を得ることができる。
【０１７７】
レンズ成分FF2aでは、負レンズと正レンズとが接合されていると良い。接合レンズにすることは、安定したレンズ保持の為に望ましい。
【０１７８】
レンズ成分FF2aでは、最も物体側のレンズ面を物体側に凸の面とし、最も像側のレンズ面を像側に凹の面とすることができる。このようにすることは、第１前群での球面収差の発生を少なくできるのでより好ましい。
【０１７９】
本実施形態のズーム光学系では、第１前群は、２つのレンズ成分からなり、レンズ成分では、入射側と射出側のみが空気接触面であり、物体側に位置するレンズ成分は、負レンズと、正レンズと、からなり、像側に位置するレンズ成分は、正レンズからなることが好ましい。
【０１８０】
レンズ成分FF1aのレンズ成分を、負レンズと正レンズとで構成することで、高屈折率レンズを使うことができる。そのため、第１前群の屈折力を大きくすることが容易になる。その結果、光学系の全長短縮の効果を高めることができる。
【０１８１】
レンズ成分FF1aでは、負レンズと正レンズとが接合されていると良い。接合レンズにすることは、安定したレンズ保持の為に望ましい。
【０１８２】
本実施形態のズーム光学系では、第１前群に含まれる正レンズの少なくとも１つは、以下の条件式（９）を満足することが好ましい。
８０≦νｄFFp      （９）
ここで
νｄFFpは、第１前群に含まれる正レンズのアッベ数、
である。
【０１８３】
条件式（９）を満足することで、ズーム域の全域で、軸上色収差と倍率色収差を良好に補正することができる。
【０１８４】
本実施形態のズーム光学系では、第１中間群は、最も像側に、正屈折力の像側レンズ成分を有し、像側レンズ成分では、入射側と射出側のみが空気接触面であることが好ましい。
【０１８５】
像側レンズ成分の収斂作用により、第２中間群における光線高を低くすることができる。この場合、第２中間群を小径化できるので、第２中間群を更に軽量化することが容易になる。
【０１８６】
本実施形態のズーム光学系は、以下の条件式（１０）を満足することが好ましい。
０．３≦ｆMFLCi／ｆMF≦３．５      （１０）
ここで
ｆMFLCiは、像側レンズ成分の焦点距離、
ｆMFは、第１中間群の焦点距離、
である。
【０１８７】
条件式（１０）の下限値を下回ると、第１中間群内で物体側に位置するレンズの正屈折力が大きくなりすぎてしまう。そのため、第１中間群内での球面収差の発生が大きくなる。条件式（１０）の上限値を上回ると、像側レンズ成分の収斂作用が弱まってしまう。そのため、第２中間群を小径化する効果が少なくなる。
【０１８８】
本実施形態のズーム光学系では、第１中間群は、開口絞りと、正屈折力の第１副群と、正屈折力の第２副群と、を有し、第１副群は、開口絞りよりも物体側に位置し、第２副群は、開口絞りよりも像側に位置することが好ましい。
【０１８９】
このようにすると、第１中間群では、正屈折力のレンズ群が、開口絞りを挟んで物体側と像側に位置する。この場合、ズーム時、第１中間群を通過する光線の高さの変化を減らすことができる。そのため、第１中間群の小径化が容易になる。
【０１９０】
本実施形態のズーム光学系は、以下の条件式（１１）を満足することが好ましい。
０．２≦ｆMF1／ｆMF2≦４．８      （１１）
ここで、
ｆMF1は、第１副群の焦点距離、
ｆMF2は、第２副群の焦点距離、
である。
【０１９１】
条件式（１１）の下限値を下回ると、第２前群を小径化する効果が弱まる。そのため、フォーカス群の軽量化が難しくなる。条件式（１１）の上限値を上回ると、球面収差の発生が第２副群で大きくなる。この場合、第１中間群内での球面収差の補正が難しくなるので、良好な結像性能が得にくくなる。
【０１９２】
本実施形態のズーム光学系では、第２前群は、２枚の負レンズと、１枚の正レンズと、からなることが好ましい。
【０１９３】
第１前群では、球面収差、非点収差、及び色収差が残存する。第２前群では、これらの収差の補正が、重点的に行われる。これらの収差の補正は、光学系の全長短縮と、ズーム域の全域での良好な結像性能の確保のために有効である。
【０１９４】
上述のように、第１前群を２つのレンズ成分で構成することで、第１前群では、色コマ収差の発生と球面収差の発生が軽減される。そのため、第２前群における収差補正では、重点的に補正する必要がある収差の数を減らすことができる。
【０１９５】
このようなことから、第２前群を２枚の負レンズと１枚の正レンズとで構成しても、球面収差、非点収差、及び色収差を補正することができる。その結果、第２前群では、レンズ枚数の削減効果と重量の低減効果が得られる。
【０１９６】
本実施形態のズーム光学系では、第２中間群は、正レンズと、負レンズと、を有していることが好ましい。
【０１９７】
このようにすることで、第２中間群での色収差の発生を抑制することができる。その結果、良好な結像性能、例えば、フォーカス時の軸上色収差の発生が少ない結像性能が得られる。
【０１９８】
第２中間群は、１枚の正レンズと、１枚の負レンズと、で構成することができる。このようにすることで、フォーカス群の軽量化が図れる。
【０１９９】
第２中間群では、最も像側のレンズ面を像側に凹の面とし、最も像側のレンズ面の曲率半径の絶対値を、最も物体側のレンズ面の曲率半径の絶対値より小さくすることができる。このようにすることで、フォーカス時の球面収差の変動を減らすことができる。そのため、近距離物点にフォーカスした時の結像性能の確保が容易になる。
【０２００】
本実施形態のズーム光学系は、以下の条件式（１２）を満足することが好ましい。
１０≦νｄMBnmax−νｄMBpmin≦５０      （１２）
ここで、
νｄMBnmaxは、第２中間群中の負レンズのアッベ数のうち、最大となるアッベ数、
νｄMBpminは、第２中間群中の正レンズのアッベ数のうち、最小となるアッベ数、
である。
【０２０１】
条件式（１２）の下限値を下回ると、第２中間群での色収差の補正が不足する。そのため、フォーカス時に、軸上色収差の発生による結像性能の劣化が発生する。条件式（１２）の上限値を上回ると、第２中間群での球面収差の補正効果が不足する。そのため、良好な結像性能が得られない。
【０２０２】
本実施形態のズーム光学系では、後側レンズ群の最も像側に、２枚のレンズが配置され、一方のレンズは正レンズで、他方のレンズは負レンズであることが好ましい。
【０２０３】
後側レンズ群の最も像側に、１枚の正レンズと１枚の負レンズとを配置することで、上述の所定の効果を更に高めることができる。
【０２０４】
本実施形態のズーム光学系は、以下の条件式（１３）を満足することが好ましい。
１６≦νｄRni≦２６      （１３）
ここで、
νｄRniは、他方のレンズのアッベ数、
である。
【０２０５】
条件式（１３）の下限値を下回ると、光学系全体で、短波長側での倍率色収差の補正が過剰となる。そのため、上述の所定の効果が得にくくなる。条件式（１３）の上限値を上回ると、光学系全体で、短波長側での倍率色収差の補正効果が弱まる。そのため、上述の所定の効果が得にくくなる。
【０２０６】
本実施形態のズーム光学系では、第１中間群は、アッベ数の値が８０以上の正レンズを、少なくとも２枚有することが好ましい。
【０２０７】
第１中間群の屈折力を大きくすることで、光学系の全長短縮の効果が高まるが、球面収差の発生と軸上色収差の発生が増大する。アッベ数の値が８０以上の正レンズを少なくとも２枚、第１中間群に使用することで、球面収差の発生と軸上色収差の発生を抑制することができる。
【０２０８】
第１中間群に含まれる正レンズを、少なくとも３枚にすることができる。このようにすることで、球面収差の補正を更に容易にすることができる。
【０２０９】
本実施形態のズーム光学系では、ズーム時、第１副群と第２副群との間隔が変化し、第１副群は、広角端より望遠端で物体側に位置するように移動することが好ましい。
【０２１０】
ズーム時に第１副群と第２副群との間隔を変化させることで、ズーム時の球面収差の変動をより少なくできる。その結果、良好な結像性能を得ることが容易になる。また、第１副群を、広角端より望遠端で物体側に位置するように移動することで、変倍作用を高めることができる。このようにすることは、高いズーム比の確保により有効となる。
【０２１１】
ズーム時に第１副群と第２副群との間隔を変化させる場合も、条件式（８）や条件式（１０）を満足することが望ましい。この場合、第１中間群の焦点距離は、望遠端における第１副群と第２副群との合成焦点距離になる。
【０２１２】
本実施形態のズーム光学系は、第１副群と第２副群との間に、開口絞りを有し、ズーム時、第２副群の位置と開口絞りの位置は固定されていることが好ましい。
【０２１３】
ズーム時に第２副群を移動させると、シフトによる誤差やチルトによる誤差が生じる。そのため、これらの誤差によって、結像性能が劣化する。また、球面収差の変動が生じる。
【０２１４】
ズーム時に第２副群の位置を固定することで、これらの誤差の発生を防止することができる。その結果、結像性能の劣化や球面収差の変動を軽減することができる。また、開口絞りの位置を固定することで、Ｆナンバーの誤差の発生を軽減することができる。
【０２１５】
本実施形態のズーム光学系では、後側レンズ群は、第３副群と、第４副群と、を有することが好ましい。
【０２１６】
このようにすることで、後側レンズ群で発生する収差を少なくすることができる。
【０２１７】
後側レンズ群は、最も物体側に配置されている。そのため、後側レンズ群では、他のレンズ群と比べると軸上光束の径が小さい。軸上光束の径が小さいと、球面収差の発生やコマ収差の発生が抑制される。
【０２１８】
望遠ズームや超望遠ズームでは、球面収差の発生やコマ収差の発生は、結像性能の劣化につながる。本実施形態のズーム光学系では球面収差の発生やコマ収差の発生が抑制される。そのため、結像性能を劣化させずに、本実施形態のズーム光学系を望遠タイプのズーム光学系や超望遠タイプのズーム光学系にすることができる。
【０２１９】
また、球面収差の発生やコマ収差の発生が抑制されるので、例えば、結像性能を劣化させずに、第３副群と第４副群との間隔を広くすることが容易にできる。この場合、第３副群と第４副群との間に、例えば、コンバーターレンズを出し入れすることができる。このようにすることで、光学的な仕様、例えば、焦点距離を変化させることができる。その結果、対応可能な撮影シーンを増やすことができる。
【０２２０】
本実施形態のズーム光学系では、第３副群は正レンズを有することが好ましい。
【０２２１】
このようにすることで、第３副群と第４副群との間において、軸外光線の高さを抑えることができる。そのため、例えば、第３副群と第４副群との間でコンバーターレンズを出し入れする場合、コンバーターレンズのレンズ径を小さくすることができる。
【０２２２】
本実施形態のズーム光学系では、第４副群は、正レンズと、負レンズと、を有することが好ましい。
【０２２３】
第４副群は、最も像側に配置されている。第４副群は、歪曲収差の発生と倍率色収差の発生に大きく寄与する。正レンズによって、正の歪曲収差の補正効果を高めることができ、負レンズによって、倍率色収差の補正効果を高めることができる。
【０２２４】
上述のように、光学系の全長を短縮すると、第１前群で、主に正の歪曲収差が発生する。また、前側レンズ群では、倍率色収差が残存する。正の歪曲収差は、正レンズにより良好に補正することができる。倍率色収差は、負レンズにより補正することができる。
【０２２５】
このように、第４副群が正レンズと負レンズを有することで、光学系の全長短縮と色補正に関する第１前群の負担を、第４副群に分散することができる。その結果、光学系の小型化と結像性能の向上とを達成することができる。
【０２２６】
また、第１前群ではレンズの径が大きいので、第１前群では重量が大きくなり易い。しかしながら、第１前群の負担を第４副群に分散することができるので、第１前群に用いられるレンズの枚数の削減ができる。また、選定可能なガラスの種類が増えるので、より低比重のガラスを第１前群に使用することができる。その結果、第１前群の軽量化が容易になる。
【０２２７】
第４副群に用いられるレンズの枚数が多くなると、上述の効果を得つつ第３副群と第４副群との間隔や、バックフォーカスを十分に確保することが困難になる。よって、第４副群は、１枚の正レンズと１枚の負レンズのみで構成されていることが望ましい。
【０２２８】
本実施形態のズーム光学系では、第４副群は、１枚の正レンズと、１枚の負レンズと、からなり、以下の条件式（１４）を満足することが好ましい。
１６≦νｄR2n≦２６      （１４）
ここで、
νｄR2nは、第４副群の負レンズのアッベ数、
である。
【０２２９】
第４副群を１枚の正レンズと１枚の負レンズだけで構成することで、正の歪曲収差の補正、倍率色収差の補正、第１前群の軽量化、第３副群と第４副群との間隔の十分な確保、及びバックフォーカスの十分な確保を実現することができる。
【０２３０】
条件式（１４）の下限値を下回ると、光学系全体で、短波長側での倍率色収差の補正が過剰となる。そのため、上述の所定の効果が得にくくなる。条件式（１４）の上限値を上回ると、光学系全体で、短波長側での倍率色収差の補正効果が弱まる。そのため、上述の所定の効果が得にくくなる。
【０２３１】
本実施形態のズーム光学系では、第３副群と第４副群との間に、コンバーターレンズを出し入れする所定の空間が設けられ、ズーム光学系の焦点距離は、コンバーターレンズの挿入前と挿入後とで異なることが好ましい。
【０２３２】
このようにすることで、ズーム光学系を撮像装置本体から取り外すことなく、ズーム光学系のみの状態と、ズーム光学系とコンバーターレンズが一体になった状態とを、実現することができる。
【０２３３】
所定の空間へのコンバーターレンズの出し入れには、例えば、レバーを手動又は電動で動かすことでコンバーターレンズを移動させる機構を用いれば良い。この場合、ズーム光学系を保持する鏡筒内に、コンバーターレンズを配置する空間を設けておく。この空間の近傍にコンバーターレンズを移動させる移動機構を配置する。移動機構とレバーとを、機械的、又は電気的に接続すれば良い。
【０２３４】
所定の空間にコンバーターレンズを出し入れすることで、コンバーターレンズの挿入前と挿入後とでズーム光学系の焦点距離を異ならせることができる。この場合、様々な撮影シーンに対応することができるので、撮影機会を逃さずに済ますことができる。
【０２３５】
本実施形態のズーム光学系では、第４副群は所定のレンズを有し、所定のレンズの屈折力の符号は、コンバーターレンズの屈折力の符号と逆であることが好ましい。
【０２３６】
コンバーターレンズは、屈折力を有する。そのため、コンバーターレンズがズーム光学系の中に挿入されると、コンバーターレンズの屈折力によって、ペッツバール和が変化する。その結果、場合によっては、非点収差の発生量が大きくなる。
【０２３７】
所定のレンズの屈折力の符号を、コンバーターレンズの屈折力の符号と逆にすることで、非点収差の発生を効果的に改善できる。
【０２３８】
本実施形態のズーム光学系では、ズーム光学系の全長は、コンバーターレンズの挿入前と挿入後とで同じであることが好ましい。
【０２３９】
コンバーターレンズの挿入前と挿入後とで、ズーム光学系の全長が不変になるので、重心位置の変動を抑制することができる。そのため、様々な撮影シーンに対応することができる。
【０２４０】
バックフォーカスは、コンバーターレンズの挿入前と挿入後とで、ほとんど変化しないことが望ましい。ただし、バックフォーカスが変化しても、変化量が、フォーカス群の移動で補正することが可能な量であれば、フォーカス群の移動でバックフォーカスを一定にすることが可能である。
【０２４１】
第１実施形態の撮像光学系、第２実施形態の撮像光学系及び第３実施形態の撮像光学系について説明する。
【０２４２】
第１実施形態の撮像光学系は、マスター光学系と、複数のレンズ成分を有するコンバーターレンズと、を有し、レンズ成分では、入射側と射出側のみが空気接触面であり、マスター光学系は、本実施形態のズーム光学系であり、マスター光学系は、後側レンズ群に、コンバーターレンズを出し入れする所定の空間を有し、以下の条件式（１５）を満足することを特徴とする。
｜ΔＦｂT｜／ＦｎｏT≦０．０５（ｍｍ）      （１５）
ここで、
ΔＦｂT＝ＦｂT−ＦｂconT、
ＦｂTは、第１状態における無限遠物点合焦時の撮像光学系のバックフォーカス、
ＦｂconTは、第２状態における無限遠物点合焦時の撮像光学系のバックフォーカス、
ＦｎｏTは、無限遠物点合焦時のズーム光学系のＦナンバー、
第１状態は、所定の空間にコンバーターレンズが挿入されていない状態、
第２状態は、所定の空間にコンバーターレンズが挿入されている状態、
バックフォーカスとＦナンバーは、それぞれ、望遠端におけるバックフォーカスとＦナンバー、
である。
【０２４３】
第１実施形態の撮像光学系は、マスター光学系と、複数のレンズ成分を有するコンバーターレンズと、を有する。マスター光学系は、後側レンズ群に、コンバーターレンズを出し入れする所定の空間を有する。よって、所定の空間へコンバーターレンズを出し入れすることで、光学的な仕様、例えば、焦点距離を変化させることができる。その結果、対応可能な撮影シーンを増やすことができる。
【０２４４】
マスター光学系には、本実施形態のズーム光学系が用いられている。よって、機動性に優れると共に、収差が良好に補正された撮像光学系を実現することができる。
【０２４５】
バックフォーカスは、コンバーターレンズの挿入前と挿入後とで、ほとんど変化しないことが望ましい。ただし、バックフォーカスが変化しても、変化量が、フォーカス群の移動で補正することが可能な量であれば、フォーカス群の移動でバックフォーカスを一定にすることが可能である。
【０２４６】
条件式（１５）の上限値を上回ると、コンバーターレンズを挿入したときのフォーカスズレが大きくなる。この場合、被写体の認識ができなくなる可能性が高くなるので、撮影機会を逃す可能性がある。
【０２４７】
第２実施形態の撮像光学系と第３実施形態の撮像光学系は共通構成を備えている。共通構成について説明する。
【０２４８】
共通の構成は、マスター光学系と、複数のレンズ成分を有するコンバーターレンズと、を有し、レンズ成分では、入射側と射出側のみが空気接触面であり、マスター光学系は、本実施形態のズーム光学系であり、マスター光学系は、後側レンズ群に、コンバーターレンズを出し入れする所定の空間を有し、マスター光学系の焦点距離は、第１状態と第２状態とで異なり、コンバーターレンズは、テレコンバーターレンズであり、テレコンバーターレンズは、正屈折力の物体側副群と、中間副群と、負屈折力の像側副群と、を有し、物体側副群は、最も物体側に位置し、中間副群は、物体側副群よりも像側に位置し、像側副群は、中間副群よりも像側に位置し、物体側副群の物体側のレンズ面は、物体側に凸の面であり、像側副群は、正レンズと、負レンズと、を有する。
【０２４９】
第１実施形態の撮像光学系と共通の構成では、光学系にコンバーターレンズを出し入れする方式（以下、「挿入式」という）を用いている。挿入式では、コンバーターレンズがテレコンバーターレンズの場合、コンバーターレンズには負屈折力を持たせることが必要である。
【０２５０】
テレコンバーターレンズが所定の空間に挿入されると、撮像光学系の焦点距離が長くなる。また、焦点距離以外の光学的な仕様も変化する。この変化を大きくするためには、コンバーターレンズの負屈折力を大きくする必要がある。
【０２５１】
しかしながら、コンバーターレンズの負屈折力を大きくすると、正の球面収差が大きくなる。正の球面収差は、軸上光束の径が大きくなる箇所に正屈折力の副群を配置することで、効果的に補正することができる。
【０２５２】
コンバーターレンズの負屈折力は、像側副群が担っている。よって、正の球面収差は像側副群で生じる。像側副群よりも物体側では、軸上光束の径が大きくなっている。そこで、像側副群の物体側に、正屈折力の副群を配置すれば良い。
【０２５３】
共通構成では、正屈折力の物体側副群が、最も物体側に配置されている。すなわち、像側副群の物体側に、正屈折力の副群が配置されている。よって、像側副群の負屈折力を大きくしても、正の球面収差を効果的に補正することができる。
【０２５４】
リア・テレコンバーターレンズは、マスター光学系と撮像装置の本体との間に配置される。リア・テレコンバーターレンズが配置されると、バックフォーカスは、一般的に、リア・テレコンバーターレンズが配置される前よりも長くなる。共通構成では、コンバーターレンズは、後側レンズ群内に挿入される。コンバーターレンズはテレコンバーターレンズなので、バックフォーカスは、コンバーターレンズが挿入される前よりも長くなる。
【０２５５】
しかしながら、マスター光学系へコンバーターレンズを挿入しても、光学系の全長は不変であることが望ましい。負屈折力を持つコンバーターレンズにおいて、正屈折力の副群を物体側に配置すると、結像位置を物体側に近づけること、すなわち、バックフォーカスを短くすることができる。このようなことから、コンバーターレンズの最も物体側の部分に、収斂作用を持たせる必要がある。
【０２５６】
共通の構成では、正屈折力の物体側副群を、コンバーターレンズの最も物体側に位置させている。その結果、マスター光学系へコンバーターレンズを挿入しても、光学系の全長の変化を最小にすることができる。
【０２５７】
光学系の全長短縮を行うには、コンバーターレンズの厚さを薄くして、所定の空間を可能な限り狭くする必要がある。ただし、所定の空間を狭くすると、コンバーターレンズで発生する球面収差が増大しやすくなる。
【０２５８】
共通の構成では、物体側副群よりも像側に負屈折力の像側副群が配置されている。よって、物体側副群の正屈折力と像側副群の負屈折力とで、球面収差の補正効果を大きくすることができる。
【０２５９】
更に、物体側副群と像側副群との間に、中間副群が配置されている。中間副群の屈折力を正屈折力にすると、正屈折力を物体側副群と中間副群とで分担することができる。中間副群の屈折力を負屈折力にすると、負屈折力を中間副群と像側副群とで分担することができる。
【０２６０】
いずれの場合も、屈折力を２つの副群で分担できるので、球面収差の補正効果をより大きくすることができる。そのため、球面収差の発生を抑制することや、球面収差を良好に補正することができる。
【０２６１】
第２実施形態の撮像光学系は、以下の条件式（１６）を満足することを特徴とする。
０．７≦｜ｆconLCOB／ｆconLCB｜≦３．５      （１６）
ここで、
ｆconLCOBは、物体側副群の焦点距離、
ｆconLCBは、像側副群の焦点距離、
第１状態は、所定の空間にコンバーターレンズが挿入されていない状態、
第２状態は、所定の空間にコンバーターレンズが挿入されている状態、
である。
【０２６２】
条件式（１６）の下限値を下回ると、球面収差がアンダー側に増大する作用が強まる。そのため、良好な結像性能が得られない。条件式（１６）の上限値を上回ると、球面収差がオーバー側に増大する作用が強まる。そのため、良好な結像性能が得られない。
【０２６３】
第３実施形態の撮像光学系は、以下の条件式（１７）を満足することを特徴とする。
２．０≦（ｆT／ＦｎｏT）／ＬTC≦６．０      （１７）
ここで、
ｆTは、第１状態における撮像光学系の焦点距離、
ＦｎｏTは、無限遠物点合焦時のズーム光学系のＦナンバー、
ＬTCは、コンバーターレンズの最も物体側に位置するレンズ面から最も像側に位置するレンズ面までの距離、
焦点距離とＦナンバーは、それぞれ、望遠端における焦点距離とＦナンバー、
第１状態は、所定の空間にコンバーターレンズが挿入されていない状態、
第２状態は、所定の空間にコンバーターレンズが挿入されている状態、
である。
【０２６４】
条件式（１７）の下限値を下回ると、所定の空間が広くなるのでマスター光学系の全長短縮が難しくなる。条件式（１７）の上限値を上回ると、コンバーターレンズでの球面収差の補正効果が低下する。そのため、第２状態において良好な結像性能が得られない。
【０２６５】
第１実施形態の撮像光学系から第３実施形態の撮像光学系（以下、「本実施形態の撮像光学系」という）の好ましい構成について説明する。
【０２６６】
本実施形態の撮像光学系は、以下の条件式（１８）を満足することが好ましい。
０．０５≦ＬR12／ＬT≦０．２５      （１８）
ここで、
ＬR12は、所定の空間における光軸に沿う方向の長さ、
ＬTは、第１状態における無限遠物点合焦時の撮像光学系の全長、
全長は、望遠端における撮像光学系の最も物体側に位置するレンズ面から像面までの距離、
である。
【０２６７】
条件式（１８）の下限値を下回ると、所定の空間の広さが不足する。コンバーターレンズの全長を短くすると、主に、球面収差の補正と色収差の補正が困難となる。そのため、良好な結像性能が得られない。
【０２６８】
条件式（１８）の上限値を上回ると、マスター光学系において、移動レンズを移動させるためのスペースの確保が困難になる。そのため、十分な変倍比、例えば、２倍を超える変倍比の確保が難しくなる。又は、移動レンズ群の屈折力が大きくなることで、移動レンズ群内での球面収差の発生や色収差の発生が大きくなる。そのため、良好な結像性能が得られない。
【０２６９】
本実施形態の撮像光学系では、コンバーターレンズは正屈折力を有し、第２状態において、以下の条件式（１９）を満足することが好ましい。
０．６≦ｆwconT／ｆT≦０．８５      （１９）
ここで、
ｆwconTは、第２状態における撮像光学系の焦点距離、
ｆTは、第１状態における撮像光学系の焦点距離、
焦点距離は、望遠端における焦点距離、
である。
【０２７０】
条件式（１９）の下限値を下回ると、コンバーターレンズの正屈折力が大きくなる。そのため、非点収差の補正が困難になる。条件式（１９）の上限値を上回ると、コンバーターレンズを挿入する前と挿入した後とで、画角の変化が少なくなる。そのため、被写体距離の変化や被写体の大きさの変化などに対応しにくくなる。その結果、様々な撮影シーンに対応することが困難になる。
【０２７１】
第１実施形態の撮像光学系は、上述の共通の構成を備え、以下の条件式（１６）を満足することが好ましい。
０．７≦｜ｆconLCOB／ｆconLCB｜≦３．５      （１６）
ここで、
ｆconLCOBは、物体側副群の焦点距離、
ｆconLCBは、像側副群の焦点距離、
である。
【０２７２】
共通構成の作用効果や条件式（１６）の技術的意義は、上述の通りである。
【０２７３】
第１実施形態の撮像光学系は、上述の共通の構成を備え、以下の条件式（１７）を満足することが好ましい。
２．０≦（ｆT／ＦｎｏT）／ＬTC≦６．０      （１７）
ここで、
ｆTは、第１状態における撮像光学系の焦点距離、
ＦｎｏTは、無限遠物点合焦時のズーム光学系のＦナンバー、
ＬTCは、コンバーターレンズの最も物体側に位置するレンズ面から最も像側に位置するレンズ面までの距離、
焦点距離とＦナンバーは、それぞれ、望遠端における焦点距離とＦナンバー、
第１状態は、所定の空間にコンバーターレンズが挿入されていない状態、
第２状態は、所定の空間にコンバーターレンズが挿入されている状態、
である。
【０２７４】
共通構成の作用効果や条件式（１７）の技術的意義は、上述の通りである。
【０２７５】
本実施形態の撮像光学系では、コンバーターレンズは負屈折力を有し、以下の条件式（２０）を満足することが好ましい。
１．１５≦ｆtconT／ｆT≦２．０５      （２０）
ここで、
ｆtconTは、第２状態における撮像光学系の焦点距離、
ｆTは、第１状態における撮像光学系の焦点距離、
焦点距離は、望遠端における焦点距離、
である。
【０２７６】
条件式（２０）の下限値を下回ると、コンバーターレンズを挿入する前と挿入した後とで、画角の変化が少なくなる。そのため、被写体距離の変化や被写体の大きさの変化などに対応しにくくなる。その結果、様々な撮影シーンに対応することが困難になる。条件式（２０）の上限値を上回ると、コンバーターレンズの負屈折力が大きくなる。そのため、非点収差の補正が困難になる。
【０２７７】
本実施形態の撮像光学系は、以下の条件式（２１）を満足することが好ましい。
０．１≦ＬconT／ＬT≦０．４      （２１）
ここで、
ＬconTは、第２状態における無限遠物点合焦時の所定の距離、
ＬTは、第１状態における無限遠物点合焦時の撮像光学系の全長、
所定の距離は、望遠端におけるコンバーターレンズの最も物体側に位置するレンズ面から像面までの距離、
全長は、望遠端における撮像光学系の最も物体側に位置するレンズ面から像面までの距離、
である。
【０２７８】
コンバーターレンズの出し入れによって、撮像光学系の画角が変化する。この画角変化は、マスターレンズの屈折力とコンバーターレンズの屈折力とで負担している。
【０２７９】
条件式（２１）の下限値を下回ると、画角変化に関するコンバーターレンズの屈折力の負担割合が大きくなる。この場合、コンバーターレンズの径は増加する傾向となるので、コンバーターレンズの小型化が難しくなる。
【０２８０】
条件式（２１）の上限値を上回ると、コンバーターレンズにおける球面収差の影響が増加する。そのため、コンバーターレンズを挿入した際に、挿入位置のズレによる結像性能の劣化が増加する。また、マスター光学系における球面収差の補正が難しくなるので、光学系の全長短縮が困難となる。
【０２８１】
本実施形態の撮像光学系は、以下の条件式（２２）を満足することが好ましい。
１．２≦ＬconT／ＦｂT≦４．０      （２２）
ここで、
ＬconTは、第２状態における無限遠物点合焦時の所定の距離、
ＦｂTは、第１状態における無限遠物点合焦時の撮像光学系のバックフォーカス、
所定の距離は、望遠端におけるコンバーターレンズの最も物体側に位置するレンズ面から像面までの距離、
バックフォーカスは、望遠端におけるバックフォーカス、
である。
【０２８２】
条件式（２２）の下限値を下回ると、コンバーターレンズで発生する非点収差を、マスター光学系で十分補正できなくなる。条件式（２２）の上限値を上回ると、コンバーターレンズにおける球面収差の影響が増加する。そのため、コンバーターレンズを挿入した際に、挿入位置のズレによる結像性能の劣化が大きくなる。また、マスター光学系における球面収差の補正が難しくなるので、光学系の全長短縮が困難となる。
【０２８３】
本実施形態の撮像光学系は、以下の条件式（２３）を満足することが好ましい。
−６．０≦ＦｂT／ＲtconR≦２．５      （２３）
ここで、
ＦｂTは、第１状態における無限遠物点合焦時の撮像光学系のバックフォーカス、
ＲtconRは、コンバーターレンズの最も像側に位置するレンズ面の曲率半径、
バックフォーカスは、望遠端におけるバックフォーカス、
である。
【０２８４】
条件式（２３）の下限値を下回ると、コンバーターレンズでの球面収差の発生が大きくなる。そのため、良好な結像性能が得られない。条件式（２３）の上限値を上回ると、コンバーターレンズでの非点収差の発生が大きくなる。そのため、良好な結像性能が得られない。
【０２８５】
本実施形態の撮像光学系は、以下の条件式（２４）を満足することが好ましい。
０．１≦ＦｂT／ＲtconF≦４．０      （２４）
ここで、
ＦｂTは、第１状態における無限遠物点合焦時の撮像光学系のバックフォーカス、
ＲtconFは、コンバーターレンズの最も物体側に位置するレンズ面の曲率半径、
バックフォーカスは、望遠端におけるバックフォーカス、
である。
【０２８６】
条件式（２４）の下限値を下回ると、コンバーターレンズでの球面収差の補正が不足となる。そのため、良好な結像性能が得られない。条件式（２４）の上限値を上回ると、コンバーターレンズでの球面収差の発生が大きくなる。そのため、良好な結像性能が得られない。
【０２８７】
本実施形態の撮像光学系では、複数のレンズ成分は、物体側レンズ成分を有し、物体側レンズ成分は単レンズであって、最も物体側に位置し、以下の条件式（２５）を満足することが好ましい。
５０≦νｄconLc1      （２５）
ここで、
νｄconLc1は、単レンズのアッベ数、
である。
【０２８８】
コンバーターレンズは、複数のレンズ成分で構成されている。複数のレンズ成分は、物体側レンズ成分を有する。物体側レンズ成分は、最も物体側に位置している。物体側レンズ成分を単レンズにすることで、コンバーターレンズの全長短縮を図ることができる。
【０２８９】
条件式（２５）を満足することにより、物体側レンズ成分よりも像側に位置するレンズ成分において、軸上色収差の補正の負担割合を減らすことができる。この場合、コンバーターレンズの全長短縮を図ることがより容易になるので、コンバーターレンズの小型化が行える。
【０２９０】
第１実施形態の撮像光学系では、コンバーターレンズは、テレコンバーターレンズであり、正屈折力の物体側レンズ成分と、正レンズを有する像側レンズ成分と、負屈折力の中間レンズ成分と、を有し、物体側レンズ成分は、最も物体側に位置し、像側レンズ成分は、最も像側に位置し、中間レンズ成分は、物体側レンズ成分と像側レンズ成分との間に位置し、中間レンズ成分の負屈折力は、負屈折力のレンズ成分のなかで最も大きいことが好ましい。
【０２９１】
第１実施形態の撮像光学系では、挿入式を用いている。挿入式では、コンバーターレンズがテレコンバーターレンズの場合、コンバーターレンズには負屈折力を持たせることが必要である。
【０２９２】
テレコンバーターレンズが所定の空間に挿入されると、撮像光学系の焦点距離が長くなる。また、焦点距離以外の光学的な仕様も変化する。この変化を大きくするためには、コンバーターレンズの負屈折力を大きくする必要がある。
【０２９３】
しかしながら、コンバーターレンズの負屈折力を大きくすると、正の球面収差が大きくなる。正の球面収差は、軸上光束の径が大きくなる箇所に正屈折力のレンズ成分を配置することで、効果的に補正することができる。
【０２９４】
コンバーターレンズの負屈折力は、中間レンズ成分が担っている。よって、正の球面収差は中間レンズ成分で生じる。中間レンズ成分よりも物体側では、軸上光束の径が大きくなっている。そこで、中間レンズ成分の物体側に、正屈折力のレンズ成分を配置すれば良い。
【０２９５】
本実施形態の撮像光学系では、正屈折力の物体側レンズ成分が、最も物体側に配置されている。すなわち、中間レンズ成分の物体側に、正屈折力のレンズ成分が配置されている。よって、中間レンズ成分の負屈折力を大きくしても、正の球面収差を効果的に補正することができる。
【０２９６】
リア・テレコンバーターレンズは、マスター光学系と撮像装置の本体との間に配置される。リア・テレコンバーターレンズが配置されると、バックフォーカスは、一般的に、リア・テレコンバーターレンズが配置される前よりも長くなる。本実施形態の撮像光学系では、コンバーターレンズは、後側レンズ群内に挿入される。コンバーターレンズはテレコンバーターレンズなので、バックフォーカスは、コンバーターレンズが挿入される前よりも長くなる。
【０２９７】
しかしながら、マスター光学系へコンバーターレンズを挿入しても、光学系の全長は不変であることが望ましい。負屈折力を持つコンバーターレンズにおいて、正屈折力のレンズ成分を物体側に配置すると、結像位置を物体側に近づけること、すなわち、バックフォーカスを短くすることができる。このようなことから、コンバーターレンズの最も物体側の部分に、収斂作用を持たせる必要がある。
【０２９８】
本実施形態の撮像光学系では、正屈折力の物体側レンズ成分を、コンバーターレンズの最も物体側に位置させている。その結果、マスター光学系へコンバーターレンズを挿入しても、光学系の全長の変化を最小にすることができる。
【０２９９】
また、コンバーターレンズの負屈折力を大きくすると、像面湾曲と歪曲収差が、プラス側に大きくなる傾向が強まる。この場合、負屈折力を担っているレンズ成分よりも像側に、正屈折力のレンズ成分を配置することで、像面湾曲の発生と歪曲収差の発生を効果的に抑制すことができる。
【０３００】
上述のように、コンバーターレンズの負屈折力は、中間レンズ成分が担っている。そこで、中間レンズ成分の像側に、正屈折力のレンズ成分を配置すれば良い。
【０３０１】
本実施形態の撮像光学系では、正レンズを有する像側レンズ成分が、最も像側に配置されている。すなわち、中間レンズ成分の像側に、正屈折力のレンズが配置されている。よって、中間レンズ成分の負屈折力を大きくしても、像面湾曲の発生と歪曲収差の発生を効果的に抑制することができる。
【０３０２】
第２実施形態の撮像光学系と第３実施形態の撮像光学系では、物体側副群は、最も物体側に位置する物体側レンズ成分を有し、像側副群は、最も像側に位置する像側レンズ成分を有し、中間レンズ成分は、物体側レンズ成分と像側レンズ成分との間に位置し、中間レンズ成分の負屈折力は、負屈折力のレンズ成分のなかで最も大きいことが好ましい。
【０３０３】
このような構成における作用効果は、上述の通りである。
【０３０４】
本実施形態の撮像光学系は、以下の条件式（２６）を満足することが好ましい。
０．５≦｜ｆconLCObj／ｆconLCM2｜≦ ４．０      （２６）
ここで、
ｆconLCObjは、物体側レンズ成分の焦点距離、
ｆconLCM2は、中間レンズ成分の焦点距離、
である。
【０３０５】
条件式（２６）を満足することで、中間レンズ成分の負屈折力を大きくしても、正の球面収差をより効果的に補正することができ、しかも、像面湾曲の発生と歪曲収差の発生をより効果的に抑制することができる。
【０３０６】
本実施形態の撮像光学系では、中間レンズ成分の物体側に、負レンズを有するレンズ成分が配置されていることが好ましい。
【０３０７】
上述のように、コンバーターレンズの負屈折力は、中間レンズ成分が担っている。中間レンズ成分の物体側に負レンズを有するレンズ成分を配置することで、このレンズ成分と中間レンズ成分とで、コンバーターレンズの負屈折力を分担することができる。その結果、正の球面収差の発生をより抑制することができる。
【０３０８】
負レンズを有するレンズ成分の屈折力は、負屈折力にすることが望ましい。このようにすると、正の球面収差の発生を更に抑制することができる。
【０３０９】
本実施形態の撮像光学系では、像側レンズ成分は、正屈折力を有することが好ましい。
【０３１０】
このようにすることで、像面湾曲の発生と歪曲収差の発生を抑制する効果を高めることができる。
【０３１１】
本実施形態の撮像光学系では、コンバーターレンズは、物体側から順に、物体側レンズ成分と、負レンズを有するレンズ成分と、中間レンズ成分と、像側レンズ成分と、からなることが好ましい。
【０３１２】
コンバーターレンズにレンズ成分を多く配置することは、収差補正の面で有効である。しかしながら、レンズ成分が多いと、コンバーターレンズの全長が長くなるため、所定の空間も大きくなる。その結果、マスター光学系の全長と所定の空間の全長とのバランスが悪くなる。
【０３１３】
コンバーターレンズを４つのレンズ成分で構成することで、マスター光学系の全長と所定の空間の全長とのバランスを適切にすることができる。
【０３１４】
本実施形態の撮像光学系は、コンバーターレンズは、ワイドコンバーターレンズであり、最も物体側に位置する物体側レンズ成分と、最も像側に位置する像側レンズ成分と、を有し、物体側レンズ成分の最も物体側のレンズ面は、物体側に凹の面であり、像側レンズ成分の最も像側のレンズ面は、像側に凹の面であり、最も物体側のレンズ面と最も像側のレンズ面との間に、強い正屈折力のレンズ面を有することが好ましい。
【０３１５】
挿入式では、コンバーターレンズがワイドコンバーターレンズの場合、コンバーターレンズには正屈折力が必要である。
【０３１６】
ワイドコンバーターレンズが所定の空間に挿入されると、撮像光学系の焦点距離が短くなる。また、焦点距離以外の光学的な仕様も変化する。この変化を大きくするためには、コンバーターレンズの正屈折力を大きくする必要がある。
【０３１７】
リア・ワイドコンバーターレンズは、マスター光学系と撮像装置の本体との間に配置される。リア・ワイドコンバーターレンズが配置されると、バックフォーカスは、一般的に、リア・ワイドコンバーターレンズが配置される前よりも短くなる。本実施形態の撮像光学系では、コンバーターレンズは、後側レンズ群内に挿入される。コンバーターレンズはワイドコンバーターレンズなので、バックフォーカスは、コンバーターレンズが挿入される前よりも短くなる。
【０３１８】
しかしながら、マスター光学系へコンバーターレンズを挿入しても、光学系の全長は不変であることが望ましい。正屈折力を持つコンバーターレンズにおいて、負屈折力のレンズ面を物体側に配置すると、結像位置を物体側から遠ざけること、すなわち、バックフォーカスを長くすることができる。このようなことから、コンバーターレンズの最も物体側の部分に、発散作用を持たせる必要がある。
【０３１９】
また、コンバーターレンズの正屈折力を大きくすると、負の球面収差が大きくなる。負の球面収差は、正屈折力を担っているレンズ成分よりも物体側に、負屈折力のレンズ面を配置することで、効果的に補正することができる。また、負屈折力のレンズ面を配置することで、上述のように、撮像光学系の全長を不変にすることができる。
【０３２０】
本実施形態の撮像光学系では、最も物体側に物体側レンズ成分が配置され、物体側レンズ成分の最も物体側のレンズ面は物体側に凹の面になっている。すなわち、負屈折力のレンズ面が、最も物体側に配置されている。よって、コンバーターレンズの正屈折力を大きくしても、負の球面収差の補正と撮像光学系の全長不変とを、両立させることができる。
【０３２１】
また、コンバーターレンズの正屈折力を大きくすると、像面湾曲と歪曲収差とが、マイナス側に大きくなる傾向が強まる。この場合、正屈折力を担っているレンズ成分よりも像側に、負屈折力のレンズの面を配置することで、像面湾曲の発生と歪曲収差の発生を効果的に抑制することができる。
【０３２２】
本実施形態の撮像光学系では、最も像側に像側レンズ成分が配置され、像側レンズ成分の最も像側のレンズ面は像側に凹の面になっている。すなわち、負屈折力のレンズ面が最も像側に配置されている。よって、コンバーターレンズの正屈折力を大きくしても、像面湾曲の発生と歪曲収差の発生を効果的に抑制することができる。
【０３２３】
本実施形態の撮像光学系は、以下の条件式（２７）を満足することが好ましい。
０．２≦｜ＦｂT／ＲwconR｜≦１．２      （２７）
ここで、
ＦｂTは、第１状態における無限遠物点合焦時のズーム光学系のバックフォーカス、
ＲwconRは、像側レンズ成分の最も像側のレンズ面の曲率半径、
である。
【０３２４】
条件式（２７）の下限値を下回ると、像面湾曲がマイナス側に大きくなる傾向と、歪曲収差がマイナス側に大きくなる傾向とが強まる。そのため、ワイドコンバーターレンズを挿入した時の結像性能の低下が大きくなる。
【０３２５】
条件式（２７）の上限値を上回ると、像面湾曲がプラス側に大きくなる傾向と、歪曲収差がプラス側に大きくなる傾向が強まる。そのため、ワイドコンバーターレンズを挿入した時の結像性能の低下が大きくなる。
【０３２６】
本実施形態の撮像光学系は、以下の条件式（２８）を満足することが好ましい。
０．５≦｜ＲwconF／ＲwconR｜≦２．５      （２８）
ここで、
ＲwconFは、コンバーターレンズの最も物体側に位置するレンズ面の曲率半径、
ＲwconRは、コンバーターレンズの最も像側に位置するレンズ面の曲率半径、
である。
【０３２７】
条件式（２８）の下限値を下回ると、球面収差の補正が過剰となる。そのため、良好な結像性能が得られない。条件式（２８）の上限値を上回ると、像面湾曲の補正と歪曲収差の補正が過剰となる。そのため、良好な結像性能が得られない。
【０３２８】
本実施形態の撮像光学系は、物体側レンズ成分よりも像側に配置された第１レンズ成分と、第１レンズ成分と像側レンズ成分との間に配置された第２レンズ成分と、を有し、第１レンズ成分の像側のレンズ面は、像側に凸の面であり、第２レンズ成分の物体側のレンズ面は、物体側に凸の面であることが好ましい。
【０３２９】
物体側レンズ成分と像側レンズ成分との間に、第１レンズ成分と第２レンズ成分とを配置することで、コンバーターレンズの正屈折力を大きくしても、球面収差の発生を抑制することができる。
【０３３０】
第１レンズ成分の像側のレンズ面を像側に凸の面とし、第２レンズ成分の物体側のレンズ面を物体側に凸の面にすることで、正屈折力を大きくことができる。正屈折力を２つのレンズ面で負担することになるので、球面収差の発生を抑制することができる。その結果、良好な結像性能を得ることができる。
【０３３１】
本実施形態の撮像装置は、光学系と、撮像面を持ち、且つ光学系により撮像面上に形成された像を電気信号に変換する撮像素子と、を有し、光学系が上述の何れか一つのズーム光学系、又は上述の撮像光学系であることを特徴とする。
【０３３２】
機動性に優れると共に、高画質の画像が得られる撮像装置を提供することができる。
【０３３３】
上述の構成は相互に複数を同時に満足することがより好ましい。また、一部の構成を同時に満足するようにしてもよい。例えば、上述のズーム光学系、撮像光学系、及び撮像装置の何れかにて、上述の他のズーム光学系や他の撮像光学系の何れかを用いるようにしてもよい。
【０３３４】
条件式については、それぞれの条件式を個別に満足させるようにしても良い。このようにすると、それぞれの効果を得やすくなるので好ましい。
【０３３５】
各条件式について、以下のように下限値、または上限値を変更しても良い、このようにすることで、各条件式の効果を一層確実にできるので好ましい。
【０３３６】
条件式（１）については、以下の通りである。
下限値を、０．９３、０．９５、１のいずれかにすることが好ましい。
上限値を、１．１３、１のいずれかにすることが好ましい。
条件式（２）については、以下の通りである。
下限値を、４．５、５．０、５．５のいずれかにすることが好ましい。
上限値を、１８．０、１５．０、１２．０のいずれかにすることが好ましい。
条件式（２’）については、以下の通りである。
下限値を、３．０、３．５、４、５．０、５．５のいずれかにすることが好ましい。
上限値を、１８．０、１７．０、１５．０、１２．０のいずれかにすることが好ましい。
条件式（３）については、以下の通りである。
下限値を、０．５、０．６、０．７のいずれかにすることが好ましい。
上限値を、２．７、２．５、２．３のいずれかにすることが好ましい。
条件式（４）については、以下の通りである。
下限値を、０．８、１．０、１．２のいずれかにすることが好ましい。
上限値を、２．５、２．０、１．８のいずれかにすることが好ましい。
条件式（５）については、以下の通りである。
下限値を、０．８、１．０、１．２のいずれかにすることが好ましい。
上限値を、３．０、２．５、２．３のいずれかにすることが好ましい。
条件式（６）については、以下の通りである。
下限値を、０．０８、０．１０、０．１３のいずれかにすることが好ましい。
上限値を、０．４、０．３５、０．３２のいずれかにすることが好ましい。
条件式（７）については、以下の通りである。
下限値を、１．８、１．９、２．０のいずれかにすることが好ましい。
上限値を、４．５、４．３、４．０のいずれかにすることが好ましい。
条件式（８）については、以下の通りである。
下限値を、０．５、０．５５、０．６のいずれかにすることが好ましい。
上限値を、３．０、２．５、２．０のいずれかにすることが好ましい。
条件式（９）については、以下の通りである。
下限値を、８５、９３のいずれかにすることが好ましい。
条件式（１０）については、以下の通りである。
下限値を、０．３５、０．４のいずれかにすることが好ましい。
上限値を、３．０、２．７のいずれかにすることが好ましい。
条件式（１１）については、以下の通りである。
下限値を、０．２５、０．２７、０．３のいずれかにすることが好ましい。
上限値を、４．５、４．３、４．０のいずれかにすることが好ましい。
条件式（１２）については、以下の通りである。
下限値を、１３、１５のいずれかにすることが好ましい。
上限値を、４５、４０のいずれかにすることが好ましい。
条件式（１３）については、以下の通りである。
下限値を、１７、１７．５のいずれかにすることが好ましい。
上限値を、２５、２４のいずれかにすることが好ましい。
条件式（１４）については、以下の通りである。
下限値を、１７、１７．５のいずれかにすることが好ましい。
上限値を、２５．５、２４、２３のいずれかにすることが好ましい。
条件式（１５）については、以下の通りである。
上限値を、０．０３、０．０１５、０のいずれかにすることが好ましい。
条件式（１６）については、以下の通りである。
下限値を、０．７２、０．７５、０．８５、１．０のいずれかにすることが好ましい。
上限値を、３、２．５、２のいずれかにすることが好ましい。
条件式（１７）については、以下の通りである。
下限値を、２．２、２．５、３．０のいずれかにすることが好ましい。
上限値を、５．５、５．０、４．５のいずれかにすることが好ましい。
条件式（１８）については、以下の通りである。
下限値を、０．０６、０．０８のいずれかにすることが好ましい。
上限値を、０．２２、０．１７、０．１５のいずれかにすることが好ましい。
条件式（１９）については、以下の通りである。
下限値を、０．６５にすることが好ましい。
上限値を、０．８にすることが好ましい。
条件式（２０）については、以下の通りである。
下限値を、１．２、１．２３のいずれかにすることが好ましい。
上限値を、１．７、１．５のいずれかにすることが好ましい。
条件式（２１）については、以下の通りである。
下限値を、０．１３、０．１５、０．１７のいずれかにすることが好ましい。
上限値を、０．３５、０．３、０．２７のいずれかにすることが好ましい。
条件式（２２）については、以下の通りである。
下限値を、１．５、１．７、１．９のいずれかにすることが好ましい。
上限値を、３．７、３．３、２．９のいずれかにすることが好ましい。
条件式（２３）については、以下の通りである。
下限値を、-３．５、-２．５、-２のいずれかにすることが好ましい。
上限値を、２、１．５、０．２、-０．２のいずれかにすることが好ましい。
条件式（２４）については、以下の通りである。
下限値を、０．５、０．７、０．９のいずれかにすることが好ましい。
上限値を、３．５、３、２．５のいずれかにすることが好ましい。
条件式（２５）については、以下の通りである。
下限値を、５８、６３、６８のいずれかにすることが好ましい。
条件式（２６）については、以下の通りである。
下限値を、０．７、１．０、１．４、１．５、１．６のいずれかにすることが好ましい。
上限値を、３．８、３．５、３．２、２．８のいずれかにすることが好ましい。
【０３３７】
以下に、ズーム光学系の実施例と撮像光学系の実施例を、図面に基づいて詳細に説明する。なお、この実施例によりこの発明が限定されるものではない。
【０３３８】
各実施例のレンズ断面図について説明する。（ａ）は広角端におけるレンズ断面図、（ｂ）は中間焦点距離状態におけるレンズ断面図、（ｃ）は望遠端におけるレンズ断面図を示している。
【０３３９】
各実施例の収差図について説明する。（ａ）は広角端における球面収差（ＳＡ）、（ｂ）は広角端における非点収差（ＡＳ）、（ｃ）は広角端における歪曲収差（ＤＴ）、（ｄ）は広角端における倍率色収差（ＣＣ）を示している。
【０３４０】
（ｅ）は中間焦点距離状態における球面収差（ＳＡ）、（ｆ）は中間焦点距離状態における非点収差（ＡＳ）、（ｇ）は中間焦点距離状態における歪曲収差（ＤＴ）、（ｈ）は中間焦点距離状態における倍率色収差（ＣＣ）を示している。
【０３４１】
また、（ｉ）は望遠端における球面収差（ＳＡ）、（ｊ）は望遠端における非点収差（ＡＳ）、（ｋ）は望遠端における歪曲収差（ＤＴ）、（ｌ）は望遠端における倍率色収差（ＣＣ）を示している。
【０３４２】
レンズ断面図は、無限遠物点合焦時のレンズ断面図である。収差図は、無限遠物点合焦時の収差図である。
【０３４３】
第１レンズ群はＧ１、第２レンズ群はＧ２、第３レンズ群はＧ３、第４レンズ群はＧ４、第５レンズ群はＧ５、第６レンズ群はＧ６、第７レンズ群はＧ７、開口絞りはＳ、像面（撮像面）はＩで示してある。
【０３４４】
撮像光学系では、ズーム光学系の中にコンバーターレンズが挿入されている。実施例におけるズーム光学系と撮像光学系の対応関係は、以下のとおりである。ＴＣはテレコンバーターレンズ、ＷＣはワイドコンバーターレンズを意味する。
【０３４５】
例えば、実施例１はズーム光学系である。実施例１のズーム光学系の中にコンバーターレンズが挿入されている撮像光学系の実施例は無い。また、実施例９は撮像光学系である。実施例９の撮像光学系では、実施例８のズーム光学系にテレコンバーターレンズが挿入されている。
【０３４６】
ズーム光学系      撮像光学系
実施例１          なし
実施例２          なし
実施例３          なし
実施例４          なし
実施例５          なし
実施例６          なし
実施例７          なし
実施例８          実施例９（ＴＣ挿入）
実施例１０        実施例１１（ＴＣ挿入）
実施例１２        実施例１３（ＴＣ挿入）
実施例１４        実施例１５（ＴＣ挿入）
実施例１６        実施例１７（ＴＣ挿入）、実施例１８（ＷＣ挿入）
実施例１９        なし
実施例２０        実施例２１（ＴＣ挿入）
実施例２２        なし
実施例２３        なし
実施例２４        なし
実施例２５        なし
実施例２６        なし
実施例２７        実施例２８（ＴＣ挿入）
【０３４７】
幾つかの実施例については、説明の簡略化と比較の容易のために、ズーム光学系の説明を行った後に、撮像光学系の説明を行っている。例えば、実施例８のズーム光学系の説明を行った後に、実施例９の撮像光学系の説明を行っている。
【０３４８】
フォーカス時のレンズ群の移動については、広角端、中間焦点距離状態、及び望遠端のいずれにおいも移動方向が同じ場合、記載を簡素にしている。例えば、実施例１では、「第４レンズ群Ｇ４は像側に移動する」と記載されている。これは、「第４レンズ群Ｇ４は、広角端、中間焦点距離状態、及び望遠端のいずれにおいても像側に移動する」、ということを意味している。
【０３４９】
実施例１は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第２レンズ群Ｇ２と第３レンズ群Ｇ３との間に配置されている。
【０３５０】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０３５１】
第１レンズ群Ｇ１は、物体側に凸面を向けた負メニスカスレンズＬ１と、両凸正レンズＬ２と、両凸正レンズＬ３と、で構成されている。ここで、負メニスカスレンズＬ１と両凸正レンズＬ２とが接合されている。
【０３５２】
第２レンズ群Ｇ２は、像側に凸面を向けた正メニスカスレンズＬ４と、両凹負レンズＬ５と、物体側に凸面を向けた正メニスカスレンズＬ６と、両凹負レンズＬ７と、で構成されている。ここで、正メニスカスレンズＬ４、両凹負レンズＬ５、及び正メニスカスレンズＬ６が接合されている。
【０３５３】
第３レンズ群Ｇ３は、両凸正レンズＬ８と、物体側に凸面を向けた負メニスカスレンズＬ９と、両凸正レンズＬ１０と、両凸正レンズＬ１１と、で構成されている。ここで、負メニスカスレンズＬ９と両凸正レンズＬ１０とが接合されている。
【０３５４】
第４レンズ群Ｇ４は、両凸正レンズＬ１２と、両凹負レンズＬ１３と、で構成されている。ここで、両凸正レンズＬ１２と両凹負レンズＬ１３とが接合されている。
【０３５５】
第５レンズ群Ｇ５は、物体側に凸面を向けた負メニスカスレンズＬ１４で構成されている。
【０３５６】
第６レンズ群Ｇ６は、両凸正レンズＬ１５と、両凸正レンズＬ１６と、両凹負レンズＬ１７と、両凹負レンズＬ１８と、両凸正レンズＬ１９と、像側に凸面を向けた負メニスカスレンズＬ２０と、両凸正レンズＬ２１と、像側に凸面を向けた負メニスカスレンズＬ２２と、で構成されている。
【０３５７】
ここで、両凸正レンズＬ１６と両凹負レンズＬ１７とが接合されている。両凸正レンズＬ１９と負メニスカスレンズＬ２０とが接合されている。両凸正レンズＬ２１と負メニスカスレンズＬ２２とが接合されている。
【０３５８】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動した後、像側に移動する。開口絞りＳは、第３レンズ群Ｇ３と共に固定されている。
【０３５９】
遠点から近点へのフォーカス時、第４レンズ群Ｇ４と第５レンズ群Ｇ５が、共に移動する。第４レンズ群Ｇ４は像側に移動する。第５レンズ群Ｇ５は広角端と中間焦点距離状態では像側に移動し、望遠端では物体側に移動する。像ブレ補正時、両凸正レンズＬ１６、両凹負レンズＬ１７、及び両凹負レンズＬ１８が、光軸と垂直な方向に移動する。
【０３６０】
非球面は、両凹負レンズＬ７の両面と、両凸正レンズＬ８の両面と、両凹負レンズＬ１３の像側面と、の合計５面に設けられている。
【０３６１】
実施例２は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第２レンズ群Ｇ２と第３レンズ群Ｇ３との間に配置されている。
【０３６２】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０３６３】
第１レンズ群Ｇ１は、物体側に凸面を向けた正メニスカスレンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０３６４】
第２レンズ群Ｇ２は、像側に凸面を向けた正メニスカスレンズＬ４と、両凹負レンズＬ５と、物体側に凸面を向けた正メニスカスレンズＬ６と、両凹負レンズＬ７と、で構成されている。ここで、正メニスカスレンズＬ４、両凹負レンズＬ５、及び正メニスカスレンズＬ６が接合されている。
【０３６５】
第３レンズ群Ｇ３は、両凸正レンズＬ８と、物体側に凸面を向けた負メニスカスレンズＬ９と、両凸正レンズＬ１０と、両凸正レンズＬ１１と、で構成されている。ここで、負メニスカスレンズＬ９と両凸正レンズＬ１０とが接合されている。
【０３６６】
第４レンズ群Ｇ４は、両凸正レンズＬ１２と、両凹負レンズＬ１３と、で構成されている。ここで、両凸正レンズＬ１２と両凹負レンズＬ１３とが接合されている。
【０３６７】
第５レンズ群Ｇ５は、物体側に凸面を向けた負メニスカスレンズＬ１４で構成されている。
【０３６８】
第６レンズ群Ｇ６は、両凸正レンズＬ１５と、両凸正レンズＬ１６と、両凹負レンズＬ１７と、像側に凸面を向けた負メニスカスレンズＬ１８と、両凸正レンズＬ１９と、像側に凸面を向けた負メニスカスレンズＬ２０と、両凸正レンズＬ２１と、像側に凸面を向けた負メニスカスレンズＬ２２と、で構成されている。
【０３６９】
ここで、両凸正レンズＬ１６と両凹負レンズＬ１７とが接合されている。両凸正レンズＬ１９と負メニスカスレンズＬ２０とが接合されている。両凸正レンズＬ２１と負メニスカスレンズＬ２２とが接合されている。
【０３７０】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動した後、像側に移動する。開口絞りＳは、第３レンズ群Ｇ３と共に固定されている。
【０３７１】
遠点から近点へのフォーカス時、第４レンズ群Ｇ４と第５レンズ群Ｇ５が、共に移動する。第４レンズ群Ｇ４は像側に移動する。第５レンズ群Ｇ５は広角端と中間焦点距離状態では像側に移動し、望遠端では物体側に移動する。像ブレ補正時、両凸正レンズＬ１６、両凹負レンズＬ１７、及び負メニスカスレンズＬ１８が、光軸と垂直な方向に移動する。
【０３７２】
非球面は、両凸正レンズＬ８の両面と、両凹負レンズＬ１３の像側面と、の合計３面に設けられている。
【０３７３】
実施例３は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第３レンズ群Ｇ３中に配置されている。
【０３７４】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０３７５】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０３７６】
第２レンズ群Ｇ２は、両凹負レンズＬ４と、物体側に凸面を向けた正メニスカスレンズＬ５と、両凹負レンズＬ６と、で構成されている。ここで、両凹負レンズＬ４と正メニスカスレンズＬ５とが接合されている。
【０３７７】
第３レンズ群Ｇ３は、両凸正レンズＬ７と、物体側に凸面を向けた正メニスカスレンズＬ８と、両凹負レンズＬ９と、両凸正レンズＬ１０と、像側に凸面を向けた正メニスカスレンズＬ１１と、像側に凸面を向けた負メニスカスレンズＬ１２と、両凹負レンズＬ１３と、両凸正レンズＬ１４と、で構成されている。
【０３７８】
ここで、両凹負レンズＬ９と両凸正レンズＬ１０とが接合されている。正メニスカスレンズＬ１１と負メニスカスレンズＬ１２とが接合されている。
【０３７９】
第４レンズ群Ｇ４は、物体側に凸面を向けた負メニスカスレンズＬ１５と、物体側に凸面を向けた正メニスカスレンズＬ１６と、で構成されている。ここで、負メニスカスレンズＬ１５と正メニスカスレンズＬ１６とが接合されている。
【０３８０】
第５レンズ群Ｇ５は、両凹負レンズＬ１７で構成されている。
【０３８１】
第６レンズ群Ｇ６は、両凸正レンズＬ１８と、像側に凸面を向けた正メニスカスレンズＬ１９と、像側に凸面を向けた負メニスカスレンズＬ２０と、で構成されている。ここで、正メニスカスレンズＬ１９と負メニスカスレンズＬ２０とが接合されている。
【０３８２】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動する。開口絞りＳは、第３レンズ群Ｇ３と共に固定されている。
【０３８３】
遠点から近点へのフォーカス時、第４レンズ群Ｇ４と第５レンズ群Ｇ５が、共に像側に移動する。像ブレ補正時、正メニスカスレンズＬ１１、負メニスカスレンズＬ１２、及び両凹負レンズＬ１３が、光軸と垂直な方向に移動する。
【０３８４】
非球面は、両凸正レンズＬ１０の像側面と、両凸正レンズＬ１４の両面と、の合計３面に設けられている。
【０３８５】
実施例４は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第３レンズ群Ｇ３中に配置されている。
【０３８６】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０３８７】
第１レンズ群Ｇ１は、物体側に凸面を向けた負メニスカスレンズＬ１と、両凸正レンズＬ２と、物体側に凸面を向けた負メニスカスレンズＬ３と、物体側に凸面を向けた正メニスカスレンズＬ４と、で構成されている。ここで、負メニスカスレンズＬ１と両凸正レンズＬ２とが接合されている。負メニスカスレンズＬ３と正メニスカスレンズＬ４とが接合されている。
【０３８８】
第２レンズ群Ｇ２は、両凹負レンズＬ５と、物体側に凸面を向けた正メニスカスレンズＬ６と、両凹負レンズＬ７と、で構成されている。ここで、両凹負レンズＬ５と正メニスカスレンズＬ６とが接合されている。
【０３８９】
第３レンズ群Ｇ３は、両凸正レンズＬ８と、物体側に凸面を向けた正メニスカスレンズＬ９と、両凸正レンズＬ１０と、両凹負レンズＬ１１と、物体側に凸面を向けた正メニスカスレンズＬ１２と、両凸正レンズＬ１３と、両凹負レンズＬ１４と、両凹負レンズＬ１５と、両凸正レンズＬ１６と、で構成されている。
【０３９０】
ここで、両凸正レンズＬ１０、両凹負レンズＬ１１、及び正メニスカスレンズＬ１２が接合されている。両凸正レンズＬ１３と両凹負レンズＬ１４とが接合されている。
【０３９１】
第４レンズ群Ｇ４は、物体側に凸面を向けた負メニスカスレンズＬ１７と、物体側に凸面を向けた正メニスカスレンズＬ１８と、で構成されている。ここで、負メニスカスレンズＬ１７と正メニスカスレンズＬ１８とが接合されている。
【０３９２】
第５レンズ群Ｇ５は、両凹負レンズＬ１９と、物体側に凸面を向けた正メニスカスレンズＬ２０と、で構成されている。ここで、両凹負レンズＬ１９と正メニスカスレンズＬ２０とが接合されている。
【０３９３】
第６レンズ群Ｇ６は、両凸正レンズＬ２１と、像側に凸面を向けた負メニスカスレンズＬ２２と、で構成されている。
【０３９４】
広角端から望遠端へのズーム時、第１レンズ群Ｇ１と第６レンズ群Ｇ６は固定されている。第２レンズ群Ｇ２は像側に移動する。第３レンズ群Ｇ３、第４レンズ群Ｇ４、及び第５レンズ群Ｇ５は物体側に移動する。開口絞りＳは、第３レンズ群Ｇ３と共に移動する。
【０３９５】
遠点から近点へのフォーカス時、第４レンズ群Ｇ４と第５レンズ群Ｇ５が、共に像側に移動する。像ブレ補正時、両凸正レンズＬ１３、両凹負レンズＬ１４、及び両凹負レンズＬ１５が、光軸と垂直な方向に移動する。
【０３９６】
非球面は、両凸正レンズＬ１６の物体側面に設けられている。
【０３９７】
実施例５は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第３レンズ群Ｇ３中に配置されている。
【０３９８】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０３９９】
第１レンズ群Ｇ１は、物体側に凸面を向けた正メニスカスレンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０４００】
第２レンズ群Ｇ２は、両凹負レンズＬ４と、物体側に凸面を向けた正メニスカスレンズＬ５と、両凹負レンズＬ６と、で構成されている。ここで、両凹負レンズＬ４と正メニスカスレンズＬ５とが接合されている。
【０４０１】
第３レンズ群Ｇ３は、両凸正レンズＬ７と、両凸正レンズＬ８と、両凹負レンズＬ９と、物体側に凸面を向けた負メニスカスレンズＬ１０と、両凸正レンズＬ１１と、像側に凸面を向けた負メニスカスレンズＬ１２と、物体側に凸面を向けた正メニスカスレンズＬ１３と、で構成されている。
【０４０２】
ここで、両凸正レンズＬ８と両凹負レンズＬ９とが接合されている。負メニスカスレンズＬ１０、両凸正レンズＬ１１、及び負メニスカスレンズＬ１２が接合されている。
【０４０３】
第４レンズ群Ｇ４は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０４０４】
第５レンズ群Ｇ５は、物体側に凸面を向けた正メニスカスレンズＬ１６と、物体側に凸面を向けた負メニスカスレンズＬ１７と、で構成されている。ここで、正メニスカスレンズＬ１６と負メニスカスレンズＬ１７とが接合されている。
【０４０５】
第６レンズ群Ｇ６は、像側に凸面を向けた正メニスカスレンズＬ１８と、両凸正レンズＬ１９と、両凹負レンズＬ２０と、両凹負レンズＬ２１と、両凸正レンズＬ２２と、両凸正レンズＬ２３と、両凹負レンズＬ２４と、で構成されている。
【０４０６】
ここで、両凸正レンズＬ１９と両凹負レンズＬ２０とが接合されている。両凹負レンズＬ２１と両凸正レンズＬ２２とが接合されている。
【０４０７】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動する。開口絞りＳは、第３レンズ群Ｇ３と共に固定されている。
【０４０８】
遠点から近点へのフォーカス時、第４レンズ群Ｇ４と第５レンズ群Ｇ５が、共に像側に移動する。像ブレ補正時、両凸正レンズＬ１９、両凹負レンズＬ２０、及び両凹負レンズＬ２１が、光軸と垂直な方向に移動する。
【０４０９】
実施例６は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第３レンズ群Ｇ３中に配置されている。
【０４１０】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０４１１】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０４１２】
第２レンズ群Ｇ２は、両凹負レンズＬ４と、物体側に凸面を向けた正メニスカスレンズＬ５と、両凹負レンズＬ６と、で構成されている。ここで、両凹負レンズＬ４と正メニスカスレンズＬ５とが接合されている。
【０４１３】
第３レンズ群Ｇ３は、両凸正レンズＬ７と、両凸正レンズＬ８と、両凹負レンズＬ９と、物体側に凸面を向けた負メニスカスレンズＬ１０と、物体側に凸面を向けた正メニスカスレンズＬ１１と、像側に凸面を向けた正メニスカスレンズＬ１２と、両凹負レンズＬ１３と、両凹負レンズＬ１４と、両凸正レンズＬ１５と、で構成されている。
【０４１４】
ここで、両凸正レンズＬ８と両凹負レンズＬ９とが接合されている。負メニスカスレンズＬ１０と正メニスカスレンズＬ１１とが接合されている。正メニスカスレンズＬ１２と両凹負レンズＬ１３とが接合されている。
【０４１５】
第４レンズ群Ｇ４は、物体側に凸面を向けた負メニスカスレンズＬ１６と、物体側に凸面を向けた正メニスカスレンズＬ１７と、で構成されている。ここで、負メニスカスレンズＬ１６と正メニスカスレンズＬ１７とが接合されている。
【０４１６】
第５レンズ群Ｇ５は、像側に凸面を向けた正メニスカスレンズＬ１８と、両凹負レンズＬ１９と、で構成されている。ここで、正メニスカスレンズＬ１８と両凹負レンズＬ１９とが接合されている。
【０４１７】
第６レンズ群Ｇ６は、両凸正レンズＬ２０と、像側に凸面を向けた正メニスカスレンズＬ２１と、像側に凸面を向けた負メニスカスレンズＬ２２と、で構成されている。ここで、正メニスカスレンズＬ２１と負メニスカスレンズＬ２２とが接合されている。
【０４１８】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４と第５レンズ群Ｇ５は物体側に移動する。開口絞りＳは、第３レンズ群Ｇ３と共に固定されている。
【０４１９】
遠点から近点へのフォーカス時、第４レンズ群Ｇ４と第５レンズ群Ｇ５が、共に像側にする。像ブレ補正時、正メニスカスレンズＬ１２、両凹負レンズＬ１３、及び両凹負レンズＬ１４が、光軸と垂直な方向に移動する。
【０４２０】
非球面は、両凸正レンズＬ１５の両面の合計２面に設けられている。
【０４２１】
実施例７は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第３レンズ群Ｇ３中に配置されている。
【０４２２】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０４２３】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０４２４】
第２レンズ群Ｇ２は、両凹負レンズＬ４と、物体側に凸面を向けた正メニスカスレンズＬ５と、両凹負レンズＬ６と、で構成されている。ここで、両凹負レンズＬ４と正メニスカスレンズＬ５とが接合されている。
【０４２５】
第３レンズ群Ｇ３は、両凸正レンズＬ７と、物体側に凸面を向けた正メニスカスレンズＬ８と、両凹負レンズＬ９と、両凸正レンズＬ１０と、像側に凸面を向けた正メニスカスレンズＬ１１と、両凹負レンズＬ１２と、両凹負レンズＬ１３と、両凸正レンズＬ１４と、で構成されている。
【０４２６】
ここで、両凹負レンズＬ９と両凸正レンズＬ１０とが接合されている。正メニスカスレンズＬ１１と両凹負レンズＬ１２とが接合されている。
【０４２７】
第４レンズ群Ｇ４は、物体側に凸面を向けた負メニスカスレンズＬ１５と、物体側に凸面を向けた正メニスカスレンズＬ１６と、で構成されている。ここで、負メニスカスレンズＬ１５と正メニスカスレンズＬ１６とが接合されている。
【０４２８】
第５レンズ群Ｇ５は、両凸正レンズＬ１７と、両凹負レンズＬ１８と、で構成されている。ここで、両凸正レンズＬ１７と両凹負レンズＬ１８とが接合されている。
【０４２９】
第６レンズ群Ｇ６は、両凸正レンズＬ１９と、像側に凸面を向けた正メニスカスレンズＬ２０と、像側に凸面を向けた負メニスカスレンズＬ２１と、で構成されている。ここで、正メニスカスレンズＬ２０と負メニスカスレンズＬ２１とが接合されている。
【０４３０】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動する。開口絞りＳは、第３レンズ群Ｇ３と共に固定されている。
【０４３１】
遠点から近点へのフォーカス時、第４レンズ群Ｇ４と第５レンズ群Ｇ５が、共に像側に移動する。像ブレ補正時、正メニスカスレンズＬ１１、両凹負レンズＬ１２、及び両凹負レンズＬ１３が、光軸と垂直な方向に移動する。
【０４３２】
非球面は、両凸正レンズＬ１０の像側面と、両凸正レンズＬ１４の物体側面と、の合計２面に設けられている。
【０４３３】
実施例８は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第２レンズ群Ｇ２と第３レンズ群Ｇ３との間に配置されている。
【０４３４】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０４３５】
第１レンズ群Ｇ１は、物体側に凸面を向けた正メニスカスレンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０４３６】
第２レンズ群Ｇ２は、像側に凸面を向けた正メニスカスレンズＬ４と、両凹負レンズＬ５と、物体側に凸面を向けた正メニスカスレンズＬ６と、両凹負レンズＬ７と、で構成されている。ここで、正メニスカスレンズＬ４、両凹負レンズＬ５、及び正メニスカスレンズＬ６が接合されている。
【０４３７】
第３レンズ群Ｇ３は、両凸正レンズＬ８と、両凹負レンズＬ９と、両凸正レンズＬ１０と、両凸正レンズＬ１１と、で構成されている。ここで、両凹負レンズＬ９と両凸正レンズＬ１０とが接合されている。
【０４３８】
第４レンズ群Ｇ４は、物体側に凸面を向けた負メニスカスレンズＬ１２と、物体側に凸面を向けた正メニスカスレンズＬ１３と、で構成されている。ここで、負メニスカスレンズＬ１２と正メニスカスレンズＬ１３とが接合されている。
【０４３９】
第５レンズ群Ｇ５は、物体側に凸面を向けた負メニスカスレンズＬ１４で構成されている。
【０４４０】
第６レンズ群Ｇ６は、像側に凸面を向けた正メニスカスレンズＬ１５と、両凸正レンズＬ１６と、両凹負レンズＬ１７と、両凹負レンズＬ１８と、物体側に凸面を向けた正メニスカスレンズＬ１９と、両凸正レンズＬ２０と、両凹負レンズＬ２１と、で構成されている。
【０４４１】
ここで、両凸正レンズＬ１６と両凹負レンズＬ１７とが接合されている。両凸正レンズＬ２０と両凹負レンズＬ２１とが接合されている。
【０４４２】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動した後、像側に移動する。開口絞りＳは、第３レンズ群Ｇ３と共に固定されている。
【０４４３】
遠点から近点へのフォーカス時、第４レンズ群Ｇ４と第５レンズ群Ｇ５が、共に像側に移動する。像ブレ補正時、両凸正レンズＬ１６、両凹負レンズＬ１７、及び両凹負レンズＬ１８が、光軸と垂直な方向に移動する。
【０４４４】
非球面は、両凸正レンズＬ８の両面の合計２面に設けられている。
【０４４５】
実施例９は、撮像光学系の実施例である。実施例９の撮像光学系では、実施例８のズーム光学系の中に、テレコンバーターレンズが挿入されている。実施例８のズーム光学系と同じ構成については、説明を省略する。
【０４４６】
テレコンバーターレンズは、物体側に凸面を向けた正メニスカスレンズＬ２０と、両凸正レンズＬ２１と、両凹負レンズＬ２２と、両凹負レンズＬ２３と、両凸正レンズＬ２４と、両凹負レンズＬ２５と、両凸正レンズＬ２６と、で構成されている。
【０４４７】
ここで、両凸正レンズＬ２１と両凹負レンズＬ２２とが接合されている。両凹負レンズＬ２３、両凸正レンズＬ２４、及び両凹負レンズＬ２５が接合されている。
【０４４８】
両凸正レンズＬ２７は、実施例８のズーム光学系の両凸正レンズＬ２０に対応している。両凹負レンズＬ２８は、実施例８のズーム光学系の両凹負レンズＬ２１に対応している。
【０４４９】
実施例８のズーム光学系では、正メニスカスレンズＬ１９と両凸正レンズＬ２０との間に所定の空間が形成されている。実施例９の撮像光学系では、正メニスカスレンズＬ１９と両凸正レンズＬ２７との間に、テレコンバーターレンズが挿入されている。
【０４５０】
実施例１０は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第３レンズ群Ｇ３中に配置されている。
【０４５１】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０４５２】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０４５３】
第２レンズ群Ｇ２は、物体側に凸面を向けた負メニスカスレンズＬ４と、物体側に凸面を向けた正メニスカスレンズＬ５と、両凹負レンズＬ６と、で構成されている。ここで、負メニスカスレンズＬ４と正メニスカスレンズＬ５とが接合されている。
【０４５４】
第３レンズ群Ｇ３は、物体側に凸面を向けた正メニスカスレンズＬ７と、両凸正レンズＬ８と、両凹負レンズＬ９と、物体側に凸面を向けた負メニスカスレンズＬ１０と、物体側に凸面を向けた正メニスカスレンズＬ１１と、両凸正レンズＬ１２と、で構成されている。
【０４５５】
ここで、両凸正レンズＬ８と両凹負レンズＬ９とが接合されている。負メニスカスレンズＬ１０と正メニスカスレンズＬ１１とが接合されている。
【０４５６】
第４レンズ群Ｇ４は、物体側に凸面を向けた負メニスカスレンズＬ１３と、物体側に凸面を向けた正メニスカスレンズＬ１４と、で構成されている。ここで、負メニスカスレンズＬ１３と正メニスカスレンズＬ１４とが接合されている。
【０４５７】
第５レンズ群Ｇ５は、物体側に凸面を向けた負メニスカスレンズＬ１５で構成されている。
【０４５８】
第６レンズ群Ｇ６は、両凸正レンズＬ１６と、両凸正レンズＬ１７と、両凹負レンズＬ１８と、両凹負レンズＬ１９と、物体側に凸面を向けた正メニスカスレンズＬ２０と、両凸正レンズＬ２１と、両凹負レンズＬ２２と、で構成されている。
【０４５９】
ここで、両凸正レンズＬ１７と両凹負レンズＬ１８とが接合されている。両凸正レンズＬ２１と両凹負レンズＬ２２とが接合されている。
【０４６０】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動する。開口絞りＳは、第３レンズ群Ｇ３と共に固定されている。
【０４６１】
遠点から近点へのフォーカス時、第４レンズ群Ｇ４が像側に移動する。像ブレ補正時、両凸正レンズＬ１７、両凹負レンズＬ１８、及び両凹負レンズＬ１９が、光軸と垂直な方向に移動する。
【０４６２】
非球面は、両凸正レンズＬ１２の両面の合計２面に設けられている。
【０４６３】
実施例１１は、撮像光学系の実施例である。実施例１１の撮像光学系では、実施例１０のズーム光学系の中に、テレコンバーターレンズが挿入されている。実施例１０のズーム光学系と同じ構成については、説明を省略する。
【０４６４】
テレコンバーターレンズは、両凸正レンズＬ２１と、物体側に凸面を向けた負メニスカスレンズＬ２２と、両凹負レンズＬ２３と、両凸正レンズＬ２４と、両凹負レンズＬ２５と、両凸正レンズＬ２６と、で構成されている。ここで、両凹負レンズＬ２３、両凸正レンズＬ２４、及び両凹負レンズＬ２５が接合されている。
【０４６５】
両凸正レンズＬ２７は、実施例１０のズーム光学系の両凸正レンズＬ２１に対応している。両凹負レンズＬ２８は、実施例１０のズーム光学系の両凹負レンズＬ２２に対応している。
【０４６６】
実施例１０のズーム光学系では、正メニスカスレンズＬ２０と両凸正レンズＬ２１との間に所定の空間が形成されている。実施例１１の撮像光学系では、正メニスカスレンズＬ２０と両凸正レンズＬ２７との間に、テレコンバーターレンズが挿入されている。
【０４６７】
実施例１２は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第３レンズ群Ｇ３中に配置されている。
【０４６８】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０４６９】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０４７０】
第２レンズ群Ｇ２は、両凹負レンズＬ４と、物体側に凸面を向けた正メニスカスレンズＬ５と、両凹負レンズＬ６と、で構成されている。ここで、両凹負レンズＬ４と正メニスカスレンズＬ５とが接合されている。
【０４７１】
第３レンズ群Ｇ３は、両凸正レンズＬ７と、両凸正レンズＬ８と、両凹負レンズＬ９と、物体側に凸面を向けた負メニスカスレンズＬ１０と、物体側に凸面を向けた正メニスカスレンズＬ１１と、両凸正レンズＬ１２と、両凹負レンズＬ１３と、両凹負レンズＬ１４と、両凸正レンズＬ１５と、で構成されている。
【０４７２】
ここで、両凸正レンズＬ８と両凹負レンズＬ９とが接合されている。負メニスカスレンズＬ１０と正メニスカスレンズＬ１１とが接合されている。両凸正レンズＬ１２と両凹負レンズＬ１３とが接合されている。
【０４７３】
第４レンズ群Ｇ４は、物体側に凸面を向けた負メニスカスレンズＬ１６と、物体側に凸面を向けた正メニスカスレンズＬ１７と、で構成されている。ここで、負メニスカスレンズＬ１６と正メニスカスレンズＬ１７とが接合されている。
【０４７４】
第５レンズ群Ｇ５は、像側に凸面を向けた正メニスカスレンズＬ１８と、両凹負レンズＬ１９と、で構成されている。ここで、正メニスカスレンズＬ１８と両凹負レンズＬ１９とが接合されている。
【０４７５】
第６レンズ群Ｇ６は、物体側に凸面を向けた正メニスカスレンズＬ２０と、像側に凸面を向けた正メニスカスレンズＬ２１と、像側に凸面を向けた負メニスカスレンズＬ２２と、で構成されている。ここで、正メニスカスレンズＬ２１と負メニスカスレンズＬ２２とが接合されている。
【０４７６】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動した後、像側に移動する。開口絞りＳは、第３レンズ群Ｇ３と共に固定されている。
【０４７７】
遠点から近点へのフォーカス時、第４レンズ群Ｇ４と第５レンズ群Ｇ５が、共に像側に移動する。像ブレ補正時、両凸正レンズＬ１２、両凹負レンズＬ１３、及び両凹負レンズＬ１４が、光軸と垂直な方向に移動する。
【０４７８】
非球面は、両凸正レンズＬ１５の両面の合計２面に設けられている。
【０４７９】
実施例１３は、撮像光学系の実施例である。実施例１３の撮像光学系では、実施例１２のズーム光学系の中に、テレコンバーターレンズが挿入されている。実施例１２のズーム光学系と同じ構成については、説明を省略する。
【０４８０】
テレコンバーターレンズは、両凸正レンズＬ２１と、物体側に凸面を向けた負メニスカスレンズＬ２２と、両凹負レンズＬ２３と、両凸正レンズＬ２４と、両凹負レンズＬ２５と、両凸正レンズＬ２６と、で構成されている。ここで、両凹負レンズＬ２３、両凸正レンズＬ２４、及び両凹負レンズＬ２５が接合されている。
【０４８１】
正メニスカスレンズＬ２７は、実施例１２のズーム光学系の正メニスカスレンズＬ２１に対応している。負メニスカスレンズＬ２８は、実施例１２のズーム光学系の負メニスカスレンズＬ２２に対応している。
【０４８２】
実施例１２のズーム光学系では、正メニスカスレンズＬ２０と正メニスカスレンズＬ２１との間に所定の空間が形成されている。実施例１３の撮像光学系では、正メニスカスレンズＬ２０と正メニスカスレンズＬ２７との間に、テレコンバーターレンズが挿入されている。
【０４８３】
実施例１４は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第３レンズ群Ｇ３中に配置されている。
【０４８４】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は後側レンズ群である。
【０４８５】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０４８６】
第２レンズ群Ｇ２は、物体側に凸面を向けた負メニスカスレンズＬ４と、物体側に凸面を向けた正メニスカスレンズＬ５と、両凹負レンズＬ６と、で構成されている。ここで、負メニスカスレンズＬ４と正メニスカスレンズＬ５とが接合されている。
【０４８７】
第３レンズ群Ｇ３は、物体側に凸面を向けた正メニスカスレンズＬ７と、両凸正レンズＬ８と、両凹負レンズＬ９と、物体側に凸面を向けた負メニスカスレンズＬ１０と、物体側に凸面を向けた正メニスカスレンズＬ１１と、両凸正レンズＬ１２と、で構成されている。
【０４８８】
ここで、両凸正レンズＬ８と両凹負レンズＬ９とが接合されている。負メニスカスレンズＬ１０と正メニスカスレンズＬ１１とが接合されている。
【０４８９】
第４レンズ群Ｇ４は、両凹負レンズＬ１３と、物体側に凸面を向けた正メニスカスレンズＬ１４と、で構成されている。ここで、両凹負レンズＬ１３と正メニスカスレンズＬ１４とが接合されている。
【０４９０】
第５レンズ群Ｇ５は、物体側に凸面を向けた負メニスカスレンズＬ１５と、両凸正レンズＬ１６と、両凸正レンズＬ１７と、両凹負レンズＬ１８と、両凹負レンズＬ１９と、両凸正レンズＬ２０と、両凸正レンズＬ２１と、両凹負レンズＬ２２と、で構成されている。
【０４９１】
ここで、両凸正レンズＬ１７と両凹負レンズＬ１８とが接合されている。両凸正レンズＬ２１と両凹負レンズＬ２２とが接合されている。
【０４９２】
広角端から望遠端へのズーム時、第１レンズ群Ｇ１と第５レンズ群Ｇ５は固定されている。第２レンズ群Ｇ２は像側に移動する。第３レンズ群Ｇ３と第４レンズ群Ｇ４は物体側に移動する。開口絞りＳは、第３レンズ群Ｇ３と共に移動する。
【０４９３】
遠点から近点へのフォーカス時、第４レンズ群Ｇ４が像側に移動する。像ブレ補正時、両凸正レンズＬ１７、両凹負レンズＬ１８、及び両凹負レンズＬ１９が、光軸と垂直な方向に移動する。
【０４９４】
非球面は、両凸正レンズＬ１２の両面の合計２面に設けられている。
【０４９５】
実施例１５は、撮像光学系の実施例である。実施例１５の撮像光学系では、実施例１４のズーム光学系の中に、テレコンバーターレンズが挿入されている。実施例１４のズーム光学系と同じ構成については、説明を省略する。
【０４９６】
テレコンバーターレンズは、両凸正レンズＬ２１と、物体側に凸面を向けた負メニスカスレンズＬ２２と、両凹負レンズＬ２３と、両凸正レンズＬ２４と、両凹負レンズＬ２５と、両凸正レンズＬ２６と、で構成されている。ここで、両凹負レンズＬ２３、両凸正レンズＬ２４、及び両凹負レンズＬ２５が接合されている。
【０４９７】
両凸正レンズＬ２７は、実施例１４のズーム光学系の両凸正レンズＬ２１に対応している。両凹負レンズＬ２８は、実施例１４のズーム光学系の両凹負レンズＬ２２に対応している。
【０４９８】
実施例１４のズーム光学系では、両凸正レンズＬ２０と両凸正レンズＬ２１との間に所定の空間が形成されている。実施例１５の撮像光学系では、両凸正レンズＬ２０と両凸正レンズＬ２７との間に、テレコンバーターレンズが挿入されている。
【０４９９】
実施例１６は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第２レンズ群Ｇ２と第３レンズ群Ｇ３との間に配置されている。
【０５００】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０５０１】
第１レンズ群Ｇ１は、物体側に凸面を向けた正メニスカスレンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０５０２】
第２レンズ群Ｇ２は、像側に凸面を向けた正メニスカスレンズＬ４と、両凹負レンズＬ５と、物体側に凸面を向けた正メニスカスレンズＬ６と、両凹負レンズＬ７と、で構成されている。ここで、正メニスカスレンズＬ４、両凹負レンズＬ５、及び正メニスカスレンズＬ６が接合されている。
【０５０３】
第３レンズ群Ｇ３は、両凸正レンズＬ８と、両凹負レンズＬ９と、両凸正レンズＬ１０と、両凸正レンズＬ１１と、で構成されている。ここで、両凹負レンズＬ９と両凸正レンズＬ１０とが接合されている。
【０５０４】
第４レンズ群Ｇ４は、物体側に凸面を向けた負メニスカスレンズＬ１２と、物体側に凸面を向けた正メニスカスレンズＬ１３と、で構成されている。ここで、負メニスカスレンズＬ１２と正メニスカスレンズＬ１３とが接合されている。
【０５０５】
第５レンズ群Ｇ５は、物体側に凸面を向けた負メニスカスレンズＬ１４で構成されている。
【０５０６】
第６レンズ群Ｇ６は、両凸正レンズＬ１５と、両凸正レンズＬ１６と、両凹負レンズＬ１７と、両凹負レンズＬ１８と、両凸正レンズＬ１９と、物体側に凸面を向けた正メニスカスレンズＬ２０と、物体側に凸面を向けた負メニスカスレンズＬ２１と、で構成されている。
【０５０７】
ここで、両凸正レンズＬ１６と両凹負レンズＬ１７とが接合されている。正メニスカスレンズＬ２０と負メニスカスレンズＬ２１とが接合されている。
【０５０８】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動する。開口絞りＳは、第３レンズ群Ｇ３と共に固定されている。
【０５０９】
遠点から近点へのフォーカス時、第４レンズ群Ｇ４と第５レンズ群Ｇ５が、共に像側に移動する。像ブレ補正時、両凸正レンズＬ１６、両凹負レンズＬ１７、及び両凹負レンズＬ１８が、光軸と垂直な方向に移動する。
【０５１０】
非球面は、両凸正レンズＬ８の両面と、負メニスカスレンズＬ１２の物体側面と、の合計３面に設けられている。
【０５１１】
実施例１７は、撮像光学系の実施例である。実施例１７の撮像光学系では、実施例１６のズーム光学系の中に、テレコンバーターレンズが挿入されている。実施例１６のズーム光学系と同じ構成については、説明を省略する。
【０５１２】
テレコンバーターレンズは、物体側に凸面を向けた正メニスカスレンズＬ２０と、両凸正レンズＬ２１と、両凹負レンズＬ２２と、物体側に凸面を向けた負メニスカスレンズＬ２３と、両凸正レンズＬ２４と、両凹負レンズＬ２５と、物体側に凸面を向けた正メニスカスレンズＬ２６と、で構成されている。
【０５１３】
ここで、両凸正レンズＬ２１と両凹負レンズＬ２２とが接合されている。負メニスカスレンズＬ２３、両凸正レンズＬ２４、及び両凹負レンズＬ２５が接合されている。
【０５１４】
正メニスカスレンズＬ２７は、実施例１６のズーム光学系の正メニスカスレンズＬ２０に対応している。負メニスカスレンズＬ２８は、実施例１６のズーム光学系の負メニスカスレンズＬ２１に対応している。
【０５１５】
実施例１６のズーム光学系では、両凸正レンズＬ１９と正メニスカスレンズＬ２０との間に所定の空間が形成されている。実施例１７の撮像光学系では、両凸正レンズＬ１９と正メニスカスレンズＬ２７との間に、テレコンバーターレンズが挿入されている。
【０５１６】
実施例１８は、撮像光学系の実施例である。実施例１８の撮像光学系では、実施例１６のズーム光学系の中に、ワイドコンバーターレンズが挿入されている。実施例１６のズーム光学系と同じ構成については、説明を省略する。
【０５１７】
ワイドコンバーターレンズは、両凹負レンズＬ２０と、両凸正レンズＬ２１と、像側に凸面を向けた負メニスカスレンズＬ２２と、像側に凸面を向けた正メニスカスレンズＬ２３と、物体側に凸面を向けた正メニスカスレンズＬ２４と、両凸正レンズＬ２５と、両凹負レンズＬ２６と、で構成されている。
【０５１８】
ここで、両凹負レンズＬ２０と両凸正レンズＬ２１とが接合されている。負メニスカスレンズＬ２２と正メニスカスレンズＬ２３とが接合されている。両凸正レンズＬ２５と両凹負レンズＬ２６とが接合されている。
【０５１９】
正メニスカスレンズＬ２７は、実施例１６のズーム光学系の正メニスカスレンズＬ２０に対応している。負メニスカスレンズＬ２８は、実施例１６のズーム光学系の負メニスカスレンズＬ２１に対応している。
【０５２０】
実施例１６のズーム光学系では、両凸正レンズＬ１９と正メニスカスレンズＬ２０との間に所定の空間が形成されている。実施例１８の撮像光学系では、両凸正レンズＬ１９と正メニスカスレンズＬ２７との間に、ワイドコンバーターレンズが挿入されている。
【０５２１】
実施例１９は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、負の屈折力を有する第６レンズ群Ｇ６と、正の屈折力を有する第７レンズ群Ｇ７と、で構成されている。開口絞りＳは、第３レンズ群Ｇ３と第４レンズ群Ｇ４との間に配置されている。
【０５２２】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３、第４レンズ群Ｇ４、及び第５レンズ群Ｇ５で中間レンズ群が構成されている。第３レンズ群Ｇ３と第４レンズ群Ｇ４とで第１中間群が構成されている。第３レンズ群Ｇ３は第１副群で、第４レンズ群Ｇ４は第２副群である。第５レンズ群Ｇ５は第２中間群である。第６レンズ群Ｇ６は移動レンズ群である。第７レンズ群Ｇ７は後側レンズ群である。
【０５２３】
第１レンズ群Ｇ１は、物体側に凸面を向けた正メニスカスレンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０５２４】
第２レンズ群Ｇ２は、両凹負レンズＬ４と、物体側に凸面を向けた正メニスカスレンズＬ５と、両凹負レンズＬ６と、で構成されている。ここで、両凹負レンズＬ４と正メニスカスレンズＬ５とが接合されている。
【０５２５】
第３レンズ群Ｇ３は、両凸正レンズＬ７と、両凸正レンズＬ８と、像側に凸面を向けた負メニスカスレンズＬ９と、で構成されている。ここで、両凸正レンズＬ８と負メニスカスレンズＬ９とが接合されている。
【０５２６】
第４レンズ群Ｇ４は、物体側に凸面を向けた負メニスカスレンズＬ１０と、両凸正レンズＬ１１と、像側に凸面を向けた負メニスカスレンズＬ１２と、物体側に凸面を向けた正メニスカスレンズＬ１３と、で構成されている。ここで、負メニスカスレンズＬ１０、両凸正レンズＬ１１、及び負メニスカスレンズＬ１２が接合されている。
【０５２７】
第５レンズ群Ｇ５は、物体側に凸面を向けた負メニスカスレンズＬ１４と、物体側に凸面を向けた正メニスカスレンズＬ１５と、で構成されている。ここで、負メニスカスレンズＬ１４と正メニスカスレンズＬ１５とが接合されている。
【０５２８】
第６レンズ群Ｇ６は、物体側に凸面を向けた正メニスカスレンズＬ１６と、物体側に凸面を向けた負メニスカスレンズＬ１７と、で構成されている。ここで、正メニスカスレンズＬ１６と負メニスカスレンズＬ１７とが接合されている。
【０５２９】
第７レンズ群Ｇ７は、両凸正レンズＬ１８と、両凸正レンズＬ１９と、両凹負レンズＬ２０と、像側に凸面を向けた負メニスカスレンズＬ２１と、両凸正レンズＬ２２と、像側に凸面を向けた正メニスカスレンズＬ２３と、像側に凸面を向けた負メニスカスレンズＬ２４と、で構成されている。
【０５３０】
ここで、両凸正レンズＬ１９と両凹負レンズＬ２０とが接合されている。正メニスカスレンズＬ２３と負メニスカスレンズＬ２４とが接合されている。
【０５３１】
広角端から望遠端へのズーム時、第１レンズ群Ｇ１、第４レンズ群Ｇ４、及び第７レンズ群Ｇ７は固定されている。第２レンズ群Ｇ２は像側に移動する。第３レンズ群Ｇ３と第５レンズ群Ｇ５は物体側に移動する。第６レンズ群Ｇ６は物体側に移動した後、像側に移動する。開口絞りＳは、第４レンズ群Ｇ４と共に固定されている。
【０５３２】
遠点から近点へのフォーカス時、第５レンズ群Ｇ５と第６レンズ群Ｇ６が、共に像側に移動する。像ブレ補正時、両凸正レンズＬ１９、両凹負レンズＬ２０、及び負メニスカスレンズＬ２１が、光軸と垂直な方向に移動する。
【０５３３】
実施例２０は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、正の屈折力を有する第４レンズ群Ｇ４と、負の屈折力を有する第５レンズ群Ｇ５と、正の屈折力を有する第６レンズ群Ｇ６と、で構成されている。開口絞りＳは、第３レンズ群Ｇ３と第４レンズ群Ｇ４との間に配置されている。
【０５３４】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０５３５】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０５３６】
第２レンズ群Ｇ２は、物体側に凸面を向けた負メニスカスレンズＬ４と、物体側に凸面を向けた正メニスカスレンズＬ５と、両凹負レンズＬ６と、で構成されている。ここで、負メニスカスレンズＬ４と正メニスカスレンズＬ５とが接合されている。
【０５３７】
第３レンズ群Ｇ３は、物体側に凸面を向けた正メニスカスレンズＬ７と、両凸正レンズＬ８と、両凹負レンズＬ９と、物体側に凸面を向けた負メニスカスレンズＬ１０と、物体側に凸面を向けた正メニスカスレンズＬ１１と、で構成されている。
【０５３８】
ここで、両凸正レンズＬ８と両凹負レンズＬ９とが接合されている。負メニスカスレンズＬ１０と正メニスカスレンズＬ１１とが接合されている。
【０５３９】
第４レンズ群Ｇ４は、両凸正レンズＬ１２で構成されている。
【０５４０】
第５レンズ群Ｇ５は、物体側に凸面を向けた負メニスカスレンズＬ１３と、物体側に凸面を向けた正メニスカスレンズＬ１４と、で構成されている。ここで、負メニスカスレンズＬ１３と正メニスカスレンズＬ１４とが接合されている。
【０５４１】
第６レンズ群Ｇ６は、物体側に凸面を向けた負メニスカスレンズＬ１５と、両凸正レンズＬ１６と、両凸正レンズＬ１７と、両凹負レンズＬ１８と、両凹負レンズＬ１９と、物体側に凸面を向けた正メニスカスレンズＬ２０と、両凸正レンズＬ２１と、両凹負レンズＬ２２と、で構成されている。
【０５４２】
ここで、両凸正レンズＬ１７と両凹負レンズＬ１８とが接合されている。両凸正レンズＬ２１と両凹負レンズＬ２２とが接合されている。
【０５４３】
広角端から望遠端へのズーム時、第１レンズ群Ｇ１、第４レンズ群Ｇ４、及び第６レンズ群Ｇ６は固定されている。第２レンズ群Ｇ２は像側に移動する。第３レンズ群Ｇ３は物体側に移動する。第５レンズ群Ｇ５は像側に移動した後、物体側に移動する。開口絞りＳは、第３レンズ群Ｇ３と共に移動する。
【０５４４】
遠点から近点へのフォーカス時、第５レンズ群Ｇ５が像側に移動する。像ブレ補正時、両凸正レンズＬ１７、両凹負レンズＬ１８、及び両凹負レンズＬ１９が、光軸と垂直な方向に移動する。
【０５４５】
非球面は、両凸正レンズＬ１２の両面の合計２面に設けられている。
【０５４６】
実施例２１は、撮像光学系の実施例である。実施例２１の撮像光学系では、実施例２０のズーム光学系の中に、テレコンバーターレンズが挿入されている。実施例２０のズーム光学系と同じ構成については、説明を省略する。
【０５４７】
テレコンバーターレンズは、両凸正レンズＬ２１と、物体側に凸面を向けた負メニスカスレンズＬ２２と、両凹負レンズＬ２３と、両凸正レンズＬ２４と、両凹負レンズＬ２５と、両凸正レンズＬ２６と、で構成されている。ここで、両凹負レンズＬ２３、両凸正レンズＬ２４、及び両凹負レンズＬ２５が接合されている。
【０５４８】
両凸正レンズＬ２７は、実施例２０のズーム光学系の両凸正レンズＬ２１に対応している。両凹負レンズＬ２８は、実施例２０のズーム光学系の両凹負レンズＬ２２に対応している。
【０５４９】
実施例２０のズーム光学系では、正メニスカスレンズＬ２０と両凸正レンズＬ２１との間に所定の空間が形成されている。実施例２１の撮像光学系では、正メニスカスレンズＬ２０と両凸正レンズＬ２７との間に、テレコンバーターレンズが挿入されている。
【０５５０】
実施例２２は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第３レンズ群Ｇ３中に配置されている。
【０５５１】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は後側レンズ群である。
【０５５２】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０５５３】
第２レンズ群Ｇ２は、物体側に凸面を向けた負メニスカスレンズＬ４と、物体側に凸面を向けた正メニスカスレンズＬ５と、両凹負レンズＬ６と、で構成されている。ここで、負メニスカスレンズＬ４と正メニスカスレンズＬ５とが接合されている。
【０５５４】
第３レンズ群Ｇ３は、物体側に凸面を向けた正メニスカスレンズＬ７と、物体側に凸面を向けた正メニスカスレンズＬ８と、物体側に凸面を向けた負メニスカスレンズＬ９と、両凸正レンズＬ１０と、像側に凸面を向けた正メニスカスレンズＬ１１と、両凹負レンズＬ１２と、両凹負レンズＬ１３と、両凸正レンズＬ１４と、で構成されている。
【０５５５】
ここで、負メニスカスレンズＬ９と両凸正レンズＬ１０とが接合されている。正メニスカスレンズＬ１１と両凹負レンズＬ１２とが接合されている。
【０５５６】
第４レンズ群Ｇ４は、物体側に凸面を向けた負メニスカスレンズＬ１５と、物体側に凸面を向けた正メニスカスレンズＬ１６と、で構成されている。ここで、負メニスカスレンズＬ１５と正メニスカスレンズＬ１６とが接合されている。
【０５５７】
第５レンズ群Ｇ５は、両凹負レンズＬ１７と、両凸正レンズＬ１８と、像側に凸面を向けた正メニスカスレンズＬ１９と、像側に凸面を向けた負メニスカスレンズＬ２０と、で構成されている。ここで、正メニスカスレンズＬ１９と負メニスカスレンズＬ２０とが接合されている。
【０５５８】
広角端から望遠端へのズーム時、第１レンズ群Ｇ１は物体側に移動する。第２レンズ群Ｇ２は像側に移動する。第３レンズ群Ｇ３と第５レンズ群Ｇ５は固定されている。第４レンズ群Ｇ４は像側に移動した後、物体側に移動する。開口絞りＳは、第３レンズ群Ｇ３と共に固定されている。
【０５５９】
遠点から近点へのフォーカス時、第４レンズ群Ｇ４が像側に移動する。像ブレ補正時、正メニスカスレンズＬ１１、両凹負レンズＬ１２、及び両凹負レンズＬ１３が、光軸と垂直な方向に移動する。
【０５６０】
非球面は、両凸正レンズＬ１０の像側面と、両凸正レンズＬ１４の両面と、の合計３面に設けられている。
【０５６１】
実施例２３は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、で構成されている。開口絞りＳは、第３レンズ群Ｇ３中に配置されている。
【０５６２】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は後側レンズ群である。
【０５６３】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０５６４】
第２レンズ群Ｇ２は、物体側に凸面を向けた負メニスカスレンズＬ４と、物体側に凸面を向けた正メニスカスレンズＬ５と、両凹負レンズＬ６と、で構成されている。ここで、負メニスカスレンズＬ４と正メニスカスレンズＬ５とが接合されている。
【０５６５】
第３レンズ群Ｇ３は、両凸正レンズＬ７と、物体側に凸面を向けた正メニスカスレンズＬ８と、両凹負レンズＬ９と、両凸正レンズＬ１０と、像側に凸面を向けた正メニスカスレンズＬ１１と、両凹負レンズＬ１２と、両凹負レンズＬ１３と、両凸正レンズＬ１４と、で構成されている。
【０５６６】
ここで、両凹負レンズＬ９と両凸正レンズＬ１０とが接合されている。正メニスカスレンズＬ１１と両凹負レンズＬ１２とが接合されている。
【０５６７】
第４レンズ群Ｇ４は、物体側に凸面を向けた負メニスカスレンズＬ１５と、物体側に凸面を向けた正メニスカスレンズＬ１６と、で構成されている。ここで、負メニスカスレンズＬ１５と正メニスカスレンズＬ１６とが接合されている。
【０５６８】
第５レンズ群Ｇ５は、両凸正レンズＬ１７と、両凹負レンズＬ１８と、両凸正レンズＬ１９と、像側に凸面を向けた正メニスカスレンズＬ２０と、両凹負レンズＬ２１と、で構成されている。ここで、両凸正レンズＬ１７と両凹負レンズＬ１８とが接合されている。正メニスカスレンズＬ２０と両凹負レンズＬ２１とが接合されている。
【０５６９】
広角端から望遠端へのズーム時、第１レンズ群Ｇ１と第２レンズ群Ｇ２は像側に移動する。第３レンズ群Ｇ３と第５レンズ群Ｇ５は固定されている。第４レンズ群Ｇ４は像側に移動した後、物体側に移動する。開口絞りＳは、第３レンズ群Ｇ３と共に固定されている。
【０５７０】
遠点から近点へのフォーカス時、第４レンズ群Ｇ４が像側に移動する。像ブレ補正時、正メニスカスレンズＬ１１、両凹負レンズＬ１２、及び両凹負レンズＬ１３が、光軸と垂直な方向に移動する。
【０５７１】
非球面は、両凸正レンズＬ１０の像側面と、両凸正レンズＬ１４の物体側面と、の合計２面に設けられている。
【０５７２】
実施例２４は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第３レンズ群Ｇ３中に配置されている。
【０５７３】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は後側レンズ群である。
【０５７４】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０５７５】
第２レンズ群Ｇ２は、物体側に凸面を向けた負メニスカスレンズＬ４と、物体側に凸面を向けた正メニスカスレンズＬ５と、両凹負レンズＬ６と、で構成されている。ここで、負メニスカスレンズＬ４と正メニスカスレンズＬ５とが接合されている。
【０５７６】
第３レンズ群Ｇ３は、物体側に凸面を向けた正メニスカスレンズＬ７と、両凸正レンズＬ８と、両凹負レンズＬ９と、物体側に凸面を向けた負メニスカスレンズＬ１０と、物体側に凸面を向けた正メニスカスレンズＬ１１と、両凸正レンズＬ１２と、で構成されている。
【０５７７】
ここで、両凸正レンズＬ８と両凹負レンズＬ９とが接合されている。負メニスカスレンズＬ１０と正メニスカスレンズＬ１１とが接合されている。
【０５７８】
第４レンズ群Ｇ４は、物体側に凸面を向けた負メニスカスレンズＬ１３と、物体側に凸面を向けた正メニスカスレンズＬ１４と、で構成されている。ここで、負メニスカスレンズＬ１３と正メニスカスレンズＬ１４とが接合されている。
【０５７９】
第５レンズ群Ｇ５は、物体側に凸面を向けた負メニスカスレンズＬ１５と、両凸正レンズＬ１６と、両凸正レンズＬ１７と、両凹負レンズＬ１８と、両凹負レンズＬ１９と、両凸正レンズＬ２０と、両凸正レンズＬ２１と、両凹負レンズＬ２２と、で構成されている。
【０５８０】
ここで、負メニスカスレンズＬ１５と両凸正レンズＬ１６とが接合されている。両凸正レンズＬ１７と両凹負レンズＬ１８とが接合されている。両凸正レンズＬ２１と両凹負レンズＬ２２とが接合されている。
【０５８１】
広角端から望遠端へのズーム時、第１レンズ群Ｇ１、第３レンズ群Ｇ３、及び第５レンズ群Ｇ５は固定されている。第２レンズ群Ｇ２は像側に移動する。第４レンズ群Ｇ４は像側に移動した後、物体側に移動する。開口絞りＳは、第３レンズ群Ｇ３と共に固定されている。
【０５８２】
遠点から近点へのフォーカス時、第４レンズ群Ｇ４が像側に移動する。像ブレ補正時、両凸正レンズＬ１７、両凹負レンズＬ１８、及び両凹負レンズＬ１９が、光軸と垂直な方向に移動する。
【０５８３】
非球面は、両凸正レンズＬ１２の両面の合計２面に設けられている。
【０５８４】
実施例２５は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、で構成されている。開口絞りＳは、第３レンズ群Ｇ３中に配置されている。
【０５８５】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は後側レンズ群である。
【０５８６】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０５８７】
第２レンズ群Ｇ２は、両凹負レンズＬ４と、物体側に凸面を向けた正メニスカスレンズＬ５と、像側に凸面を向けた負メニスカスレンズＬ６と、で構成されている。ここで、両凹負レンズＬ４と正メニスカスレンズＬ５とが接合されている。
【０５８８】
第３レンズ群Ｇ３は、物体側に凸面を向けた正メニスカスレンズＬ７と、両凸正レンズＬ８と、両凹負レンズＬ９と、物体側に凸面を向けた負メニスカスレンズＬ１０と、両凸正レンズＬ１１と、像側に凸面を向けた負メニスカスレンズＬ１２と、物体側に凸面を向けた正メニスカスレンズＬ１３と、で構成されている。
【０５８９】
ここで、両凸正レンズＬ８と両凹負レンズＬ９とが接合されている。負メニスカスレンズＬ１０、両凸正レンズＬ１１、及び負メニスカスレンズＬ１２が接合されている。
【０５９０】
第４レンズ群Ｇ４は、両凹負レンズＬ１４と、物体側に凸面を向けた正メニスカスレンズＬ１５と、で構成されている。ここで、両凹負レンズＬ１４と正メニスカスレンズＬ１５とが接合されている。
【０５９１】
第５レンズ群Ｇ５は、物体側に凸面を向けた負メニスカスレンズＬ１６と、両凸正レンズＬ１７と、両凸正レンズＬ１８と、両凹負レンズＬ１９と、両凹負レンズＬ２０と、物体側に凸面を向けた正メニスカスレンズＬ２１と、両凸正レンズＬ２２と、両凹負レンズＬ２３と、で構成されている。
【０５９２】
ここで、両凸正レンズＬ１８と両凹負レンズＬ１９とが接合されている。両凸正レンズＬ２２と両凹負レンズＬ２３とが接合されている。
【０５９３】
広角端から望遠端へのズーム時、第１レンズ群Ｇ１、第３レンズ群Ｇ３、及び第５レンズ群Ｇ５は固定されている。第２レンズ群Ｇ２は像側に移動する。第４レンズ群Ｇ４は物体側に移動する。開口絞りＳは、第３レンズ群Ｇ３と共に固定されている。
【０５９４】
遠点から近点へのフォーカス時、第４レンズ群Ｇ４が像側に移動する。像ブレ補正時、両凸正レンズＬ１８、両凹負レンズＬ１９、及び両凹負レンズＬ２０が、光軸と垂直な方向に移動する。
【０５９５】
実施例２６は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、正の屈折力を有する第５レンズ群Ｇ５と、正の屈折力を有する第６レンズ群Ｇ６と、で構成されている。開口絞りＳは、第３レンズ群Ｇ３中に配置されている。
【０５９６】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０５９７】
第１レンズ群Ｇ１は、両凸正レンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０５９８】
第２レンズ群Ｇ２は、物体側に凸面を向けた負メニスカスレンズＬ４と、物体側に凸面を向けた正メニスカスレンズＬ５と、両凹負レンズＬ６と、で構成されている。ここで、負メニスカスレンズＬ４と正メニスカスレンズＬ５とが接合されている。
【０５９９】
第３レンズ群Ｇ３は、物体側に凸面を向けた正メニスカスレンズＬ７と、両凸正レンズＬ８と、両凹負レンズＬ９と、物体側に凸面を向けた負メニスカスレンズＬ１０と、物体側に凸面を向けた正メニスカスレンズＬ１１と、両凸正レンズＬ１２と、で構成されている。
【０６００】
ここで、両凸正レンズＬ８と両凹負レンズＬ９とが接合されている。負メニスカスレンズＬ１０と正メニスカスレンズＬ１１とが接合されている。
【０６０１】
第４レンズ群Ｇ４は、物体側に凸面を向けた負メニスカスレンズＬ１３と、物体側に凸面を向けた正メニスカスレンズＬ１４と、で構成されている。ここで、負メニスカスレンズＬ１３と正メニスカスレンズＬ１４とが接合されている。
【０６０２】
第５レンズ群Ｇ５は、物体側に凸面を向けた負メニスカスレンズＬ１５と、両凸正レンズＬ１６と、で構成されている。ここで、負メニスカスレンズＬ１５と両凸正レンズＬ１６とが接合されている。
【０６０３】
第５レンズ群Ｇ６は、両凸正レンズＬ１７と、両凹負レンズＬ１８と、両凹負レンズＬ１９と、両凸正レンズＬ２０と、両凸正レンズＬ２１と、両凹負レンズＬ２２と、で構成されている。
【０６０４】
ここで、両凸正レンズＬ１７と両凹負レンズＬ１８とが接合されている。両凸正レンズＬ２１と両凹負レンズＬ２２とが接合されている。
【０６０５】
広角端から望遠端へのズーム時、第１レンズ群Ｇ１、第３レンズ群Ｇ３、及び第６レンズ群Ｇ６は固定されている。第２レンズ群Ｇ２と第５レンズ群Ｇ５は像側に移動する。第４レンズ群Ｇ４は像側に移動した後、物体側に移動する。開口絞りＳは、第３レンズ群Ｇ３と共に固定されている。
【０６０６】
遠点から近点へのフォーカス時、第４レンズ群Ｇ４が像側に移動する。像ブレ補正時、両凸正レンズＬ１７、両凹負レンズＬ１８、及び両凹負レンズＬ１９が、光軸と垂直な方向に移動する。
【０６０７】
非球面は、両凸正レンズＬ１２の両面の合計２面に設けられている。
【０６０８】
実施例２７は、ズーム光学系の実施例である。ズーム光学系は、物体側から順に、正の屈折力を有する第１レンズ群Ｇ１と、負の屈折力を有する第２レンズ群Ｇ２と、正の屈折力を有する第３レンズ群Ｇ３と、負の屈折力を有する第４レンズ群Ｇ４と、負の屈折力を有する第５レンズ群Ｇ５と、正の屈折力を有する第６レンズ群Ｇ６と、で構成されている。開口絞りＳは、第２レンズ群Ｇ２と第３レンズ群Ｇ３との間に配置されている。
【０６０９】
第１レンズ群Ｇ１と第２レンズ群Ｇ２とで、前側レンズ群が構成されている。第１レンズ群Ｇ１は第１前群で、第２レンズ群Ｇ２は第２前群である。第３レンズ群Ｇ３と第４レンズ群Ｇ４とで中間レンズ群が構成されている。第３レンズ群Ｇ３は第１中間群で、第４レンズ群Ｇ４は第２中間群である。第５レンズ群Ｇ５は移動レンズ群である。第６レンズ群Ｇ６は後側レンズ群である。
【０６１０】
第１レンズ群Ｇ１は、物体側に凸面を向けた正メニスカスレンズＬ１と、物体側に凸面を向けた負メニスカスレンズＬ２と、物体側に凸面を向けた正メニスカスレンズＬ３と、で構成されている。ここで、負メニスカスレンズＬ２と正メニスカスレンズＬ３とが接合されている。
【０６１１】
第２レンズ群Ｇ２は、像側に凸面を向けた正メニスカスレンズＬ４と、両凹負レンズＬ５と、物体側に凸面を向けた正メニスカスレンズＬ６と、両凹負レンズＬ７と、で構成されている。ここで、正メニスカスレンズＬ４、両凹負レンズＬ５、及び正メニスカスレンズＬ６が接合されている。
【０６１２】
第３レンズ群Ｇ３は、両凸正レンズＬ８と、両凹負レンズＬ９と、両凸正レンズＬ１０と、両凸正レンズＬ１１と、で構成されている。ここで、両凹負レンズＬ９と両凸正レンズＬ１０とが接合されている。
【０６１３】
第４レンズ群Ｇ４は、物体側に凸面を向けた負メニスカスレンズＬ１２と、物体側に凸面を向けた正メニスカスレンズＬ１３と、で構成されている。ここで、負メニスカスレンズＬ１２と正メニスカスレンズＬ１３とが接合されている。
【０６１４】
第５レンズ群Ｇ５は、物体側に凸面を向けた負メニスカスレンズＬ１４で構成されている。
【０６１５】
第６レンズ群Ｇ６は、物体側に凸面を向けた正メニスカスレンズＬ１５と、両凸正レンズＬ１６と、両凹負レンズＬ１７と、両凹負レンズＬ１８と、両凸正レンズＬ１９と、両凸正レンズＬ２０と、両凹負レンズＬ２１と、で構成されている。
【０６１６】
ここで、両凸正レンズＬ１６と両凹負レンズＬ１７とが接合されている。両凸正レンズＬ２０と両凹負レンズＬ２１とが接合されている。
【０６１７】
広角端から望遠端へのズーム時、第１レンズ群Ｇ１、第３レンズ群Ｇ３、及び第６レンズ群Ｇ６は固定されている。第２レンズ群Ｇ２は像側に移動する。第４レンズ群Ｇ４は像側に移動した後、物体側に移動する。第５レンズ群Ｇ５は物体側に移動した後、像側に移動する。開口絞りＳは、第３レンズ群Ｇ３と共に固定されている。
【０６１８】
遠点から近点へのフォーカス時、第４レンズ群Ｇ４が像側に移動する。像ブレ補正時、両凸正レンズＬ１６、両凹負レンズＬ１７、及び両凹負レンズＬ１８が、光軸と垂直な方向に移動する。
【０６１９】
非球面は、両凸正レンズＬ８の両面の合計２面に設けられている。
【０６２０】
実施例２８は、撮像光学系の実施例である。実施例２８の撮像光学系では、実施例２７のズーム光学系の中に、テレコンバーターレンズが挿入されている。実施例２７のズーム光学系と同じ構成については、説明を省略する。
【０６２１】
テレコンバーターレンズは、物体側に凸面を向けた負メニスカスレンズＬ２０と、物体側に凸面を向けた正メニスカスレンズ２１と、物体側に凸面を向けた正メニスカスレンズＬ２２と、物体側に凸面を向けた負メニスカスレンズＬ２３と、物体側に凸面を向けた負メニスカスレンズＬ２４と、両凸正レンズＬ２５と、両凹負レンズＬ２６と、で構成されている。
【０６２２】
ここで、負メニスカスレンズＬ２０と正メニスカスレンズ２１とが接合されている。正メニスカスレンズＬ２２と負メニスカスレンズＬ２３とが接合されている。負メニスカスレンズＬ２４、両凸正レンズＬ２５、及び両凹負レンズＬ２６が接合されている。
【０６２３】
両凸正レンズＬ２７は、実施例２７のズーム光学系の両凸正レンズＬ２０に対応している。両凹負レンズＬ２８は、実施例２７のズーム光学系の両凹負レンズＬ２１に対応している。
【０６２４】
実施例２７のズーム光学系では、両凸正レンズＬ１９と両凸正レンズＬ２０との間に所定の空間が形成されている。実施例２８の撮像光学系では、両凸正レンズＬ１９と両凸正レンズＬ２７との間に、テレコンバーターレンズが挿入されている。
【０６２５】
以下に、上記各実施例の数値データを示す。面データにおいて、ｒは各レンズ面の曲率半径、ｄは各レンズ面間の間隔、ｎｄは各レンズのｄ線の屈折率、νｄは各レンズのアッベ数、＊印は非球面である。
【０６２６】
また、ズームデータにおいて、ＯＢは物体までの距離、ｆは全系の焦点距離、ＦＮＯ．はＦナンバー、ωは半画角、ＢＦはバックフォーカス、ＬＴＬは光学系の全長、である。バックフォーカスは、最も像側のレンズ面から近軸像面までの距離を空気換算して表したものである。全長は、最も物体側のレンズ面から最も像側のレンズ面までの距離にバックフォーカスを加えたものである。ズームデータ１は、無限遠物点合焦時のデータ、ズームデータ２は、近距離物点合焦時のデータである。ＯＢの単位はｍ（メートル）である。
【０６２７】
また、非球面形状は、光軸方向をｚ、光軸に直交する方向をｙにとり、円錐係数をｋ、非球面係数をＡ４、Ａ６、Ａ８、Ａ１０、Ａ１２…としたとき、次の式で表される。
ｚ＝（ｙ2／ｒ）／［１＋｛１−（１＋ｋ）（ｙ／ｒ）2｝1/2］
＋Ａ４ｙ4＋Ａ６ｙ6＋Ａ８ｙ8＋Ａ１０ｙ10＋Ａ１２ｙ12＋…
また、非球面係数において、「e−ｎ」（ｎは整数）は、「１０−ｎ」を示している。
なお、これら諸元値の記号は後述の実施例の数値データにおいても共通である。
【０６２８】
数値実施例１
単位  ｍｍ
面データ
面番号         r          d         nd       νd
物面        ∞         ∞
1     149.303      2.60     1.95375    32.32
2      98.205      9.31     1.43875    94.66
3    -366.919      0.20
4     101.412      7.41     1.43875    94.66
5  -16090.886      可変
6    -315.310      2.46     1.85478    24.80
7     -75.457      1.60     1.48749    70.23
8      36.528      5.13     1.80610    33.27
9      45.960      4.15
10*    -63.727      1.50     1.80139    45.45
11*    224.152      可変
12(絞り)  ∞        1.80
13*     41.917      6.32     1.49700    81.54
14*   -108.431      5.90
15      87.055      1.50     1.85025    30.05
16      35.172     10.07     1.48749    70.23
17    -188.732      3.12
18     231.965      4.43     1.49700    81.54
19     -65.440      可変
20    1229.188      2.18     1.92286    18.90
21     -76.155      1.30     1.80139    45.45
22*     30.101      可変
23      39.710      1.40     1.80420    46.50
24      22.410      可変
25      27.720      3.78     1.43875    94.66
26    -162.301      1.19
27     157.628      2.45     1.92286    20.88
28    -119.287      0.90     1.48749    70.23
29      28.516      5.54
30     -50.747      0.90     1.69680    55.53
31      47.120      2.64
32      42.301      4.92     1.63980    34.46
33     -38.471      1.30     1.92286    20.88
34    -210.071      0.30
35      84.758      9.07     1.59551    39.24
36     -25.430      1.30     1.92286    20.88
37     -37.648      可変
像面        ∞
非球面データ
第１０面
k=0.000
A4=4.53077e-07,A6=1.36401e-09,A8=1.66252e-12
第１１面
k=0.000
A4=4.28061e-07,A6=1.58387e-09,A8=6.57722e-13
第１３面
k=0.000
A4=-2.65536e-06,A6=1.58078e-09,A8=-1.74710e-12
第１４面
k=0.000
A4=2.43516e-06,A6=1.30990e-09,A8=-1.48814e-12
第２２面
k=-0.493
A4=8.72223e-07,A6=-1.58762e-09
ズームデータ１
広角端     中間     望遠端
ｆ               101.63    200.26    394.08
ＦＮＯ．           4.59      5.15      5.78
２ω              12.15      6.16      3.12
ＢＦ(in air)      30.71     30.71     30.71
ＬＴＬ(in air)   251.51    251.51    251.51
d5          14.85     48.06     77.14
d11         64.68     31.47      2.38
d19         14.82     17.00      6.05
d22         16.63     13.29     25.03
d24          3.15      4.32      3.53
d37         30.71     30.71     30.71
ズームデータ２
広角端     中間     望遠端
ＯＢ        947.1     947.1     947.1
d5          14.85     48.06     77.14
d11         64.68     31.47      2.38
d19         16.12     22.45     25.63
d22         16.18      9.52      4.22
d24          2.31      2.64      4.75
d37         30.71     30.71     30.71
各群焦点距離
f1=150.49    f2=-44.95     f3=41.80    f4=-41.30
f5=-66.36    f6=68.45
【０６２９】
数値実施例２
単位  ｍｍ
面データ
面番号         r          d         nd       νd
物面        ∞         ∞
1     111.721      8.52     1.48749    70.23
2    2761.774      0.20
3     109.671      2.74     1.65412    39.68
4      58.341     12.39     1.43875    94.66
5     532.867      可変
6   -1399.873      2.64     1.85478    24.80
7     -80.384      1.60     1.48749    70.23
8      37.086      2.51     1.80610    33.27
9      50.402      3.50
10     -77.132      1.50     1.83481    42.71
11     111.280      可変
12(絞り)  ∞        1.80
13*     37.402      6.39     1.49700    81.54
14*   -219.288      2.33
15     127.887      1.50     1.76182    26.52
16      45.105      5.35     1.49700    81.54
17    -122.323      0.32
18     116.003      3.93     1.49700    81.54
19     -58.952      可変
20    -884.227      2.18     1.92286    18.90
21     -88.666      1.30     1.74320    49.29
22*     33.440      可変
23      56.690      1.40     1.80420    46.50
24      27.944      可変
25     134.078      3.28     1.43875    94.66
26     -33.180      9.94
27     120.362      2.45     1.92286    20.88
28    -122.423      0.90     1.59282    68.63
29      20.413      7.55
30     -28.974      0.90     1.77250    49.60
31    -245.135      1.94
32      48.912      4.86     1.63980    34.46
33     -31.932      1.30     1.92286    20.88
34     -94.105      0.30
35     141.087      5.54     1.59551    39.24
36     -23.829      1.30     1.92286    20.88
37     -33.580      可変
像面        ∞
非球面データ
第１３面
k=0.000
A4=-2.08583e-06,A6=4.45329e-09,A8=1.53138e-12
第１４面
k=0.000
A4=6.40441e-06,A6=5.28792e-09,A8=2.00163e-12
第２２面
k=-1.014
A4=3.75206e-06,A6=-8.15545e-10
ズームデータ１
広角端     中間     望遠端
ｆ               101.61    200.18    393.07
ＦＮＯ．           4.58      5.15      5.78
２ω              12.21      6.19      3.15
ＢＦ(in air)      28.25     28.25     28.25
ＬＴＬ(in air)   254.66    254.66    254.65
d5          27.70     62.30     93.09
d11         67.83     33.24      2.44
d19          8.09      9.86      1.89
d22         16.60     11.48     20.71
d24          3.83      7.17      5.92
d37         28.25     28.25     28.25
ズームデータ２
広角端     中間     望遠端
ＯＢ        944.0     944.0     944.0
d5          27.70     62.30     93.09
d11         67.83     33.24      2.44
d19          9.15     14.14     17.93
d22         16.03      8.40      4.37
d24          3.34      5.98      6.22
d37         28.25     28.25     28.25
各群焦点距離
f1=174.70    f2=-46.80     f3=34.46    f4=-47.06
f5=-70.05    f6=92.77
【０６３０】
数値実施例３
単位  ｍｍ
面データ
面番号         r          d         nd       νd
物面        ∞         ∞
1     110.146      9.00     1.48749    70.23
2   -5329.944      0.20
3      95.949      3.00     1.83400    37.16
4      59.408     11.80     1.43875    94.66
5     601.890      可変
6   -1553.067      2.00     1.59349    67.00
7      33.555      6.00     1.85478    24.80
8      55.229      3.31
9    -127.893      1.80     1.78800    47.37
10     135.513      可変
11      48.570      6.51     1.70154    41.24
12    -611.019      3.30
13      34.258      6.80     1.49700    81.54
14     321.779      2.50
15(絞り)  ∞        2.03
16    -161.311      2.00     2.00100    29.13
17      27.417      8.00     1.49700    81.54
18*   -108.979      5.97
19    -108.990      3.68     1.80000    29.84
20     -25.777      1.15     1.69680    55.53
21    -320.517      0.70
22    -127.670      1.15     1.80100    34.97
23      68.128      3.50
24*     25.918      6.72     1.61881    63.85
25*    -52.713      可変
26     112.714      1.00     1.69680    55.53
27      18.825      2.05     1.80810    22.76
28      23.129      可変
29    -169.801      1.00     1.77250    49.60
30      46.489      可変
31      98.622      4.50     1.80810    22.76
32     -36.834      0.77
33     -48.261      3.60     1.84666    23.78
34     -23.512      1.50     1.94595    17.98
35     -96.087      可変
像面        ∞
非球面データ
第１８面
k=0.000
A4=-3.39307e-06,A6=4.81854e-09,A8=-2.42826e-12
第２４面
k=0.000
A4=-1.43449e-05,A6=-3.91171e-09,A8=-6.32139e-12
第２５面
k=0.000
A4=2.71199e-06,A6=-5.56805e-09,A8=5.29659e-12
ズームデータ１
広角端     中間     望遠端
ｆ               102.57    201.12    394.21
ＦＮＯ．           4.60      5.03      5.78
２ω              11.95      6.08      3.11
ＢＦ(in air)      32.51     32.50     32.51
ＬＴＬ(in air)   258.77    258.77    258.77
d5           2.00     41.29     72.15
d10         72.00     32.71      1.50
d25          7.14     10.72      3.00
d28         30.11     24.85     29.68
d30          9.47     11.15     14.04
d35         32.51     32.50     32.51
ズームデータ２
広角端     中間     望遠端
ＯＢ        867.4     867.4     867.4
d5           2.00     41.29     72.50
d10         72.00     32.71      1.50
d25          8.33     15.82     22.00
d28         31.03     25.37     21.26
d30          7.34      5.52      3.46
d35         32.51     32.51     32.51
各群焦点距離
f1=167.09    f2=-50.54     f3=51.08    f4=-44.92
f5=-47.15    f6=55.34
【０６３１】
数値実施例４
単位  ｍｍ
面データ
面番号         r          d         nd       νd
物面        ∞         ∞
1     145.311      3.00     1.48749    70.23
2     120.467      9.38     1.49700    81.54
3    -378.744      0.20
4      69.412      2.60     1.80100    34.97
5      50.247     10.30     1.43875    94.66
6     122.514      可変
7    -885.590      2.20     1.49700    81.54
8      31.393      4.18     1.85478    24.80
9      53.663      5.17
10    -193.671      1.80     1.83400    37.16
11      82.578      可変
12      53.081      5.60     1.71999    50.23
13    -843.289      0.50
14      53.912      7.33     1.59282    68.63
15     195.079      0.27
16      42.871      6.89     1.49700    81.54
17    -122.364      1.79     1.89190    37.13
18      23.505      6.50     1.49700    81.54
19    1128.398      6.14
20      85.096      4.00     1.80100    34.97
21     -42.481      1.25     1.71999    50.23
22      55.655      6.63
23     -75.846      1.20     1.80610    40.92
24      97.000      7.00
25(絞り)  ∞        1.50
26*     30.457      4.00     1.61881    63.85
27     -70.217      可変
28     213.630      1.20     1.77250    49.60
29      19.889      2.03     1.76182    26.52
30      30.081      可変
31   -1071.904      1.20     1.77250    49.60
32      23.827      2.30     1.64769    33.79
33      54.464      可変
34     125.357      6.00     1.69895    30.13
35     -29.257      0.20
36     -30.509      1.80     1.94595    17.98
37     -50.857      可変
像面        ∞
非球面データ
第２６面
k=0.000
A4=-8.31494e-06,A6=-4.96017e-09,A8=-1.05386e-11
ズームデータ１
広角端     中間     望遠端
ｆ               101.71    199.48    391.16
ＦＮＯ．           4.32      4.66      5.71
２ω              12.02      6.13      3.14
ＢＦ(in air)      42.25     42.25     42.25
ＬＴＬ(in air)   261.53    261.53    261.53
d6           7.22     41.83     58.83
d11         78.82     38.08      1.50
d27          3.00      6.20      2.99
d30          6.38      3.92     21.60
d33          9.71     15.11     20.21
d37         42.25     42.25     42.25
ズームデータ２
広角端     中間     望遠端
ＯＢ        935.0     935.0     935.0
d6           7.22     41.83     58.83
d11         78.82     38.08      1.50
d27          4.49     12.45     22.00
d30          8.03      5.82     18.81
d33          6.57      6.96      4.00
d37         42.32     42.29     42.25
各群焦点距離
f1=169.02    f2=-52.05     f3=57.75    f4=-45.26
f5=-55.68    f6=59.08
【０６３２】
数値実施例５
単位  ｍｍ
面データ
面番号         r          d         nd       νd
物面        ∞         ∞
1     121.937     12.04     1.48749    70.23
2    4843.755      0.20
3     109.453      3.60     1.89190    37.13
4      69.557     15.44     1.43875    94.66
5     831.754      可変
6   -4710.631      2.50     1.60311    60.64
7      42.093      7.41     1.85478    24.80
8      64.369      5.10
9     -96.124      1.80     1.59349    67.00
10     226.742      可変
11      61.941      7.76     1.66672    48.32
12    -330.617      0.50
13      66.371      7.61     1.43875    94.66
14    -131.030      2.97     1.71999    50.23
15     139.786     14.08
16(絞り)  ∞        4.12
17     101.276      2.00     2.00069    25.46
18      30.095     10.41     1.49700    81.54
19     -38.764      3.36     1.75500    52.32
20     -98.304      0.30
21      42.591      4.50     1.80000    29.84
22     407.724      可変
23     430.483      1.00     1.78800    47.37
24      37.215      2.01     1.80810    22.76
25      53.453      可変
26      66.799      2.00     1.61340    44.27
27     619.280      1.00     1.80400    46.58
28      30.010      可変
29    -608.775      3.50     1.49700    81.54
30     -40.883      3.00
31      64.570      3.00     1.72825    28.46
32     -40.835      1.00     1.72916    54.68
33      28.719      4.84
34    -136.761      1.00     1.83481    42.73
35      56.033      5.62
36      41.844      4.50     1.61772    49.81
37   -1319.160      8.02
38      56.686      4.50     1.84666    23.78
39     -43.002      1.50     1.94595    17.98
40     460.012      可変
像面        ∞
ズームデータ１
広角端     中間     望遠端
ｆ               154.31    272.32    494.21
ＦＮＯ．           5.14      5.40      5.80
２ω               8.04      4.55      2.50
ＢＦ(in air)      33.03     33.03     33.03
ＬＴＬ(in air)   302.83    302.83    302.83
d5           4.42     43.27     76.65
d10         73.73     34.88      1.50
d22          9.51     14.25      3.00
d25         21.68     11.54     22.73
d28          8.28     13.69     13.74
d40         33.03     33.03     33.03
ズームデータ２
広角端     中間     望遠端
ＯＢ       1300.4    1300.4    1300.4
d5           4.42     43.27     76.65
d10         73.73     34.88      1.50
d22         11.28     19.08     19.29
d25         21.36     13.18     19.11
d28          6.83      7.21      1.07
d40         33.03     33.03     33.03
各群焦点距離
f1=193.80    f2=-62.24     f3=55.95    f4=-78.78
f5=-59.32    f6=140.91
【０６３３】
数値実施例６
単位  ｍｍ
面データ
面番号         r          d         nd       νd
物面        ∞         ∞
1     133.168     11.81     1.48749    70.23
2   -2359.129      0.20
3     116.357      3.80     1.83400    37.16
4      70.858     15.07     1.43875    94.66
5     899.129      可変
6   -1781.962      2.35     1.48749    70.23
7      46.329      5.97     1.85478    24.80
8      66.914      5.15
9    -187.736      1.80     1.69680    55.53
10     151.953      可変
11      54.375      7.87     1.70154    41.24
12    -528.893      0.55
13      36.389      8.56     1.49700    81.54
14    -187.152      1.80     1.88300    40.76
15     152.853      4.91
16(絞り)  ∞        2.60
17      96.920      1.51     2.00100    29.13
18      23.355      7.03     1.49700    81.54
19     165.160      7.35
20    -279.360      3.40     1.80100    34.97
21     -35.122      1.00     1.69680    55.53
22      87.557      1.41
23    -386.520      1.00     1.78800    47.37
24      70.056      3.50
25*     25.776      6.84     1.61881    63.85
26*    -57.485      可変
27      68.637      1.00     1.83481    42.73
28      16.711      2.10     1.80810    22.76
29      22.025      可変
30    -135.932      2.40     1.76182    26.52
31     -16.289      1.00     1.88300    40.76
32      39.756      可変
33      53.677      5.00     1.84666    23.78
34     -31.220      0.20
35     -65.245      4.50     1.80000    29.84
36     -17.459      1.50     1.94595    17.98
37    -109.637      可変
像面        ∞
非球面データ
第２５面
k=0.000
A4=-1.09321e-05,A6=-6.77521e-09,A8=-9.79193e-12
第２６面
k=0.000
A4=3.46924e-06,A6=-6.11169e-09,A8=2.50249e-12
ズームデータ１
広角端     中間     望遠端
ｆ               140.63    220.60    360.31
ＦＮＯ．           4.21      4.21      4.21
２ω               8.69      5.55      3.42
ＢＦ(in air)      25.79     25.79     25.79
ＬＴＬ(in air)   255.63    255.63    255.63
d5           4.27     37.72     69.09
d10         66.32     32.87      1.50
d26         13.96     12.73      3.00
d29         14.81     14.99     23.00
d32          7.29      8.34     10.06
d37         25.79     25.79     25.79
ズームデータ２
広角端     中間     望遠端
ＯＢ        986.4     986.4     986.4
d5           4.27     37.72     69.09
d10         66.32     32.87      1.50
d26         17.20     20.82     22.04
d29         13.96     11.21      9.64
d32          4.90      4.03      4.37
d37         25.79     25.79     25.79
各群焦点距離
f1=196.30    f2=-76.04     f3=60.35    f4=-39.34
f5=-28.06    f6=33.13
【０６３４】
数値実施例７
単位  ｍｍ
面データ
面番号         r          d         nd       νd
物面        ∞         ∞
1     152.378     11.16     1.43875    94.66
2    -785.028      0.20
3     107.267      3.67     1.83400    37.16
4      72.391     14.20     1.43875    94.66
5     604.702      可変
6   -1338.874      2.20     1.49700    81.54
7      37.645      7.50     1.85478    24.80
8      49.297      4.93
9    -120.261      1.80     1.72916    54.68
10     205.458      可変
11      56.079      6.68     1.70154    41.24
12    -596.574      2.18
13      32.396      6.80     1.49700    81.54
14     231.943      2.51
15(絞り)  ∞        2.06
16   -2717.224      3.43     2.00100    29.13
17      24.925      9.01     1.49700    81.54
18*   -130.226      4.00
19    -149.974      3.60     1.80100    34.97
20     -25.965      1.15     1.72916    54.68
21     286.035      1.00
22    -162.449      1.15     1.78800    47.37
23      76.640      3.50
24*     27.617      6.50     1.61881    63.85
25     -51.577      可変
26     116.518      1.00     1.69680    55.53
27      18.394      2.08     1.80810    22.76
28      23.229      可変
29     329.309      2.00     1.72825    28.46
30    -111.463      1.00     1.77250    49.60
31      38.131      可変
32      67.421      4.50     1.80810    22.76
33     -42.397      0.20
34     -62.211      3.60     1.84666    23.78
35     -24.445      1.50     1.94595    17.98
36    -419.264      可変
像面        ∞
非球面データ
第１８面
k=0.000
A4=-7.33808e-07,A6=8.57504e-09,A8=-5.79950e-12
第２４面
k=0.000
A4=-1.36872e-05,A6=1.75165e-09,A8=-7.90166e-12
ズームデータ１
広角端     中間     望遠端
ｆ               102.59    201.16    394.28
ＦＮＯ．           4.60      4.60      4.60
２ω              11.93      6.08      3.11
ＢＦ(in air)      29.91     29.89     29.90
ＬＴＬ(in air)   276.26    276.24    276.24
d5           3.00     48.00     84.89
d10         83.39     38.39      1.50
d25          6.02      9.58      3.00
d28         28.54     21.42     20.93
d31         10.29     13.85     20.92
d36         29.91     29.89     29.90
ズームデータ２
広角端     中間     望遠端
ＯＢ        963.1     963.1     963.1
d5           3.00     48.00     84.89
d10         83.39     38.39      1.50
d25          6.90     13.47     19.96
d28         31.12     27.39     21.40
d31          6.84      4.00      3.50
d36         29.91     29.89     29.90
各群焦点距離
f1=193.93    f2=-58.00     f3=50.98    f4=-45.10
f5=-54.43    f6=63.88
【０６３５】
数値実施例８
単位  ｍｍ
面データ
面番号         r          d         nd       νd
物面        ∞         ∞
1     134.303     12.49     1.48749    70.23
2    4713.154      0.20
3     125.063      3.00     1.67300    38.15
4      70.036     16.94     1.43875    94.66
5     490.913      可変
6   -1224.194      3.76     1.84666    23.78
7     -96.069      1.60     1.48749    70.23
8      48.344      2.91     1.80610    33.27
9      61.926      7.34
10     -84.876      1.50     1.83481    42.71
11     163.805      可変
12(絞り)  ∞        1.80
13*     63.026      6.29     1.49700    81.54
14*   -118.473      2.99
15    -878.167      1.50     1.84666    23.78
16      83.578     10.13     1.59282    68.63
17    -116.921      0.20
18      66.106      7.19     1.49700    81.54
19     -56.691      可変
20     980.005      1.50     1.74320    49.29
21      21.425      2.95     1.80518    25.42
22      32.721      可変
23      52.574      1.40     1.77250    49.60
24      35.488      可変
25    -133.222      2.47     1.43875    94.66
26     -38.532      1.08
27      74.653      2.45     1.85478    24.80
28    -163.855      0.90     1.59282    68.63
29      40.205      2.06
30    -120.987      0.90     1.77250    49.60
31      54.572      5.78
32      40.338      3.03     1.62299    58.16
33     460.286     39.88
34      36.411      8.38     1.61293    37.00
35     -90.002      1.30     1.92286    20.88
36     103.304     可変
像面        ∞
非球面データ
第１３面
k=0.000
A4=-1.49186e-06,A6=3.68488e-09,A8=-6.55574e-12,A10=2.24053e-14
第１４面
k=0.000
A4=4.08165e-06,A6=4.62924e-09,A8=-6.75584e-12,A10=2.62846e-14
ズームデータ１
広角端     中間     望遠端
ｆ               151.86    244.31    392.63
ＦＮＯ．           4.57      4.57      4.57
２ω               8.22      5.11      3.17
ＢＦ(in air)      29.14     29.14     29.14
ＬＴＬ(in air)   313.98    313.98    313.98
d5          47.71     74.73    100.26
d11         55.34     28.32      2.79
d19          7.84      8.40      3.87
d22         14.96     11.03     16.05
d24          5.07      8.44      7.95
d36         29.14     29.14     29.14
ズームデータ２
広角端     中間     望遠端
ＯＢ        984.6     984.6     984.6
d5          47.71     74.73    100.26
d11         55.34     28.32      2.79
d19          9.99     13.82     17.81
d22         13.56      7.96      4.87
d24          4.32      6.10      5.19
d36         29.14     29.14     29.14
各群焦点距離
f1=210.01    f2=-54.84     f3=38.51    f4=-48.09
f5=-146.59   f6=137.14
【０６３６】
数値実施例９
単位  ｍｍ
面データ
面番号         r          d         nd       νd
物面        ∞         ∞
1     134.303     12.49     1.48749    70.23
2    4713.154      0.20
3     125.063      3.00     1.67300    38.15
4      70.036     16.94     1.43875    94.66
5     490.913      可変
6   -1224.194      3.76     1.84666    23.78
7     -96.069      1.60     1.48749    70.23
8      48.344      2.91     1.80610    33.27
9      61.926      7.34
10     -84.876      1.50     1.83481    42.71
11     163.805      可変
12(絞り)  ∞        1.80
13*     63.026      6.29     1.49700    81.54
14*   -118.473      2.99
15    -878.167      1.50     1.84666    23.78
16      83.578     10.13     1.59282    68.63
17    -116.921      0.20
18      66.106      7.19     1.49700    81.54
19     -56.691      可変
20     980.005      1.50     1.74320    49.29
21      21.425      2.95     1.80518    25.42
22      32.721      可変
23      52.574      1.40     1.77250    49.60
24      35.488      可変
25    -133.222      2.47     1.43875    94.66
26     -38.532      1.08
27      74.653      2.45     1.85478    24.80
28    -163.855      0.90     1.59282    68.63
29      40.205      2.06
30    -120.987      0.90     1.77250    49.60
31      54.572      5.78
32      40.338      3.03     1.62299    58.16
33     460.286      1.92
34      23.197      5.24     1.54072    47.23
35     296.376      0.30
36      25.397      4.64     1.60342    38.03
37   -1327.790      1.15     1.90366    31.32
38      17.767      9.85
39     -52.478      0.95     1.88300    40.76
40      15.554      6.40     1.72047    34.71
41     -19.970      0.95     1.88300    40.76
42      56.959      0.54
43      42.736      6.01     1.61340    44.27
44     -35.480      1.93
45      36.411      8.38     1.61293    37.00
46     -90.002      1.30     1.92286    20.88
47     103.304      可変
像面        ∞
非球面データ
第１３面
k=0.000
A4=-1.49186e-06,A6=3.68488e-09,A8=-6.55574e-12,A10=2.24053e-14
第１４面
k=0.000
A4=4.08165e-06,A6=4.62924e-09,A8=-6.75584e-12,A10=2.62846e-14
ズームデータ１
広角端     中間     望遠端
ｆ               189.70    305.19    490.47
ＦＮＯ．           5.71      5.71      5.71
２ω               6.50      4.04      2.51
ＢＦ(in air)      29.14     29.14     29.14
ＬＴＬ(in air)   313.99    313.99    313.99
d5          47.71     74.73    100.26
d11         55.34     28.32      2.79
d19          7.84      8.40      3.87
d22         14.96     11.03     16.05
d24          5.07      8.44      7.95
d47         29.14     29.14     29.14
各群焦点距離
f1=210.01    f2=-54.84     f3=38.51    f4=-48.09
f5=-146.59   f6=5336.99
【０６３７】
数値実施例１０
単位  ｍｍ
面データ
面番号         r          d         nd       νd
物面        ∞         ∞
1     181.127      8.85     1.48749    70.23
2    -947.805      0.40
3     133.128      3.00     1.72047    34.71
4      83.287     11.68     1.43875    94.66
5     443.733      可変
6     307.590      2.20     1.48749    70.23
7      42.617      7.50     1.84666    23.78
8      52.879      7.80
9    -104.850      1.80     1.72916    54.68
10     674.298      可変
11      54.532      7.08     1.74400    44.78
12    1357.445      0.50
13      31.270      9.06     1.49700    81.54
14    -380.692      2.00     1.73400    51.47
15      28.188      3.96
16      80.687      2.00     1.85478    24.80
17      39.283      5.01     1.49700    81.54
18      87.400      3.50
19(絞り)  ∞       10.40
20*     33.508      7.50     1.49700    81.54
21*    -75.978      可変
22     499.087      1.00     1.72916    54.68
23      25.389      2.00     1.85478    24.80
24      31.472      可変
25     169.917      1.20     1.75520    27.51
26      45.668      可変
27      45.738      4.20     1.51633    64.14
28     -58.203      3.00
29     140.081      2.80     1.85478    24.80
30     -69.350      1.00     1.59282    68.63
31      49.103      1.95
32     -86.784      1.00     1.77250    49.60
33      51.657      3.00
34      48.308      3.70     1.67300    38.15
35   15364.863     30.00
36      49.999      6.00     1.74951    35.33
37     -43.225      1.50     1.80810    22.76
38     105.758      可変
像面        ∞
非球面データ
第２０面
k=0.000
A4=-3.77264e-06,A6=-2.12851e-09,A8=-2.70099e-12
第２１面
k=0.000
A4=1.21904e-06,A6=-1.70217e-09,A8=-7.92292e-13
ズームデータ１
広角端     中間     望遠端
ｆ               152.04    238.52    389.53
ＦＮＯ．           4.55      4.55      4.55
２ω               8.15      5.19      3.18
ＢＦ(in air)      28.63     28.63     28.63
ＬＴＬ(in air)   318.47    318.47    318.47
d5          27.63     62.53     97.90
d10         71.76     36.87      1.50
d21         11.42     11.85      5.50
d24         19.27     17.86     23.30
d26          3.19      4.17      5.08
d38         28.63     28.63     28.63
ズームデータ２
広角端     中間     望遠端
ＯＢ        981.5     981.5     981.5
d5          27.63     62.53     97.90
d10         71.76     36.87      1.50
d21         14.58     19.51     25.03
d24         16.11     10.20      3.77
d26          3.19      4.17      5.08
d38         28.63     28.63     28.63
各群焦点距離
f1=231.10    f2=-74.79     f3=56.72    f4=-48.68
f5=-83.04    f6=72.15
【０６３８】
数値実施例１１
単位  ｍｍ
面データ
面番号         r          d         nd       νd
物面        ∞         ∞
1     181.127      8.85     1.48749    70.23
2    -947.805      0.40
3     133.128      3.00     1.72047    34.71
4      83.287     11.68     1.43875    94.66
5     443.733      可変
6     307.590      2.20     1.48749    70.23
7      42.617      7.50     1.84666    23.78
8      52.879      7.80
9    -104.850      1.80     1.72916    54.68
10     674.298      可変
11      54.532      7.08     1.74400    44.78
12    1357.445      0.50
13      31.270      9.06     1.49700    81.54
14    -380.692      2.00     1.73400    51.47
15      28.188      3.96
16      80.687      2.00     1.85478    24.80
17      39.283      5.01     1.49700    81.54
18      87.400      3.50
19(絞り)  ∞       10.40
20*     33.508      7.50     1.49700    81.54
21*    -75.978      可変
22     499.087      1.00     1.72916    54.68
23      25.389      2.00     1.85478    24.80
24      31.472      可変
25     169.917      1.20     1.75520    27.51
26      45.668      可変
27      45.738      4.20     1.51633    64.14
28     -58.203      3.00
29     140.081      2.80     1.85478    24.80
30     -69.350      1.00     1.59282    68.63
31      49.103      1.95
32     -86.784      1.00     1.77250    49.60
33      51.657      3.00
34      48.308      3.70     1.67300    38.15
35   15364.863      3.98
36      16.111      5.52     1.48749    70.23
37     -84.774      0.43
38      52.118      1.02     1.49700    81.54
39      25.550      2.21
40     -98.115      0.90     1.88100    40.14
41      13.481      6.59     1.67300    38.15
42     -13.139      0.90     1.88100    40.14
43      22.295      1.36
44      33.953      2.93     1.73800    32.26
45     -89.590      4.15
46      49.999      6.00     1.74951    35.33
47     -43.225      1.50     1.80810    22.76
48     105.758      可変
像面        ∞
非球面データ
第２０面
k=0.000
A4=-3.77264e-06,A6=-2.12851e-09,A8=-2.70099e-12
第２１面
k=0.000
A4=1.21904e-06,A6=-1.70217e-09,A8=-7.92292e-13
ズームデータ１
広角端     中間     望遠端
ｆ               190.06    298.16    486.94
ＦＮＯ．           5.69      5.69      5.69
２ω               6.42      4.09      2.51
ＢＦ(in air)      28.63     28.63     28.63
ＬＴＬ(in air)   318.47    318.47    318.47
d5          27.63     62.53     97.90
d10         71.76     36.87      1.50
d21         11.42     11.85      5.50
d24         19.27     17.86     23.30
d26          3.19      4.17      5.08
d48         28.63     28.63     28.63
各群焦点距離
f1=231.10    f2=-74.79     f3=56.72    f4=-48.68
f5=-83.04    f6=91.13
【０６３９】
数値実施例１２
単位  ｍｍ
面データ
面番号         r          d         nd       νd
物面        ∞         ∞
1     186.560      7.92     1.48749    70.23
2   -2210.980      0.30
3     155.505      3.00     1.72047    34.71
4      92.440     11.80     1.43875    94.66
5    3662.903      可変
6   -1315.400      1.90     1.48749    70.23
7      45.851      6.50     1.84666    23.78
8      68.617      5.74
9    -145.470      1.70     1.77250    49.60
10     184.725      可変
11      89.508      6.66     1.74400    44.78
12    -230.408     19.20
13      50.748      6.83     1.49700    81.54
14     -96.508      2.00     1.88100    40.14
15      71.593      0.25
16      35.629     10.00     1.80810    22.76
17      23.150      6.50     1.43875    94.66
18     168.720      3.50
19      77.949      3.80     1.83481    42.73
20     -74.361      0.90     1.53996    59.46
21      33.975     11.37
22     -45.008      0.90     1.70154    41.24
23     446.846      3.00
24(絞り)  ∞        1.00
25*     28.561      9.24     1.58313    59.38
26*    -46.437      可変
27     152.108      1.00     1.88300    40.76
28      28.638      2.00     1.85478    24.80
29      28.459      可変
30    -979.818      2.30     1.85478    24.80
31     -28.039      1.00     1.71999    50.23
32      25.246      可変
33      29.339      4.00     1.61340    44.27
34     131.851     28.09
35   -7634.218      4.20     1.73800    32.26
36     -22.311      1.32     1.80810    22.76
37     -49.000      可変
像面        ∞
非球面データ
第２５面
k=0.000
A4=-7.75790e-06,A6=5.19318e-11,A8=-1.38826e-11,A10=2.04906e-13
第２６面
k=0.000
A4=6.79048e-06,A6=-2.80188e-09,A8=-8.54943e-13,A10=2.19885e-13
ズームデータ１
広角端     中間     望遠端
ｆ               152.71    239.55    391.26
ＦＮＯ．           4.57      4.57      4.57
２ω               8.08      5.14      3.15
ＢＦ(in air)      29.01     29.01     29.01
ＬＴＬ(in air)   318.54    318.54    318.54
d5          22.15     58.58     91.06
d10         70.41     33.98      1.50
d26          4.10      6.69      3.81
d29         21.30     18.69     21.60
d32          3.65      3.67      3.64
d37         29.01     29.01     29.01
ズームデータ２
広角端     中間     望遠端
ＯＢ        979.3     979.3     979.3
d5          22.15     58.58     91.06
d10         70.41     33.98      1.50
d26          7.08     14.05     21.92
d29         18.80     12.05      4.54
d32          3.18      2.96      2.40
d37         29.01     29.01     29.01
各群焦点距離
f1=231.50    f2=-70.98     f3=70.18    f4=-40.06
f5=-40.74    f6=45.03
【０６４０】
数値実施例１３
単位  ｍｍ
面データ
面番号         r          d         nd       νd
物面        ∞         ∞
1     186.560      7.92     1.48749    70.23
2   -2210.980      0.30
3     155.505      3.00     1.72047    34.71
4      92.440     11.80     1.43875    94.66
5    3662.903      可変
6   -1315.400      1.90     1.48749    70.23
7      45.851      6.50     1.84666    23.78
8      68.617      5.74
9    -145.470      1.70     1.77250    49.60
10     184.725      可変
11      89.508      6.66     1.74400    44.78
12    -230.408     19.20
13      50.748      6.83     1.49700    81.54
14     -96.508      2.00     1.88100    40.14
15      71.593      0.25
16      35.629     10.00     1.80810    22.76
17      23.150      6.50     1.43875    94.66
18     168.720      3.50
19      77.949      3.80     1.83481    42.73
20     -74.361      0.90     1.53996    59.46
21      33.975     11.37
22     -45.008      0.90     1.70154    41.24
23     446.846      3.00
24(絞り)  ∞        1.00
25*     28.561      9.24     1.58313    59.38
26*    -46.437      可変
27     152.108      1.00     1.88300    40.76
28      28.638      2.00     1.85478    24.80
29      28.459      可変
30    -979.818      2.30     1.85478    24.80
31     -28.039      1.00     1.71999    50.23
32      25.246      可変
33      29.339      4.00     1.61340    44.27
34     131.851      1.75
35      15.345      5.91     1.48749    70.23
36     -59.840      0.21
37      53.422      0.90     1.49700    81.54
38      21.184      3.25
39     -38.458      0.90     1.88100    40.14
40      19.625      6.00     1.65412    39.68
41     -11.985      0.90     1.88100    40.14
42      21.480      0.82
43      27.434      3.20     1.73800    32.26
44     -43.105      4.25
45   -7634.218      4.20     1.73800    32.26
46     -22.311      1.32     1.80810    22.76
47     -49.000      可変
像面        ∞
非球面データ
第２５面
k=0.000
A4=-7.75790e-06,A6=5.19318e-11,A8=-1.38826e-11,A10=2.04906e-13
第２６面
k=0.000
A4=6.79048e-06,A6=-2.80188e-09,A8=-8.54943e-13,A10=2.19885e-13
ズームデータ１
広角端     中間     望遠端
ｆ               191.11    299.78    489.65
ＦＮＯ．           5.72      5.72      5.72
２ω               6.38      4.06      2.49
ＢＦ(in air)      29.01     29.01     29.00
ＬＴＬ(in air)   318.54    318.54    318.54
d5          22.15     58.58     91.06
d10         70.41     33.98      1.50
d26          4.10      6.69      3.81
d29         21.30     18.69     21.60
d32          3.65      3.67      3.64
d47         29.01     29.01     29.00
各群焦点距離
f1=231.50    f2=-70.98     f3=70.18    f4=-40.06
f5=-40.74    f6=49.78
【０６４１】
数値実施例１４
単位  ｍｍ
面データ
面番号         r          d         nd       νd
物面        ∞         ∞
1     194.227      8.85     1.48749    70.23
2    -790.562      0.40
3     143.773      3.00     1.72047    34.71
4      87.588     11.84     1.43875    94.66
5     603.838      可変
6     595.030      2.50     1.48749    70.23
7      44.876      7.50     1.84666    23.78
8      59.624      6.41
9    -116.653      1.80     1.72916    54.68
10     365.411      可変
11      52.695      7.43     1.74400    44.78
12     859.060      0.75
13      32.120      9.26     1.49700    81.54
14    -338.501      2.00     1.73400    51.47
15      28.322      7.58
16      63.344      2.00     1.85478    24.80
17      33.798     10.00     1.49700    81.54
18      61.134      4.93
19(絞り)  ∞        4.00
20*     30.816      7.52     1.49700    81.54
21*    -72.746      可変
22   -2050.395      1.00     1.72916    54.68
23      31.112      2.00     1.85478    24.80
24      35.983      可変
25     323.835      1.20     1.75520    27.51
26      60.394      0.36
27      80.909      4.20     1.51633    64.14
28     -48.975      3.00
29     426.502      2.80     1.85478    24.80
30     -54.309      1.00     1.59282    68.63
31      46.430      2.29
32     -85.808      1.00     1.77250    49.60
33      50.295      3.00
34      50.867      3.70     1.67300    38.15
35    -183.323     31.56
36      39.283      6.00     1.73800    32.26
37     -63.358      1.50     1.80810    22.76
38      77.120      可変
像面        ∞
非球面データ
第２０面
k=0.000
A4=-4.31228e-06,A6=-3.97179e-09,A8=-5.30871e-12
第２１面
k=0.000
A4=1.69811e-06,A6=-4.09330e-09,A8=7.45483e-13
ズームデータ１
広角端     中間     望遠端
ｆ               153.00    240.01    392.01
ＦＮＯ．           4.58      4.58      4.58
２ω               8.13      5.17      3.17
ＢＦ(in air)      28.75     28.75     28.75
ＬＴＬ(in air)   318.60    318.60    318.60
d5          31.06     64.90     97.98
d10         71.94     36.96      1.50
d21         11.11     11.31      5.50
d24         13.35     14.30     22.49
d38         28.75     28.75     28.75
ズームデータ２
広角端     中間     望遠端
ＯＢ        980.0     980.0     980.0
d5          31.06     64.90     97.98
d10         71.94     36.96      1.50
d21         14.56     19.38     25.01
d24          9.91      6.24      2.98
d38         28.75     28.75     28.75
各群焦点距離
f1=235.13    f2=-76.45     f3=57.75    f4=-50.04
f5=208.43
【０６４２】
数値実施例１５
単位  ｍｍ
面データ
面番号         r          d         nd       νd
物面        ∞         ∞
1     194.227      8.85     1.48749    70.23
2    -790.562      0.40
3     143.773      3.00     1.72047    34.71
4      87.588     11.84     1.43875    94.66
5     603.838      可変
6     595.030      2.50     1.48749    70.23
7      44.876      7.50     1.84666    23.78
8      59.624      6.41
9    -116.653      1.80     1.72916    54.68
10     365.411      可変
11      52.695      7.43     1.74400    44.78
12     859.060      0.75
13      32.120      9.26     1.49700    81.54
14    -338.501      2.00     1.73400    51.47
15      28.322      7.58
16      63.344      2.00     1.85478    24.80
17      33.798     10.00     1.49700    81.54
18      61.134      4.93
19(絞り)  ∞        4.00
20*     30.816      7.52     1.49700    81.54
21*    -72.746      可変
22   -2050.395      1.00     1.72916    54.68
23      31.112      2.00     1.85478    24.80
24      35.983      可変
25     323.835      1.20     1.75520    27.51
26      60.394      0.36
27      80.909      4.20     1.51633    64.14
28     -48.975      3.00
29     426.502      2.80     1.85478    24.80
30     -54.309      1.00     1.59282    68.63
31      46.430      2.29
32     -85.808      1.00     1.77250    49.60
33      50.295      3.00
34      50.867      3.70     1.67300    38.15
35    -183.323      5.26
36      15.080      5.91     1.48749    70.23
37     -66.979      0.21
38      53.422      0.90     1.49700    81.54
39      21.184      3.25
40     -38.458      0.90     1.88100    40.14
41      19.625      6.00     1.65412    39.68
42     -11.985      0.90     1.88100    40.14
43      21.480      0.82
44      29.898      3.20     1.73800    32.26
45     -37.992      4.20
46      39.283      6.00     1.73800    32.26
47     -63.358      1.50     1.80810    22.76
48      77.120      可変
像面        ∞
非球面データ
第２０面
k=0.000
A4=-4.31228e-06,A6=-3.97179e-09,A8=-5.30871e-12
第２１面
k=0.000
A4=1.69811e-06,A6=-4.09330e-09,A8=7.45483e-13
ズームデータ１
広角端     中間     望遠端
ｆ               191.06    299.72    489.52
ＦＮＯ．           5.72      5.72      5.72
２ω               6.39      4.07      2.49
ＢＦ(in air)      28.75     28.75     28.75
ＬＴＬ(in air)   318.60    318.60    318.60
d5          31.06     64.90     97.98
d10         71.94     36.96      1.50
d21         11.11     11.31      5.50
d24         13.35     14.30     22.49
d48         28.75     28.75     28.75
各群焦点距離
f1=235.13    f2=-76.45     f3=57.75    f4=-50.04
f5=-134.82
【０６４３】
数値実施例１６
単位  ｍｍ
面データ
面番号         r          d         nd       νd
物面        ∞         ∞
1     136.167     12.48     1.48749    70.23
2    4007.094      0.20
3     126.381      3.00     1.67300    38.15
4      70.832     17.39     1.43875    94.66
5     627.438      可変
6   -1128.152      3.17     1.84666    23.78
7     -89.953      1.60     1.48749    70.23
8      49.320      2.85     1.80610    33.27
9      61.759      4.93
10     -82.912      1.50     1.83481    42.71
11     155.228      可変
12(絞り)  ∞        1.80
13*     59.929      5.95     1.49700    81.54
14*   -150.255      1.98
15    -683.173      1.50     1.84666    23.78
16      83.039      9.43     1.59282    68.63
17    -106.121      0.20
18      66.462      7.65     1.49700    81.54
19     -53.205      可変
20*    982.456      1.50     1.74320    49.29
21      22.498      2.90     1.80518    25.42
22      33.932      可変
23     132.876      1.40     1.69680    55.53
24      45.457      可変
25     353.096      3.02     1.43875    94.66
26     -47.475      0.97
27     119.943      2.45     1.85478    24.80
28     -95.645      0.90     1.59282    68.63
29      49.369      1.86
30    -178.717      0.90     1.77250    49.60
31      54.524      2.69
32      43.898      3.18     1.69680    55.53
33    -835.837     39.38
34      33.810      4.69     1.67300    38.15
35     919.956      1.30     1.92286    20.88
36      48.339      可変
像面        ∞
非球面データ
第１３面
k=0.000
A4=-2.29861e-06,A6=-3.96906e-09,A8=1.22868e-11,
A10=-4.18684e-14
第１４面
k=0.000
A4=3.84772e-06,A6=-2.42464e-09,A8=1.17099e-11,
A10=-3.81267e-14
第２０面
k=-1.010
A4=-1.65301e-09,A6=4.65449e-10
ズームデータ１
広角端     中間     望遠端
ｆ               136.88    220.20    353.30
ＦＮＯ．           4.08      4.08      4.08
２ω               9.08      5.64      3.51
ＢＦ(in air)      30.03     30.03     30.03
ＬＴＬ(in air)   299.52    299.53    299.52
d5          46.28     73.12     98.52
d11         55.11     28.27      2.87
d19          6.77      7.51      3.61
d22         14.38     11.58     14.85
d24          4.18      6.24      6.86
d36         30.03     30.03     30.03
ズームデータ２
広角端     中間     望遠端
ＯＢ        999.1     999.1     999.1
d5          46.28     73.12     98.52
d11         55.11     28.27      2.87
d19          8.70     12.40     16.47
d22         13.19      9.09      5.62
d24          3.44      3.84      3.24
d36         30.03     30.03     30.03
各群焦点距離
f1=206.25    f2=-53.75     f3=37.76    f4=-49.82
f5=-99.82    f6=105.85
【０６４４】
数値実施例１７
単位  ｍｍ
面データ
面番号         r          d         nd       νd
物面        ∞         ∞
1     136.167     12.48     1.48749    70.23
2    4007.094      0.20
3     126.381      3.00     1.67300    38.15
4      70.832     17.39     1.43875    94.66
5     627.438      可変
6   -1128.152      3.17     1.84666    23.78
7     -89.953      1.60     1.48749    70.23
8      49.320      2.85     1.80610    33.27
9      61.759      4.93
10     -82.912      1.50     1.83481    42.71
11     155.228      可変
12(絞り)  ∞        1.80
13*     59.929      5.95     1.49700    81.54
14*   -150.255      1.98
15    -683.173      1.50     1.84666    23.78
16      83.039      9.43     1.59282    68.63
17    -106.121      0.20
18      66.462      7.65     1.49700    81.54
19     -53.205      可変
20*    982.456      1.50     1.74320    49.29
21      22.498      2.90     1.80518    25.42
22      33.932      可変
23     132.876      1.40     1.69680    55.53
24      45.457      可変
25     353.096      3.02     1.43875    94.66
26     -47.475      0.97
27     119.943      2.45     1.85478    24.80
28     -95.645      0.90     1.59282    68.63
29      49.369      1.86
30    -178.717      0.90     1.77250    49.60
31      54.524      2.69
32      43.898      3.18     1.69680    55.53
33    -835.837      1.65
34      21.620      5.24     1.54072    47.23
35     145.686      0.30
36      30.470      4.64     1.60342    38.03
37    -628.503      1.15     1.90366    31.32
38      19.203      9.85
39     141.283      0.95     1.88300    40.76
40      11.229      6.40     1.72047    34.71
41     -17.932      0.95     1.88300    40.76
42      29.070      0.54
43      23.622      6.01     1.61340    44.27
44     475.765      1.70
45      33.810      4.69     1.67300    38.15
46     919.956      1.30     1.92286    20.88
47      48.339      可変
像面        ∞
非球面データ
第１３面
k=0.000
A4=-2.29861e-06,A6=-3.96906e-09,A8=1.22868e-11,
A10=-4.18684e-14
第１４面
k=0.000
A4=3.84772e-06,A6=-2.42464e-09,A8=1.17099e-11,
A10=-3.81267e-14
第２０面
k=-1.010
A4=-1.65301e-09,A6=4.65449e-10
ズームデータ１
広角端     中間     望遠端
ｆ               192.94    310.41    498.00
ＦＮＯ．           5.74      5.75      5.74
２ω               6.35      3.94      2.46
ＢＦ(in air)      30.03     30.03     30.03
ＬＴＬ(in air)   299.52    299.53    299.52
d5          46.28     73.12     98.52
d11         55.11     28.27      2.87
d19          6.77      7.51      3.61
d22         14.38     11.58     14.85
d24          4.18      6.24      6.86
d47         30.03     30.03     30.03
各群焦点距離
f1=206.25    f2=-53.75     f3=37.76    f4=-49.82
f5=-99.82    f6=584.42
【０６４５】
数値実施例１８
単位  ｍｍ
面データ
面番号         r          d         nd       νd
物面        ∞         ∞
1     136.167     12.48     1.48749    70.23
2    4007.094      0.20
3     126.381      3.00     1.67300    38.15
4      70.832     17.39     1.43875    94.66
5     627.438      可変
6   -1128.152      3.17     1.84666    23.78
7     -89.953      1.60     1.48749    70.23
8      49.320      2.85     1.80610    33.27
9      61.759      4.93
10     -82.912      1.50     1.83481    42.71
11     155.228      可変
12(絞り)  ∞        1.80
13*     59.929      5.95     1.49700    81.54
14*   -150.255      1.98
15    -683.173      1.50     1.84666    23.78
16      83.039      9.43     1.59282    68.63
17    -106.121      0.20
18      66.462      7.65     1.49700    81.54
19     -53.205      可変
20*    982.456      1.50     1.74320    49.29
21      22.498      2.90     1.80518    25.42
22      33.932      可変
23     132.876      1.40     1.69680    55.53
24      45.457      可変
25     353.096      3.02     1.43875    94.66
26     -47.475      0.97
27     119.943      2.45     1.85478    24.80
28     -95.645      0.90     1.59282    68.63
29      49.369      1.86
30    -178.717      0.90     1.77250    49.60
31      54.524      2.69
32      43.898      3.18     1.69680    55.53
33    -835.837      3.49
34     -51.576      2.50     2.00100    29.13
35      52.652      8.32     1.92286    20.88
36     -45.826      0.30
37     -61.190      2.00     1.92286    20.88
38    -153.015      5.51     1.88300    40.76
39     -69.884      0.30
40      90.469      2.14     1.88300    40.76
41     166.550      0.30
42      46.887      9.41     1.88300    40.76
43     -51.670      1.50     1.85478    24.80
44      40.513      3.61
45      33.810      4.69     1.67300    38.15
46     919.956      1.30     1.92286    20.88
47      48.339      可変
像面        ∞
非球面データ
第１３面
k=0.000
A4=-2.29861e-06,A6=-3.96906e-09,A8=1.22868e-11,
A10=-4.18684e-14
第１４面
k=0.000
A4=3.84772e-06,A6=-2.42464e-09,A8=1.17099e-11,
A10=-3.81267e-14
第２０面
k=-1.010
A4=-1.65301e-09,A6=4.65449e-10
ズームデータ１
広角端     中間     望遠端
ｆ                97.89    157.48    252.67
ＦＮＯ．           2.91      2.91      2.91
２ω              12.72      7.89      4.91
ＢＦ(in air)      30.03     30.03     30.03
ＬＴＬ(in air)   299.52    299.52    299.52
d5          46.28     73.12     98.52
d11         55.11     28.27      2.87
d19          6.77      7.51      3.61
d22         14.38     11.58     14.85
d24          4.18      6.24      6.86
d47         30.03     30.03     30.03
各群焦点距離
f1=206.25    f2=-53.75     f3=37.76    f4=-49.82
f5=-99.82    f6=65.65
【０６４６】
数値実施例１９
単位  ｍｍ
面データ
面番号         r          d         nd       νd
物面        ∞         ∞
1     113.660     12.34     1.48749    70.23
2    4723.991      0.20
3     109.753      3.60     1.72047    34.71
4      62.259     17.24     1.43875    94.66
5    2255.011      可変
6    -218.647      2.20     1.69680    55.53
7      46.547      7.50     1.85025    30.05
8     140.697      3.27
9    -397.467      1.80     1.48749    70.23
10      90.053      可変
11      90.812      6.50     1.61800    63.40
12    -223.265     11.90
13     136.600      6.80     1.49700    81.54
14     -90.555      2.00     1.80000    29.84
15    -522.620      可変
16(絞り)  ∞        2.00
17      78.264      2.00     1.95375    32.32
18      32.106      8.16     1.49700    81.54
19     -81.298      1.80     1.85025    30.05
20    -308.610      0.30
21      38.195      4.54     1.73800    32.26
22     341.955      可変
23     595.928      1.00     1.77250    49.60
24      21.166      2.00     1.80810    22.76
25      27.947      可変
26      32.525      2.00     1.80810    22.76
27     134.186      1.00     1.88300    40.76
28      19.580      可変
29      54.449      3.50     1.43875    94.66
30     -28.871      3.00
31     153.778      3.00     1.85478    24.80
32     -29.747      1.00     1.75500    52.32
33      20.074      4.02
34     -26.292      1.00     1.88300    40.76
35     -49.083      3.00
36      42.128      5.20     1.69895    30.13
37     -21.482      0.20
38     -25.000      4.20     1.85478    24.80
39     -14.925      1.50     1.94595    17.98
40     -47.324      可変
像面        ∞
ズームデータ１
広角端     中間     望遠端
ｆ               149.85    235.09    383.85
ＦＮＯ．           4.49      4.49      4.48
２ω               8.21      5.23      3.19
d5           2.84     25.90     44.24
d10         65.10     33.85      1.80
d25          3.10     11.29     25.00
d22         17.80     13.54      3.00
d25          5.00      8.05     18.70
d28          6.23      7.44      7.33
d40         28.08     28.08     28.08
ズームデータ２
広角端     中間     望遠端
ＯＢ        851.8     851.8     851.8
d5           2.84     25.90     44.24
d10         65.10     33.85      1.80
d25          3.10     11.29     25.00
d22         20.67     20.33     17.94
d25          4.55      4.27      6.17
d28          3.82      4.43      4.94
d40         28.08     28.08     28.08
ＢＦ(in air)      28.08     28.08     28.08
ＬＴＬ(in air)   257.92    257.92    257.92
各群焦点距離
f1=164.32    f2=-78.24     f3=89.67     f4=71.93
f5=-38.73    f6=-55.99     f7=80.58
【０６４７】
数値実施例２０
単位  ｍｍ
面データ
面番号         r          d         nd       νd
物面        ∞         ∞
1     182.793      8.90     1.48749    70.23
2    -773.063      0.40
3     128.644      3.00     1.72047    34.71
4      80.920     11.75     1.43875    94.66
5     398.021      可変
6     288.158      2.20     1.48749    70.23
7      42.798      7.10     1.84666    23.78
8      53.816      5.61
9    -114.243      1.80     1.72916    54.68
10     360.334      可変
11      54.948      7.25     1.74400    44.78
12    4333.735      0.73
13      35.207      9.32     1.49700    81.54
14    -188.319      2.53     1.73400    51.47
15      31.337      6.91
16      73.418      2.00     1.85478    24.80
17      36.736      4.94     1.49700    81.54
18      70.971      4.37
19(絞り)  ∞        可変
20*     33.391      8.93     1.49700    81.54
21*    -71.853      可変
22    2769.769      1.00     1.72916    54.68
23      25.306      2.00     1.85478    24.80
24      31.785      可変
25     142.096      1.20     1.75520    27.51
26      45.141      2.90
27      45.692      4.20     1.51633    64.14
28     -49.767      3.00
29     118.585      2.80     1.85478    24.80
30     -80.427      1.00     1.59282    68.63
31      47.402      1.84
32    -101.774      1.00     1.77250    49.60
33      45.971      3.00
34      46.082      3.70     1.67300    38.15
35     270.819     30.00
36      40.511      6.00     1.74951    35.33
37     -51.068      1.50     1.80518    25.42
38      74.717      可変
像面        ∞
非球面データ
第２０面
k=0.000
A4=-3.75524e-06,A6=-2.17024e-09,A8=-4.07174e-12
第２１面
k=0.000
A4=1.48614e-06,A6=-2.09476e-09,A8=-9.65410e-13
ズームデータ１
広角端     中間     望遠端
ｆ               152.21    238.78    389.97
ＦＮＯ．           4.56      4.56      4.56
２ω               8.17      5.20      3.19
ＢＦ(in air)      28.65     28.65     28.65
ＬＴＬ(in air)   318.49    318.49    318.49
d5          29.11     61.87     95.64
d10         75.02     37.39      1.50
d19          4.03      8.90     11.02
d21         11.57     12.07      5.50
d24         17.23     16.73     23.30
d38         28.65     28.65     28.6
ズームデータ２
広角端     中間     望遠端
ＯＢ        980.0     980.0     980.0
d5          29.11     61.87     95.64
d10         75.02     37.39      1.50
d19          4.03      8.90     11.02
d21         14.88     19.96     24.99
d24         13.92      8.84      3.81
d38         28.65     28.65     28.65
各群焦点距離
f1=226.98    f2=-74.95    f3=179.82     f4=47.20
f5=-46.49    f6=167.21
【０６４８】
数値実施例２１
単位  ｍｍ
面データ
面番号         r          d         nd       νd
物面        ∞         ∞
1     182.793      8.90     1.48749    70.23
2    -773.063      0.40
3     128.644      3.00     1.72047    34.71
4      80.920     11.75     1.43875    94.66
5     398.021      可変
6     288.158      2.20     1.48749    70.23
7      42.798      7.10     1.84666    23.78
8      53.816      5.61
9    -114.243      1.80     1.72916    54.68
10     360.334      可変
11      54.948      7.25     1.74400    44.78
12    4333.735      0.73
13      35.207      9.32     1.49700    81.54
14    -188.319      2.53     1.73400    51.47
15      31.337      6.91
16      73.418      2.00     1.85478    24.80
17      36.736      4.94     1.49700    81.54
18      70.971      4.37
19(絞り)  ∞        可変
20*     33.391      8.93     1.49700    81.54
21*    -71.853      可変
22    2769.769      1.00     1.72916    54.68
23      25.306      2.00     1.85478    24.80
24      31.785      可変
25     142.096      1.20     1.75520    27.51
26      45.141      2.90
27      45.692      4.20     1.51633    64.14
28     -49.767      3.00
29     118.585      2.80     1.85478    24.80
30     -80.427      1.00     1.59282    68.63
31      47.402      1.84
32    -101.774      1.00     1.77250    49.60
33      45.971      3.00
34      46.082      3.70     1.67300    38.15
35     270.819      6.00
36      16.111      5.52     1.48749    70.23
37     -84.774      0.43
38      52.118      1.02     1.49700    81.54
39      25.550      2.21
40     -98.115      0.90     1.88100    40.14
41      13.481      6.59     1.67300    38.15
42     -13.139      0.90     1.88100    40.14
43      22.295      1.36
44      33.953      2.93     1.73800    32.26
45     -86.500      2.12
46      40.511      6.00     1.74951    35.33
47     -51.068      1.50     1.80518    25.42
48      74.717      可変
像面        ∞
非球面データ
第２０面
k=0.000
A4=-3.75524e-06,A6=-2.17024e-09,A8=-4.07174e-12
第２１面
k=0.000
A4=1.48614e-06,A6=-2.09476e-09,A8=-9.65410e-13
ズームデータ１
広角端     中間     望遠端
ｆ               190.23    298.42    487.38
ＦＮＯ．           5.69      5.70      5.69
２ω               6.42      4.09      2.50
ＢＦ(in air)      28.65     28.65     28.65
ＬＴＬ(in air)   318.50    318.50    318.50
d5          29.11     61.87     95.64
d10         75.02     37.39      1.50
d19          4.03      8.90     11.02
d21         11.57     12.07      5.50
d24         17.23     16.73     23.30
d48         28.65     28.65     28.65
各群焦点距離
f1=226.98    f2=-74.95    f3=179.82     f4=47.20
f5=-46.49    f6=-200.08
【０６４９】
数値実施例２２
単位  ｍｍ
面データ
面番号         r          d         nd       νd
物面        ∞         ∞
1     172.870     10.75     1.43875    94.66
2    -887.478      0.20
3     130.635      5.32     1.83400    37.16
4      85.312     12.90     1.43875    94.66
5     678.206      可変
6     538.042      2.20     1.49700    81.54
7      37.873      7.50     1.85478    24.80
8      49.873     10.17
9     -81.209      1.80     1.72916    54.68
10     507.207      可変
11      50.315      6.91     1.70154    41.24
12    4949.561      0.50
13      32.171      7.31     1.49700    81.54
14     162.839      2.71
15(絞り)  ∞        2.00
16     383.614      4.47     2.00100    29.13
17      22.484      7.55     1.49700    81.54
18*   -326.723      4.00
19    -162.577      3.60     1.80100    34.97
20     -25.662      1.15     1.72916    54.68
21     633.523      0.93
22    -135.760      1.15     1.78800    47.37
23      69.733      3.50
24*     28.749      7.00     1.61881    63.85
25*    -52.806      可変
26     162.828      1.36     1.69680    55.53
27      22.050      2.10     1.80810    22.76
28      27.748      可変
29    -341.518      1.00     1.48749    70.23
30      45.226      3.38
31      93.105      4.50     1.80810    22.76
32     -33.849      0.20
33     -40.290      3.60     1.85478    24.80
34     -27.124      1.50     1.94595    17.98
35    -147.411      可変
像面        ∞
非球面データ
第１８面
k=0.000
A4=-4.16816e-07,A6=8.56099e-09,A8=-8.39631e-13
第２４面
k=0.000
A4=-1.43628e-05,A6=5.80934e-09,A8=-3.69606e-11
第２５面
k=0.000
A4=-1.22432e-06,A6=2.15531e-09,A8=-2.94013e-11
ズームデータ１
広角端     中間     望遠端
ｆ               101.99    199.98    392.06
ＦＮＯ．           4.08      4.31      4.58
２ω              12.06      6.12      3.12
ＢＦ(in air)      39.50     39.50     39.50
ＬＴＬ(in air)   276.09    289.28    307.27
d5           5.58     60.02    107.02
d10         71.76     30.50      1.50
d25          6.52     11.66      3.19
d28         31.47     26.33     34.80
d35         39.50     39.50     39.50
ズームデータ２
広角端     中間     望遠端
ＯＢ      1101.7    1101.7    1101.7
d5           5.58     60.02    107.02
d10         71.76     30.50      1.50
d25          8.34     18.94     27.70
d28         29.65     19.06     10.29
d35         39.50     39.50     39.50
各群焦点距離
f1=233.87    f2=-59.99     f3=53.72    f4=-51.55
f5=341.31
【０６５０】
数値実施例２３
単位  ｍｍ
面データ
面番号         r          d         nd       νd
物面        ∞         ∞
1     148.261     16.65     1.43875    94.66
2   -1019.961      0.20
3     113.409      3.63     1.83400    37.16
4      74.430     14.24     1.43875    94.66
5     675.743      可変
6     478.085      2.36     1.49700    81.54
7      35.527      7.16     1.85478    24.80
8      45.697     11.42
9     -77.183      1.80     1.72916    54.68
10     854.382      可変
11      53.398     10.00     1.70154    41.24
12   -1854.279      1.51
13      35.452      6.81     1.49700    81.54
14     479.580      2.51
15(絞り)  ∞        2.02
16    -374.630      3.42     2.00100    29.13
17      26.523      8.00     1.49700    81.54
18*   -106.871      4.66
19    -190.014      3.67     1.80100    34.97
20     -26.724      1.25     1.72916    54.68
21     322.259      1.10
22    -126.125      1.15     1.78800    47.37
23      82.894      3.50
24*     31.074      9.02     1.61881    63.85
25     -48.918      可変
26     120.921      1.13     1.69680    55.53
27      20.985      2.02     1.80810    22.76
28      26.393      可変
29      59.215      2.00     1.72825    28.46
30     -56.117      1.00     1.77250    49.60
31      27.371      7.95
32      39.512      4.50     1.80810    22.76
33     -43.396      0.20
34     -78.699      3.60     1.85478    24.80
35     -23.509      1.50     1.94595    17.98
36      75.661      可変
像面        ∞
非球面データ
第１８面
k=0.000
A4=-3.42868e-07,A6=5.46714e-09,A8=-1.74774e-12
第２４面
k=0.000
A4=-1.15038e-05,A6=1.97573e-09,A8=-2.10793e-12
ズームデータ１
広角端     中間     望遠端
ｆ               102.00    199.99    392.13
ＦＮＯ．           4.08      4.08      4.08
２ω              12.05      6.13      3.12
ＢＦ(in air)      29.27     29.27     29.27
ＬＴＬ(in air)   316.10    300.29    296.10
d5          12.94     51.47     85.77
d10         97.40     43.07      4.57
d25          4.27      9.32      2.99
d28         32.23     27.18     33.51
d36         29.27     29.27     29.27
ズームデータ２
広角端     中間     望遠端
ＯＢ       1073.6    1073.6    1073.6
d5          12.94     51.47     85.77
d10         97.40     43.07      4.57
d25          5.82     15.61     25.13
d28         30.69     20.90     11.38
d36         29.27     29.27     29.27
各群焦点距離
f1=204.96    f2=-57.36     f3=54.84    f4=-52.42
f5=-466.53
【０６５１】
数値実施例２４
単位  ｍｍ
面データ
面番号         r          d         nd       νd
物面        ∞         ∞
1     194.065      9.85     1.48749    70.23
2    -778.121      0.50
3     138.752      3.02     1.72047    34.71
4      86.349     11.00     1.43875    94.66
5     451.416      可変
6    1708.735      2.10     1.48749    70.23
7      41.306      3.90     1.76182    26.52
8      70.524      4.24
9    -152.174      1.80     1.72916    54.68
10     145.230      可変
11      57.513      5.88     1.76200    40.10
12     672.799      0.50
13      41.225      9.09     1.49700    81.54
14    -206.918      1.85     1.69680    55.53
15      39.441     11.47
16      66.153      1.80     1.85478    24.80
17      33.576      5.82     1.43875    94.66
18     272.014      4.49
19(絞り)  ∞        5.63
20*     34.063      9.60     1.49700    81.54
21*   -152.652      可変
22     262.523      1.00     1.78800    47.37
23      31.024      2.00     1.85478    24.80
24      33.340      可変
25     113.031      1.00     1.90366    31.32
26      42.201      4.00     1.48749    70.23
27     -62.511      3.00
28     164.301      2.70     1.85478    24.80
29     -74.587      0.90     1.43875    94.66
30      27.258      2.16
31     -52.680      0.90     1.77250    49.60
32      56.754      3.00
33      45.177      3.30     1.67270    32.10
34    -145.682     30.00
35      37.806      6.00     1.73800    32.33
36     -43.946      1.50     1.80810    22.76
37      80.933      可変
像面        ∞
非球面データ
第２０面
k=0.000
A4=-2.24329e-06,A6=-4.35396e-10,A8=-1.10031e-12
第２１面
k=0.000
A4=1.30113e-06,A6=8.50844e-10,A8=-1.92250e-12
ズームデータ１
広角端     中間     望遠端
ｆ               152.91    239.86    391.85
ＦＮＯ．           4.59      4.59      4.59
２ω               8.17      5.20      3.18
ＢＦ(in air)      28.80     28.80     28.80
ＬＴＬ(in air)   318.65    318.65    318.65
d5          36.83     71.65    106.29
d10         70.96     36.14      1.50
d21          9.12     10.21      5.50
d24         18.94     17.85     22.57
d37         28.80     28.80     28.80
ズームデータ２
広角端     中間     望遠端
ＯＢ        980.0     980.0     980.0
ＢＦ(in air)       9.93     -9.99    -45.61
ＬＴＬ(in air)   299.77    279.86    244.24
d5          36.83     71.65    106.29
d10         70.96     36.14      1.50
d21         12.28     17.85     25.05
d24         15.78     10.21      3.01
d37         28.80     28.80     28.80
各群焦点距離
f1=239.95    f2=-73.72     f3=56.17    f4=-49.26
f5=199.99
【０６５２】
数値実施例２５
単位  ｍｍ
面データ
面番号         r          d         nd       νd
物面        ∞         ∞
1     155.309      9.90     1.48749    70.23
2   -1244.269      0.40
3     129.584      3.00     1.72047    34.71
4      77.032     13.27     1.43875    94.66
5     747.299      可変
6    -796.282      2.50     1.63854    55.38
7      51.302      7.50     1.84666    23.78
8      78.802      5.76
9    -122.433      1.80     1.48749    70.23
10    -920.834      可変
11      50.860      7.17     1.72047    34.71
12     270.610      4.29
13      43.089      7.03     1.49700    81.54
14   -1155.646      2.00     1.83400    37.16
15      39.393     20.00
16(絞り)  ∞        6.64
17      85.967      2.00     1.80810    22.76
18      30.974     10.18     1.49700    81.54
19     -41.778      3.50     1.77250    49.60
20    -115.653      5.09
21      45.463      4.81     1.80000    29.84
22     762.338      可変
23   -1571.184      1.00     1.69680    55.53
24      22.426      2.00     1.85478    24.80
25      29.042      可変
26      84.585      1.00     1.67270    32.10
27      41.679      3.79
28      41.640      4.22     1.51633    64.14
29     -51.115      3.00
30      68.660      3.00     1.85478    24.80
31    -148.561      1.00     1.61800    63.40
32      33.859      2.42
33     -73.521      1.00     1.69680    55.53
34      57.077      3.00
35      49.078      3.50     1.55032    75.50
36     326.783     30.00
37      75.633      5.00     1.73800    32.26
38     -29.494      1.50     1.80810    22.76
39     532.928      可変
像面        ∞
ズームデータ１
広角端     中間     望遠端
ｆ               156.01    246.27    402.33
ＦＮＯ．           4.78      5.13      5.31
２ω               7.90      5.00      3.06
ＢＦ(in air)      28.77     28.77     28.77
ＬＴＬ(in air)   318.61    318.61    318.61
d5           5.65     42.72     79.25
d10         74.50     37.43      0.90
d22         18.59     15.25      2.60
d25          8.82     12.16     24.82
d39         28.77     28.77     28.77
ズームデータ２
広角端     中間     望遠端
ＯＢ        980.0     980.0     980.0
ＢＦ(in air)       9.17    -10.74    -45.96
ＬＴＬ(in air)   299.02    279.10    243.88
d5           5.65     42.72     78.65
d10         74.50     37.43      1.50
d22         22.36     23.82     22.06
d25          5.06      3.60      5.35
d39         28.77     28.77     28.77
各群焦点距離
f1=203.90    f2=-91.70     f3=70.21    f4=-44.19
f5=154.70
【０６５３】
数値実施例２６
単位  ｍｍ
面データ
面番号         r          d         nd       νd
物面        ∞         ∞
1     194.065      9.85     1.48749    70.23
2    -778.121      0.50
3     138.752      3.02     1.72047    34.71
4      86.349     11.00     1.43875    94.66
5     451.416      可変
6    1708.735      2.10     1.48749    70.23
7      41.306      3.90     1.76182    26.52
8      70.524      4.24
9    -152.174      1.80     1.72916    54.68
10     145.230      可変
11      57.513      5.88     1.76200    40.10
12     672.799      0.50
13      41.225      9.09     1.49700    81.54
14    -206.918      1.85     1.69680    55.53
15      39.441     11.47
16      66.153      1.80     1.85478    24.80
17      33.576      5.82     1.43875    94.66
18     272.014      4.49
19(絞り)  ∞        5.63
20*     34.063      9.60     1.49700    81.54
21*   -152.652      可変
22     262.523      1.00     1.78800    47.37
23      31.024      2.00     1.85478    24.80
24      33.340      可変
25     113.031      1.00     1.90366    31.32
26      42.201      4.00     1.48749    70.23
27     -62.511      可変
28     164.301      2.70     1.85478    24.80
29     -74.587      0.90     1.43875    94.66
30      27.258      2.16
31     -52.680      0.90     1.77250    49.60
32      56.754      3.00
33      45.177      3.30     1.67270    32.10
34    -145.682     30.00
35      37.806      6.00     1.73800    32.33
36     -43.946      1.50     1.80810    22.76
37      80.933      可変
像面        ∞
非球面データ
第２０面
k=0.000
A4=-2.24329e-06,A6=-4.35396e-10,A8=-1.10031e-12
第２１面
k=0.000
A4=1.30113e-06,A6=8.50844e-10,A8=-1.92250e-12
ズームデータ１
広角端     中間     望遠端
ｆ               152.91    239.91    392.35
ＦＮＯ．           4.59      4.59      4.59
２ω               8.17      5.20      3.18
ＢＦ(in air)      28.80     28.80     28.80
ＬＴＬ(in air)   318.65    318.65    318.65
d5          36.83     71.65    106.29
d10         70.96     36.14      1.50
d21          9.12     10.28      5.69
d24         18.94     18.28     23.87
d27          3.00      2.50      1.50
d37         28.80     28.80     28.80
ズームデータ２
広角端     中間     望遠端
ＯＢ         980.0     980.0     980.0
ＢＦ(in air)       9.93    -10.00    -45.68
ＬＴＬ(in air)   299.77    279.84    244.16
d5         368.83     71.652   106.29
d10         70.96     36.14      1.50
d21         12.28     17.93     25.33
d24         15.78     10.63      4.23
d27          3.00      2.50      1.50
d37         28.80     28.80     28.80
各群焦点距離
f1=239.95    f2=-73.72     f3=56.17    f4=-49.26
f5=167.26    f6=1031.42
【０６５４】
数値実施例２７
単位  ｍｍ
面データ
面番号         r          d         nd       νd
物面        ∞         ∞
1     145.227     11.73     1.48749    70.23
2    2973.253      0.20
3     138.335      3.00     1.67300    38.26
4      75.845     16.95     1.43875    94.66
5     985.334      可変
6    -436.095      3.94     1.85478    24.80
7     -74.917      1.60     1.48749    70.23
8      49.184      2.84     1.80000    29.84
9      62.645      5.78
10     -71.980      1.50     1.83481    42.71
11     194.121      可変
12(絞り)  ∞        1.80
13*     70.532      5.97     1.49700    81.54
14*   -111.780      3.27
15    -638.347      1.50     1.84666    23.78
16     129.890      6.64     1.43875    94.66
17     -65.692      0.20
18      82.485     16.58     1.43875    94.66
19     -45.906      可変
20     183.146      1.10     1.77250    49.60
21      25.017      2.50     1.85478    24.80
22      36.540      可変
23      71.798      1.00     1.58144    40.75
24      26.976      可変
25      30.066      3.13     1.43875    94.66
26     327.127      1.89
27     205.926      2.45     1.85478    24.80
28     -49.304      0.90     1.59282    68.63
29      37.671      2.29
30     -77.012      0.90     1.77250    49.60
31      47.424      3.19
32      45.955      5.40     1.58313    59.38
33     -91.431     23.51
34      37.861      8.37     1.65412    39.68
35     -88.792      1.30     1.92286    20.88
36     138.592      可変
像面        ∞
非球面データ
第１３面
k=0.000
A4=-2.62615e-06,A6=5.45187e-09,A8=-1.06603e-11,
A10=2.59025e-14
第１４面
k=0.000
A4=2.98721e-06,A6=6.43178e-09,A8=-1.12044e-11,
A10=2.95382e-14
ズームデータ１
広角端     中間     望遠端
ｆ               152.25    244.93    393.11
ＦＮＯ．           4.58      4.58      4.58
２ω               8.21      5.10      3.17
ＢＦ(in air)      35.09     35.09     35.09
ＬＴＬ(in air)   318.40    318.41    318.43
d5          58.72     84.90    108.78
d11         52.89     26.77      2.63
d19          5.24      6.80      2.93
d22         22.95     20.29     24.71
d24          2.08      3.12      2.87
d36         35.09     35.09     35.09
各群焦点距離
f1=218.89    f2=-51.80     f3=40.89    f4=-64.11
f5=-74.93    f6=98.61
【０６５５】
数値実施例２８
単位  ｍｍ
面データ
面番号         r          d         nd       νd
物面        ∞         ∞
1     145.227     11.73     1.48749    70.23
2    2973.253      0.20
3     138.335      3.00     1.67300    38.26
4      75.845     16.95     1.43875    94.66
5     985.334      可変
6    -436.095      3.94     1.85478    24.80
7     -74.917      1.60     1.48749    70.23
8      49.184      2.84     1.80000    29.84
9      62.645      5.78
10     -71.980      1.50     1.83481    42.71
11     194.121      可変
12(絞り)  ∞        1.80
13*     70.532      5.97     1.49700    81.54
14*   -111.780      3.27
15    -638.347      1.50     1.84666    23.78
16     129.890      6.64     1.43875    94.66
17     -65.692      0.20
18      82.485     16.58     1.43875    94.66
19     -45.906      可変
20     183.146      1.10     1.77250    49.60
21      25.017      2.50     1.85478    24.80
22      36.540      可変
23      71.798      1.00     1.58144    40.75
24      26.976      可変
25      30.066      3.13     1.43875    94.66
26     327.127      1.89
27     205.926      2.45     1.85478    24.80
28     -49.304      0.90     1.59282    68.63
29      37.671      2.29
30     -77.012      0.90     1.77250    49.60
31      47.424      3.19
32      45.955      5.40     1.58313    59.38
33     -91.431      1.95
34      24.803      1.10     1.80810    22.76
35      20.700      4.18     1.51742    52.43
36     131.562      0.30
37      26.918      2.23     1.59270    35.31
38      45.737      1.00     1.91082    35.25
39      22.854      2.47
40      60.942      0.95     1.88300    40.76
41      15.909      6.40     1.72047    34.71
42     -23.982      0.95     1.80610    40.92
43      41.874      1.97
44      37.861      8.37     1.65412    39.68
45     -88.792      1.30     1.92286    20.88
46     138.592      可変
像面        ∞
第１３面
k=0.000
A4=-2.62615e-06,A6=5.45187e-09,A8=-1.06603e-11,
A10=2.59025e-14
第１４面
k=0.000
A4=2.98721e-06,A6=6.43178e-09,A8=-1.12044e-11,
A10=2.95382e-14
ズームデータ１
広角端     中間     望遠端
ｆ               189.93    305.55    490.39
ＦＮＯ．           5.71      5.71      5.71
２ω               6.45      4.01      2.50
ＢＦ(in air)      35.09     35.09     35.09
ＬＴＬ(in air)   318.40    318.41    318.43
d5          58.72     84.90    108.78
d11         52.89     26.77      2.63
d19          5.24      6.80      2.93
d22         22.95     20.29     24.71
d24          2.08      3.12      2.87
d46         35.09     35.09     35.09
各群焦点距離
f1=218.89    f2=-51.80     f3=40.89    f4=-64.11
f5=-74.93    f6=323.41
【０６５６】
次に、各実施例における条件式の値を以下に掲げる。-（ハイフン）は該当する構成がないことを示す。
実施例１    実施例２    実施例３    実施例４
(1)LTLT/LTLW         1.00        1.00        1.00        1.00
(2),(2’)KMBT        8.34        9.37        7.31        6.76
(3)fFB/fMB           1.09        1.00        1.13        1.15
(4)LTLT/fFF          1.67        1.46        1.55        1.55
(5)KIST              1.33        1.44        1.94        1.93
(6)ΔMVFB/LTLT       0.25        0.26        0.27        0.20
(7)|fFF/fFB|         3.35        3.73        3.31        3.25
(8)|fMF/fMB|         1.01        0.73        1.14        1.28
(9)νdFFp           94.66       94.66       94.66       94.66
(10)fMFLCi/fMF       2.47        2.30        0.57        0.60
(11)fMF1/fMF2         -           -          0.35        2.13
(12)νdMBnmax
-νdMBpmin      26.55       30.39       32.77       23.08
(13)νdRni          20.88       20.88       17.98       17.98
(14)νdR2n          20.88       20.88       17.98       17.98
(15)|ΔFｂT|/FnoT     -           -           -           -
(16)|fconLCOB
/fconLCB|        -           -           -           -
(17)(fT/FnoT)/LTC     -           -           -           -
(18)LR12/LT           -           -           -           -
(19)fwconT/fT         -           -           -           -
(20)ftconT/fT         -           -           -           -
(21)LconT/LT          -           -           -           -
(22)LconT/FbT         -           -           -           -
(23)FbT/RtconR        -           -           -           -
(24)FbT/RtconF        -           -           -           -
(25)νdconLc1         -           -           -           -
(26)|fconLCObj
/fconLCM2|       -           -           -           -
(27)|FbT/RwconR|      -           -           -           -
(28)|RwconF/RwconR|   -           -           -           -
実施例５    実施例６    実施例７    実施例８
(1)LTLT/LTLW         1.00        1.00        1.00        1.00
(2),(2’)KMBT        8.20        5.98        6.67        9.23
(3)fFB/fMB           0.79        1.93        1.29        1.14
(4)LTLT/fFF          1.56        1.30        1.42        1.50
(5)KIST              1.51        1.77        1.94        1.45
(6)ΔMVFB/LTLT       0.24        0.25        0.30        0.17
(7)|fFF/fFB|         3.11        2.58        3.34        3.83
(8)|fMF/fMB|         0.71        1.53        1.13        0.80
(9)νdFFp           94.66       94.66       94.66       94.66
(10)fMFLCi/fMF       1.06        0.49        0.59        1.63
(11)fMF1/fMF2        0.97        0.40        0.31         -
(12)νdMBnmax
-νdMBpmin      24.61        19.97       32.77      23.87
(13)νdRni          17.98        17.98       17.98      20.88
(14)νdR2n          17.98        17.98       17.98      20.88
(15)|ΔFｂT|/FnoT     -            -           -          -
(16)|fconLCOB
/fconLCB|        -            -           -          -
(17)(fT/FnoT)/LTC     -            -           -          -
(18)LR12/LT           -            -           -          -
(19)fwconT/fT         -            -           -          -
(20)ftconT/fT         -            -           -          -
(21)LconT/LT          -            -           -          -
(22)LconT/FbT         -            -           -          -
(23)FbT/RtconR        -            -           -          -
(24)FbT/RtconF        -            -           -          -
(25)νdconLc1         -            -           -          -
(26)|fconLCObj
/fconLCM2|       -            -           -          -
(27)|FbT/RwconR|      -            -           -          -
(28)|RwconF/RwconR|   -            -           -          -
実施例９    実施例１０  実施例１１  実施例１２
(1)LTLT/LTLW          -          1.00         -          1.00
(2),(2’)KMBT       14.40        6.93       10.82        6.96
(3)fFB/fMB            -          1.54         -          1.77
(4)LTLT/fFF           -          1.38         -          1.38
(5)KIST              1.81        1.49        1.86        1.73
(6)ΔMVFB/LTLT        -          0.22         -          0.22
(7)|fFF/fFB|          -          3.09         -          3.26
(8)|fMF/fMB|          -          1.17         -          1.75
(9)νdFFp             -         94.66         -         94.66
(10)fMFLCi/fMF        -          0.84         -          0.45
(11)fMF1/fMF2         -          3.57         -          3.16
(12)νdMBnmax
-νdMBpmin        -         29.88         -         15.96
(13)νdRni            -         22.76         -         22.76
(14)νdR2n          20.88       22.76       22.76       22.76
(15)|ΔFｂT|/FnoT    0.00         -          0.00         -
(16)|fconLCOB
/fconLCB|       0.687        -          1.365        -
(17)(fT/FnoT)/LTC    2.39         -          3.91         -
(18)LR12/LT          0.13         -          0.09         -
(19)fwconT/fT         -           -           -           -
(20)ftconT/fT        1.25         -          1.25         -
(21)LconT/LT         0.25         -          0.20         -
(22)LconT/FbT        2.64         -          2.17         -
(23)FbT/RtconR      -0.82         -         -0.32         -
(24)FbT/RtconF       1.26         -          1.78         -
(25)νdconLc1       47.23         -         70.23         -
(26)|fconLCObj
/fconLCM2|      2.49         -          2.44         -
(27)|FbT/RwconR|      -           -           -           -
(28)|RwconF/RwconR|   -           -           -           -
実施例１３  実施例１４  実施例１５  実施例１６
(1)LTLT/LTLW          -          1.00         -          1.00
(2),(2’)KMBT       10.90        7.05       11.00        7.96
(3)fFB/fMB            -          1.53         -          1.08
(4)LTLT/fFF           -          1.36         -          1.45
(5)KIST              2.16        1.72        2.14        1.42
(6)ΔMVFB/LTLT        -          0.21         -          0.17
(7)|fFF/fFB|          -          3.08         -          3.84
(8)|fMF/fMB|          -          1.15         -          0.76
(9)νdFFp             -         94.66         -         94.66
(10)fMFLCi/fMF        -          0.77         -          1.64
(11)fMF1/fMF2         -          3.89         -           -
(12)νdMBnmax
-νdMBpmin        -         29.88         -         23.87
(13)νdRni            -         22.76         -         20.88
(14)νdR2n          22.76       22.76       22.76       20.88
(15)|ΔFｂT|/FnoT    0.00         -          0.00         -
(16)|fconLCOB
/fconLCB|       1.2          -          1.193        -
(17)(fT/FnoT)/LTC    3.87         -          3.87         -
(18)LR12/LT          0.09         -          0.10         -
(19)fwconT/fT         -           -           -           -
(20)ftconT/fT        1.25         -          1.25         -
(21)LconT/LT         0.19         -          0.20         -
(22)LconT/FbT        2.10         -          2.18         -
(23)FbT/RtconR      -0.67         -         -0.76         -
(24)FbT/RtconF       1.89         -          1.91         -
(25)νdconLc1       70.23         -         70.23         -
(26)|fconLCObj
/fconLCM2|      2.67         -          2.69         -
(27)|FbT/RwconR|      -           -           -           -
(28)|RwconF/RwconR|   -           -           -           -
実施例１７  実施例１８  実施例１９  実施例２０
(1)LTLT/LTLW          -           -          1.00        1.00
(2),(2’)KMBT       15.71        4.07       10.29        6.80
(3)fFB/fMB            -           -          2.02        1.61
(4)LTLT/fFF           -           -          1.57        1.40
(5)KIST              2.01        1.02        1.47        1.49
(6)ΔMVFB/LTLT        -           -          0.16        0.21
(7)|fFF/fFB|          -           -          2.10        3.03
(8)|fMF/fMB|          -           -          1.54        1.29
(9)νdFFp             -           -         94.66       94.66
(10)fMFLCi/fMF        -           -          0.97        0.79
(11)fMF1/fMF2         -           -          1.25        3.81
(12)νdMBnmax
-νdMBpmin        -           -         26.84       29.88
(13)νdRni            -           -         17.98       25.42
(14)νdR2n          20.88       20.88       17.98       25.42
(15)|ΔFｂT|/FnoT    0.00        0.00         -           -
(16)|fconLCOB
/fconLCB|       1.057        -           -           -
(17)(fT/FnoT)/LTC    2.41         -           -           -
(18)LR12/LT          0.13        0.13         -           -
(19)fwconT/fT         -          0.72         -           -
(20)ftconT/fT        1.41         -           -           -
(21)LconT/LT         0.25        0.24         -           -
(22)LconT/FbT        2.46        2.40         -           -
(23)FbT/RtconR       0.06         -           -           -
(24)FbT/RtconF       1.39         -           -           -
(25)νdconLc1       47.23         -           -           -
(26)|fconLCObj
/fconLCM2|      2.27         -           -           -
(27)|FbT/RwconR|      -          0.74         -           -
(28)|RwconF/RwconR|   -          1.27         -           -
実施例２１  実施例２２  実施例２３  実施例２４
(1)LTLT/LTLW          -          1.11        0.94        1.00
(2),(2’)KMBT       10.62        5.09        5.66        7.02
(3)fFB/fMB            -          1.16        1.09        1.50
(4)LTLT/fFF           -          1.31        1.45        1.33
(5)KIST              1.86        1.96        1.97        1.80
(6)ΔMVFB/LTLT        -          0.23        0.31        0.22
(7)|fFF/fFB|          -          3.90        3.57        3.25
(8)|fMF/fMB|          -          1.04        1.05        1.14
(9)νdFFp             -         94.66       94.66       94.66
(10)fMFLCi/fMF        -          0.58        0.59        1.01
(11)fMF1/fMF2         -          0.17        0.25        2.04
(12)νdMBnmax
-νdMBpmin        -         32.77       32.77       22.57
(13)νdRni            -         17.98       17.98       22.76
(14)νdR2n          25.42       17.98       17.98       22.76
(15)|ΔFｂT|/FnoT    0.00         -           -           -
(16)|fconLCOB
/fconLCB|       1.354        -           -           -
(17)(fT/FnoT)/LTC    3.91         -           -           -
(18)LR12/LT          0.09         -           -           -
(19)fwconT/fT         -           -           -           -
(20)ftconT/fT        1.25         -           -           -
(21)LconT/LT         0.20         -           -           -
(22)LconT/FbT        2.10         -           -           -
(23)FbT/RtconR      -0.33         -           -           -
(24)FbT/RtconF       1.78         -           -           -
(25)νdconLc1       70.23         -           -           -
(26)|fconLCObj
/fconLCM2|      2.44         -           -           -
(27)|FbT/RwconR|      -           -           -           -
(28)|RwconF/RwconR|   -           -           -           -
実施例２５  実施例２６  実施例２７  実施例２８
(1)LTLT/LTLW         1.00        1.00        1.00         -
(2),(2’)KMBT        7.15        7.02        6.87
(3)fFB/fMB           2.07        1.50        0.81         -
(4)LTLT/fFF          1.56        1.33        1.46         -
(5)KIST              1.49        1.80        1.83
(6)ΔMVFB/LTLT       0.23        0.22        0.16         -
(7)|fFF/fFB|         2.22        3.25        4.23         -
(8)|fMF/fMB|         1.59        1.14        0.64         -
(9)νdFFp           94.66       94.66       94.66         -
(10)fMFLCi/fMF       0.86        1.01        1.71         -
(11)fMF1/fMF2        2.97        2.04         -           -
(12)νdMBnmax
-νdMBpmin      30.55       22.57       24.8          -
(13)νdRni          22.76       22.57       20.88         -
(14)νdR2n          22.76       22.57       20.88       20.88
(15)|ΔFｂT|/FnoT     -           -          -           0.00
(16)|fconLCOB
/fconLCB|        -           -           -          1.182
(17)(fT/FnoT)/LTC     -           -           -          4.38
(18)LR12/LT           -           -          -           0.07
(19)fwconT/fT         -           -          -            -
(20)ftconT/fT         -           -          -           1.25
(21)LconT/LT          -           -          -           0.21
(22)LconT/FbT         -           -          -           1.89
(23)FbT/RtconR        -           -          -           0.84
(24)FbT/RtconF        -           -          -           1.42
(25)νdconLc1         -           -          -            -
(26)|fconLCObj
/fconLCM2|       -           -          -            -
(27)|FbT/RwconR|      -           -          -            -
(28)|RwconF/RwconR|   -           -          -            -
【０６５７】
図５７は、電子撮像装置としての一眼ミラーレスカメラの断面図である。図５７において、一眼ミラーレスカメラ１の鏡筒内には撮影光学系２が配置される。マウント部３は、撮影光学系２を一眼ミラーレスカメラ１のボディに着脱可能とする。マウント部３としては、スクリュータイプのマウントやバヨネットタイプのマウント等が用いられる。この例では、バヨネットタイプのマウントを用いている。また、一眼ミラーレスカメラ１のボディには、撮像素子面４、バックモニタ５が配置されている。なお、撮像素子としては、小型のＣＣＤ又はＣＭＯＳ等が用いられている。
【０６５８】
そして、一眼ミラーレスカメラ１の撮影光学系２として、例えば上記実施例に示したズーム光学系、又は撮像光学系が用いられる。
【０６５９】
図５８、図５９は、撮像装置の構成の概念図を示す。図５８は撮像装置としてのデジタルカメラ４０の前方斜視図、図５９は同後方斜視図である。このデジタルカメラ４０の撮影光学系４１に、本実施例のズーム光学系、又は撮像光学系が用いられている。
【０６６０】
この実施形態のデジタルカメラ４０は、撮影用光路４２上に位置する撮影光学系４１、シャッターボタン４５、液晶表示モニター４７等を含み、デジタルカメラ４０の上部に配置されたシャッターボタン４５を押圧すると、それに連動して撮影光学系４１、例えば実施例１のズーム光学系を通して撮影が行われる。撮影光学系４１によって形成された物体像が、結像面近傍に設けられた撮像素子（光電変換面）上に形成される。この撮像素子で受光された物体像は、処理手段によって電子画像としてカメラ背面に設けられた液晶表示モニター４７に表示される。また、撮影された電子画像は記憶手段に記録することができる。
【０６６１】
図６０は、デジタルカメラ４０の主要部の内部回路を示すブロック図である。なお、以下の説明では、前述した処理手段は、例えばＣＤＳ／ＡＤＣ部２４、一時記憶メモリ１７、画像処理部１８等で構成され、記憶手段は、記憶媒体部１９等で構成される。
【０６６２】
図６０に示すように、デジタルカメラ４０は、操作部１２と、この操作部１２に接続された制御部１３と、この制御部１３の制御信号出力ポートにバス１４及び１５を介して接続された撮像駆動回路１６並びに一時記憶メモリ１７、画像処理部１８、記憶媒体部１９、表示部２０、及び設定情報記憶メモリ部２１を備えている。
【０６６３】
上記の一時記憶メモリ１７、画像処理部１８、記憶媒体部１９、表示部２０、及び設定情報記憶メモリ部２１は、バス２２を介して相互にデータの入力、出力が可能とされている。また、撮像駆動回路１６には、ＣＣＤ４９とＣＤＳ／ＡＤＣ部２４が接続されている。
【０６６４】
操作部１２は、各種の入力ボタンやスイッチを備え、これらを介して外部（カメラ使用者）から入力されるイベント情報を制御部１３に通知する。制御部１３は、例えばＣＰＵなどからなる中央演算処理装置であって、不図示のプログラムメモリを内蔵し、プログラ
ムメモリに格納されているプログラムにしたがって、デジタルカメラ４０全体を制御する。
【０６６５】
ＣＣＤ４９は、撮像駆動回路１６により駆動制御され、撮影光学系４１を介して形成された物体像の画素ごとの光量を電気信号に変換し、ＣＤＳ／ＡＤＣ部２４に出力する撮像素子である。
【０６６６】
ＣＤＳ／ＡＤＣ部２４は、ＣＣＤ４９から入力する電気信号を増幅し、かつ、アナログ／デジタル変換を行って、この増幅とデジタル変換を行っただけの映像生データ（ベイヤーデータ、以下ＲＡＷデータという。）を一時記憶メモリ１７に出力する回路である。
【０６６７】
一時記憶メモリ１７は、例えばＳＤＲＡＭ等からなるバッファであり、ＣＤＳ／ＡＤＣ部２４から出力されるＲＡＷデータを一時的に記憶するメモリ装置である。画像処理部１８は、一時記憶メモリ１７に記憶されたＲＡＷデータ又は記憶媒体部１９に記憶されているＲＡＷデータを読み出して、制御部１３にて指定された画質パラメータに基づいて歪曲収差補正を含む各種画像処理を電気的に行う回路である。
【０６６８】
記憶媒体部１９は、例えばフラッシュメモリ等からなるカード型又はスティック型の記録媒体を着脱自在に装着して、これらのフラッシュメモリに、一時記憶メモリ１７から転送されるＲＡＷデータや画像処理部１８で画像処理された画像データを記録して保持する。
【０６６９】
表示部２０は、液晶表示モニター４７などにて構成され、撮影したＲＡＷデータ、画像データや操作メニューなどを表示する。設定情報記憶メモリ部２１には、予め各種の画質パラメータが格納されているＲＯＭ部と、操作部１２の入力操作によってＲＯＭ部から読み出された画質パラメータを記憶するＲＡＭ部が備えられている。
【０６７０】
なお、本発明は、その趣旨を逸脱しない範囲で様々な変形例をとることができる。また、上記各実施例により示された形状枚数には必ずしも限定されない。また、各レンズ群内又は各レンズ群外に、上記各実施例に図示されていないレンズであって実質的に屈折力を有さないレンズを配置してもよい。
【産業上の利用可能性】
【０６７１】
以上のように、本発明は、操作性と機動性に優れると共に、収差が良好に補正されたズーム光学系、撮像光学系及びそれを備えた撮像装置に適している。
【符号の説明】
【０６７２】
Ｇ１  第１レンズ群
Ｇ２  第２レンズ群
Ｇ３  第３レンズ群
Ｇ４  第４レンズ群
Ｇ５  第５レンズ群
Ｇ６  第６レンズ群
Ｇ７  第７レンズ群
Ｓ  開口絞り
Ｉ  像面
１  一眼ミラーレスカメラ
２  撮影光学系
３  鏡筒のマウント部
４  撮像素子面
５  バックモニタ
１２  操作部
１３  制御部
１４、１５  バス
１６  撮像駆動回路
１７  一時記憶メモリ
１８  画像処理部
１９  記憶媒体部
２０  表示部
２１  設定情報記憶メモリ部
２２  バス
２４  ＣＤＳ／ＡＤＣ部
４０  デジタルカメラ
４１  撮影光学系
４２  撮影用光路
４５  シャッターボタン
４７  液晶表示モニター
４９  ＣＣＤ
【図１】
2019124818.tif 000003
【図２】
2019124818.tif 000004
【図３】
2019124818.tif 000005
【図４】
2019124818.tif 000006
【図５】
2019124818.tif 000007
【図６】
2019124818.tif 000008
【図７】
2019124818.tif 000009
【図８】
2019124818.tif 000010
【図９】
2019124818.tif 000011
【図１０】
2019124818.tif 000012
【図１１】
2019124818.tif 000013
【図１２】
2019124818.tif 000014
【図１３】
2019124818.tif 000015
【図１４】
2019124818.tif 000016
【図１５】
2019124818.tif 000017
【図１６】
2019124818.tif 000018
【図１７】
2019124818.tif 000019
【図１８】
2019124818.tif 000020
【図１９】
2019124818.tif 000021
【図２０】
2019124818.tif 000022
【図２１】
2019124818.tif 000023
【図２２】
2019124818.tif 000024
【図２３】
2019124818.tif 000025
【図２４】
2019124818.tif 000026
【図２５】
2019124818.tif 000027
【図２６】
2019124818.tif 000028
【図２７】
2019124818.tif 000029
【図２８】
2019124818.tif 000030
【図２９】
2019124818.tif 000031
【図３０】
2019124818.tif 000032
【図３１】
2019124818.tif 000033
【図３２】
2019124818.tif 000034
【図３３】
2019124818.tif 000035
【図３４】
2019124818.tif 000036
【図３５】
2019124818.tif 000037
【図３６】
2019124818.tif 000038
【図３７】
2019124818.tif 000039
【図３８】
2019124818.tif 000040
【図３９】
2019124818.tif 000041
【図４０】
2019124818.tif 000042
【図４１】
2019124818.tif 000043
【図４２】
2019124818.tif 000044
【図４３】
2019124818.tif 000045
【図４４】
2019124818.tif 000046
【図４５】
2019124818.tif 000047
【図４６】
2019124818.tif 000048
【図４７】
2019124818.tif 000049
【図４８】
2019124818.tif 000050
【図４９】
2019124818.tif 000051
【図５０】
2019124818.tif 000052
【図５１】
2019124818.tif 000053
【図５２】
2019124818.tif 000054
【図５３】
2019124818.tif 000055
【図５４】
2019124818.tif 000056
【図５５】
2019124818.tif 000057
【図５６】
2019124818.tif 000058
【図５７】
2019124818.tif 000059
【図５８】
2019124818.tif 000060
【図５９】
2019124818.tif 000061
【図６０】
2019124818.tif 000062